(57)【要約】【課題】コンテンションウィンドウ情報を決定するための方法を提供すること。【解決手段】方法は、ＵＥの第２のアップリンクバーストのコンテンションウィンドウ情報を、参照サブフレームの受信状態に従って決定するステップと、第２のアップリンクバーストにおける少なくとも１つのアップリンクサブフレームをスケジューリングするための少なくとも１つの制御シグナリングを生成するステップと、少なくとも１つの制御シグナリングをＵＥに送信するステップとを含む。本発明の実施形態におけるコンテンションウィンドウ情報を決定するための方法および装置によれば、制御シグナリングは、ＵＥに送信され、したがって、ＵＥのコンテンションウィンドウ情報が調整されることができ、ＵＥが適切なコンテンションウィンドウを獲得することができ、公平なチャネルアクセスが、ランダムなバックオフに基づくチャネル感知を通じて実装される。【選択図】図２
2020058054.tif 000002
【特許請求の範囲】
【請求項１】
コンテンションウィンドウ情報を決定するための方法であって、
ユーザ機器ＵＥの第２のアップリンクバーストのコンテンションウィンドウ情報を、参照サブフレームの受信状態に従って決定するステップであって、前記コンテンションウィンドウ情報は、コンテンションウィンドウサイズＣＷＳ、コンテンションウィンドウ時間、またはＣＷＳ調整をトリガするよう前記ＵＥに命令するシグナリングを備える、ステップと、
前記第２のアップリンクバーストにおける少なくとも１つのアップリンクサブフレームをスケジューリングするための少なくとも１つの制御シグナリングを生成するステップであって、前記少なくとも１つの制御シグナリングのそれぞれは、前記コンテンションウィンドウ情報、または前記コンテンションウィンドウ情報に基づいて生成されたクリアチャネルアセスメントＣＣＡバックオフカウンタ初期値を備える、ステップと、
前記少なくとも１つの制御シグナリングを前記ＵＥに送信するステップと
を含み、前記参照サブフレームは、前記ＵＥの少なくとも１つの第１のアップリンクバーストにおける少なくとも１つのアップリンクサブフレームを備え、前記第１のアップリンクバーストは、前記第２のアップリンクバーストより前であり、前記第２のアップリンクバーストと前記第１のアップリンクバーストは、時間的に不連続であり、前記第１のアップリンクバーストは、少なくとも１つのアップリンクサブフレームを備え、かつ前記第２のアップリンクバーストは、少なくとも１つのアップリンクサブフレームを備える方法。
【請求項２】
前記第１のアップリンクバーストは、各アップリンクサブフレームが前記ＵＥによって送信され、かつ基地局によってスケジューリングされる第１のアップリンクバーストである請求項１に記載の方法。
【請求項３】
前記第１のアップリンクバーストは、各アップリンクサブフレームが前記ＵＥによって送信され、かつ前記基地局によって検出される第１のアップリンクバーストである請求項１に記載の方法。
【請求項４】
前記参照サブフレームは、前記ＵＥによって送信され、かつ前記第１のアップリンクバーストにおいて前記基地局によって検出される少なくとも１つのアップリンクサブフレームである請求項１または２に記載の方法。
【請求項５】
前記参照サブフレームは、受信状態が前記第１のアップリンクバーストにおいて前記基地局によって検出されている少なくとも１つのアップリンクサブフレームである請求項１乃至４のいずれか一項に記載の方法。
【請求項６】
前記参照サブフレームは、前記制御シグナリングが前記ＵＥに送信されるより前の前記制御シグナリングに最も近い少なくとも１つの第１のアップリンクバーストのそれぞれにおける少なくとも１つのアップリンクサブフレームである請求項１乃至５のいずれか一項に記載の方法。
【請求項７】
前記参照サブフレームは、事前定義された時間ウィンドウ内の、かつ前記制御シグナリングが前記ＵＥに送信されるより前の前記制御シグナリングに最も近い前記少なくとも１つの第１のアップリンクバーストのそれぞれにおける少なくとも１つのアップリンクサブフレームであり、前記時間ウィンドウの終了時点は、前記制御シグナリングが前記ＵＥに送信される開始時点である、または
前記参照サブフレームは、前記第１のアップリンクバーストのＣＷＳが変化する開始時点と前記制御シグナリングが送信される時点との間の、かつ前記制御シグナリングが前記ＵＥに送信されるより前のすべての第１のアップリンクバーストのそれぞれにおける少なくとも１つのアップリンクサブフレームであり、ＣＷＳが変化する前記第１のアップリンクバーストは、ＣＷＳが変化し、かつ前記制御シグナリングに最も近い第１のアップリンクバーストである請求項６に記載の方法。
【請求項８】
前記参照サブフレームは、前記少なくとも１つの第１のアップリンクバーストのそれぞれにおけるすべてのアップリンクサブフレーム、第１のアップリンクサブフレーム、または最後のアップリンクサブフレームである請求項１乃至７のいずれか一項に記載の方法。
【請求項９】
ＵＥの第２のアップリンクバーストのコンテンションウィンドウ情報を決定する前記ステップは、
前記参照サブフレームにおける少なくとも１つのアップリンクサブフレームの受信状態がＮＡＣＫである場合、前記ＣＷＳを増加させ、そうでない場合、前記ＣＷＳを減少させるステップ、または
前記参照サブフレームにおける各アップリンクサブフレームの受信状態がＮＡＣＫである場合、前記ＣＷＳを増加させ、そうでない場合、前記ＣＷＳを減少させるステップ
を含む請求項１乃至８のいずれか一項に記載の方法。
【請求項１０】
ＵＥの第２のアップリンクバーストのコンテンションウィンドウ情報を決定する前記ステップは、
前記参照サブフレームにおいて、受信状態がＮＡＣＫであるアップリンクサブフレームの量が第１の事前設定された閾値より大きい場合、前記ＣＷＳを増加させ、受信状態がＮＡＣＫであるアップリンクサブフレームの量が前記第１の事前設定された閾値未満である場合、前記ＣＷＳを減少させ、もしくは受信状態がＮＡＣＫであるアップリンクサブフレームの量が前記第１の事前設定された閾値と等しい場合、前記ＣＷＳを増加させる、もしくは減少させるステップ、または
前記参照サブフレームにおいて、すべてのアップリンクサブフレームの量における受信状態がＮＡＣＫであるアップリンクサブフレームの量のパーセンテージが第２の事前設定された閾値より大きい場合、前記ＣＷＳを増加させ、すべてのアップリンクサブフレームの量における受信状態がＮＡＣＫであるアップリンクサブフレームの量のパーセンテージが前記第２の事前設定された閾値未満である場合、前記ＣＷＳを減少させ、もしくはすべてのアップリンクサブフレームの量における受信状態がＮＡＣＫであるアップリンクサブフレームの量のパーセンテージが前記第２の事前設定された閾値と等しい場合、前記ＣＷＳを増加させる、もしくは減少させるステップ
を含む請求項１乃至８のいずれか一項に記載の方法。
【請求項１１】
前記ＵＥの第３のアップリンクバーストのＣＷＳを、前記第２のアップリンクバーストの前記ＣＷＳが決定されるより前に前記参照サブフレームに従って決定するステップと、
前記第２のアップリンクバーストの前記ＣＷＳが前記第３のアップリンクバーストの前記ＣＷＳと等しいことを決定するステップと
をさらに含む方法であって、
前記第１のアップリンクバースト、前記第２のアップリンクバースト、および前記第３のアップリンクバーストは、時間的に不連続であり、前記第３のアップリンクバーストは、前記第１のアップリンクバーストと前記第２のアップリンクバーストとの間にあり、かつ前記第３のアップリンクバーストは、少なくとも１つのアップリンクサブフレームを備える請求項１乃至１０のいずれか一項に記載の方法。
【請求項１２】
コンテンションウィンドウ情報を決定するための方法であって、
第２のアップリンクバーストにおける少なくとも１つのアップリンクサブフレームをスケジューリングするために基地局によって送信される少なくとも１つの制御シグナリングを受信するステップであって、前記少なくとも１つの制御シグナリングのそれぞれは、コンテンションウィンドウ情報、前記コンテンションウィンドウ情報に基づいて生成されたクリアチャネルアセスメントＣＣＡバックオフカウンタ初期値、またはハイブリッド自動再送要求ＨＡＲＱインジケーションを備え、前記コンテンションウィンドウ情報は、コンテンションウィンドウサイズＣＷＳ、コンテンションウィンドウ時間、またはＣＷＳ調整をトリガするようユーザ機器ＵＥに命令するシグナリングを備える、ステップと、
前記第２のアップリンクバーストのＣＣＡバックオフカウンタ初期値を、前記少なくとも１つの制御シグナリングに従って決定するステップと、
前記第２のアップリンクバーストに関するＣＣＡを、前記第２のアップリンクバーストの前記ＣＣＡバックオフカウンタ初期値に従って実行するステップと
を含む方法。
【請求項１３】
前記第２のアップリンクバーストのＣＣＡバックオフカウンタ初期値を決定する前記ステップは、
前記第２のアップリンクバーストの第１のアップリンクサブフレームのＣＣＡバックオフカウンタ初期値を、前記第２のアップリンクバーストに最も近く、かつ前記第２のアップリンクバーストより前の制御シグナリングに備えられたコンテンションウィンドウ情報、もしくは前記コンテンションウィンドウ情報に基づいて生成されたＣＣＡバックオフカウンタ初期値に従って決定するステップ、または
前記第２のアップリンクバーストの第１のアップリンクサブフレームのＣＣＡバックオフカウンタ初期値を、前記第２のアップリンクバーストにおける前記第１のアップリンクサブフレームの制御シグナリングに備えられたコンテンションウィンドウ情報、もしくは前記コンテンションウィンドウ情報に基づいて生成されたＣＣＡバックオフカウンタ初期値に従って決定するステップ
を含む請求項１２に記載の方法。
【請求項１４】
前記第２のアップリンクバーストのＣＣＡバックオフカウンタ初期値を決定する前記ステップは、
前記第２のアップリンクバーストのＣＷＳを、参照サブフレームにおける少なくとも１つのアップリンクサブフレームに関する前記少なくとも１つの制御シグナリングにおけるＨＡＲＱインジケーションに従って決定するステップと、
前記第２のアップリンクバーストの前記ＣＣＡバックオフカウンタ初期値を、前記第２のアップリンクバーストの前記ＣＷＳに従って決定するステップと
をさらに含む方法であって、
前記参照サブフレームは、前記ＵＥの少なくとも１つの第１のアップリンクバーストにおける少なくとも１つのアップリンクサブフレームを備え、前記第１のアップリンクバーストは、前記第２のアップリンクバーストより前であり、前記第２のアップリンクバーストと前記第１のアップリンクバーストは、時間的に不連続であり、前記第１のアップリンクバーストは、少なくとも１つのアップリンクサブフレームを備え、かつ前記第２のアップリンクバーストは、少なくとも１つのアップリンクサブフレームを備える請求項１２に記載の方法。
【請求項１５】
前記第１のアップリンクバーストは、各アップリンクサブフレームが前記ＵＥによって送信され、かつ前記基地局によってスケジューリングされる第１のアップリンクバーストである請求項１４に記載の方法。
【請求項１６】
前記第１のアップリンクバーストは、各アップリンクサブフレームが前記ＵＥによって送信される第１のアップリンクバーストである請求項１４に記載の方法。
【請求項１７】
前記参照サブフレームは、前記第１のアップリンクバーストにおいて前記ＵＥによって送信される少なくとも１つのアップリンクサブフレームである請求項１４または１５に記載の方法。
【請求項１８】
前記参照サブフレームは、受信状態が前記第１のアップリンクバーストにおいて前記ＵＥによって獲得される少なくとも１つのアップリンクサブフレームである請求項１４乃至１７のいずれか一項に記載の方法。
【請求項１９】
前記参照サブフレームは、前記第２のアップリンクバーストに関して前記基地局によって送信される前記制御シグナリングが受信されるより前の前記制御シグナリングに最も近い少なくとも１つの第１のアップリンクバーストのそれぞれにおける少なくとも１つのアップリンクサブフレームである請求項１４乃至１８のいずれか一項に記載の方法。
【請求項２０】
前記参照サブフレームは、事前定義された時間ウィンドウ内の前記制御シグナリングに最も近く、かつ前記第２のアップリンクバーストに関して前記基地局によって送信される前記制御シグナリングが受信されるより前の前記少なくとも１つの第１のアップリンクバーストのそれぞれにおける少なくとも１つのアップリンクサブフレームであり、前記時間ウィンドウの終了時点は、前記基地局が前記制御シグナリングを前記ＵＥに送信する開始時点である、または
前記参照サブフレームは、前記第１のアップリンクバーストのＣＷＳが変化する開始時点と前記制御シグナリングが送信される時点との間の、かつ前記第２のアップリンクバーストに関して前記基地局によって送信される前記制御シグナリングが受信されるより前の前記制御シグナリングに最も近いすべての第１のアップリンクバーストのそれぞれにおける少なくとも１つのアップリンクサブフレームであり、ＣＷＳが変化する前記第１のアップリンクバーストは、ＣＷＳが変化し、かつ前記第２のアップリンクバーストに関して前記基地局によって送信される前記制御シグナリングが受信されるより前の前記制御シグナリングに最も近い第１のアップリンクバーストである請求項１９に記載の方法。
【請求項２１】
前記参照サブフレームは、前記ＵＥが前記第２のアップリンクバーストを送信するより前の、前記第２のアップリンクバーストが送信される開始時点に最も近い少なくとも１つの第１のアップリンクバーストのそれぞれにおける少なくとも１つのアップリンクサブフレームである請求項１４乃至１８のいずれか一項に記載の方法。
【請求項２２】
前記参照サブフレームは、事前定義された時間ウィンドウ内の、かつ前記ＵＥが前記第２のアップリンクバーストを送信するより前の、前記第２のアップリンクバーストが送信される前記開始時点に最も近い前記少なくとも１つの第１のアップリンクバーストのそれぞれにおける少なくとも１つのアップリンクサブフレームであり、前記時間ウィンドウの終了時点は、前記ＵＥの前記第２のアップリンクバーストの開始時点である、または
前記参照サブフレームは、前記第１のアップリンクバーストのＣＷＳが変化する開始時点と前記第２のアップリンクバーストが送信される開始時点との間の、かつ前記ＵＥが前記第２のアップリンクバーストを送信するより前のすべての第１のアップリンクバーストのそれぞれにおける少なくとも１つのアップリンクサブフレームであり、ＣＷＳが変化する前記第１のアップリンクバーストは、前記ＵＥが前記第２のアップリンクバーストを送信するより前の、前記第２のアップリンクバーストの前記開始時点に最も近いＣＷＳが変化する第１のアップリンクバーストである請求項２１に記載の方法。
【請求項２３】
前記参照サブフレームは、事前定義された時点より前の、前記事前定義された時点に最も近い少なくとも１つの第１のアップリンクバーストのそれぞれにおける少なくとも１つのアップリンクサブフレームであり、かつ前記事前定義された時点は、前記第２のアップリンクバーストの開始時点より前である請求項１４乃至１８のいずれか一項に記載の方法。
【請求項２４】
前記参照サブフレームは、事前定義された時間ウィンドウ内の前記事前定義された時点に最も近い少なくとも１つの第１のアップリンクバーストのそれぞれにおける少なくとも１つのアップリンクサブフレームであり、かつ前記事前定義された時間ウィンドウの終了時点は、前記事前定義された時点である、または
前記参照サブフレームは、前記事前定義された時点より前の、前記第１のアップリンクバーストのＣＷＳが変化する開始時点と前記事前定義された時点との間のすべての第１のアップリンクバーストのそれぞれにおける少なくとも１つのアップリンクサブフレームであり、ＣＷＳが変化する前記第１のアップリンクバーストは、前記事前定義された時点より前の、前記事前定義された時点に最も近いＣＷＳが変化する第１のアップリンクバーストである請求項２３に記載の方法。
【請求項２５】
前記参照サブフレームは、前記少なくとも１つの第１のアップリンクバーストのそれぞれにおけるすべてのアップリンクサブフレーム、第１のアップリンクサブフレーム、または最後のアップリンクサブフレームである請求項１４乃至２４のいずれか一項に記載の方法。
【請求項２６】
前記第２のアップリンクバーストのＣＷＳを決定する前記ステップは、
前記参照サブフレームにおける前記少なくとも１つのアップリンクサブフレームに関する前記ＨＡＲＱインジケーションが受信され、かつ少なくとも１つのＨＡＲＱインジケーションが再送インジケーションである場合、前記ＣＷＳを増加させるステップ、
前記参照サブフレームにおける各アップリンクサブフレームに関してＨＡＲＱインジケーションが受信され、かつ各ＨＡＲＱインジケーションが初期伝送インジケーションである場合、前記ＣＷＳを減少させるステップ、
前記参照サブフレームにおける各アップリンクサブフレームに関してＨＡＲＱインジケーションが受信されないが、前記参照サブフレームにおける前記少なくとも１つのアップリンクサブフレームに関して前記ＨＡＲＱインジケーションが受信され、かつ各ＨＡＲＱインジケーションが初期伝送インジケーションである場合、前記ＣＷＳを変化しないままに維持する、もしくはＣＷＳを減少させるステップ、または
前記参照サブフレームにおける前記少なくとも１つのアップリンクサブフレームに関して前記ＨＡＲＱインジケーションが受信されない場合、前記ＣＷＳを変化しないままに維持する、もしくは前記ＣＷＳを減少させるステップ
を含む請求項１４乃至２５のいずれか一項に記載の方法。
【請求項２７】
前記第２のアップリンクバーストのＣＷＳを決定する前記ステップは、
前記参照サブフレームにおける前記少なくとも１つのアップリンクサブフレームに関して前記ＨＡＲＱインジケーションが受信され、かつＨＡＲＱインジケーションが再送であるアップリンクサブフレームの量が第１の事前設定された閾値より大きい、もしくは第１の事前設定された閾値と等しい場合、前記ＣＷＳを増加させるステップ、
前記参照サブフレームにおける前記少なくとも１つのアップリンクサブフレームに関して前記ＨＡＲＱインジケーションが受信され、かつ前記参照サブフレームにおけるすべてのアップリンクサブフレームの量におけるＨＡＲＱインジケーションが再送であるアップリンクサブフレームの量のパーセンテージが第２の事前設定された閾値より大きい、もしくは第２の事前設定された閾値と等しい場合、前記ＣＷＳを増加させるステップ、
前記参照サブフレームにおける前記少なくとも１つのアップリンクサブフレームに関して前記ＨＡＲＱインジケーションが受信され、かつＨＡＲＱインジケーションが初期伝送であるアップリンクサブフレームの量が第３の事前設定された閾値より大きい、もしくは第３の事前設定された閾値と等しい場合、前記ＣＷＳを減少させるステップ、
前記参照サブフレームにおける前記少なくとも１つのアップリンクサブフレームに関して前記ＨＡＲＱインジケーションが受信され、かつ前記参照サブフレームにおけるすべてのアップリンクサブフレームの量におけるＨＡＲＱインジケーションが初期伝送であるアップリンクサブフレームの量のパーセンテージが第４の事前設定された閾値より大きい、もしくは第４の事前設定された閾値と等しい場合、前記ＣＷＳを減少させるステップ、または
前記参照サブフレームにおける前記少なくとも１つのアップリンクサブフレームに関して前記ＨＡＲＱインジケーションが受信されない場合、前記ＣＷＳを変化しないままに維持する、もしくは前記ＣＷＳを減少させるステップ
をさらに含む請求項１４乃至２５のいずれか一項に記載の方法。
【請求項２８】
前記ＵＥの第３のアップリンクバーストのＣＷＳを、前記第２のアップリンクバーストの前記ＣＷＳが決定されるより前に前記参照サブフレームに従って決定するステップと、
前記第２のアップリンクバーストの前記ＣＷＳが前記第３のアップリンクバーストの前記ＣＷＳと等しいことを決定するステップと
をさらに含む方法であって、
前記第１のアップリンクバースト、前記第２のアップリンクバースト、および前記第３のアップリンクバーストは、時間的に不連続であり、前記第３のアップリンクバーストは、前記第１のアップリンクバーストと前記第２のアップリンクバーストとの間にあり、かつ前記第３のアップリンクバーストは、少なくとも１つのアップリンクサブフレームを備える請求項１４乃至２７のいずれか一項に記載の方法。
【請求項２９】
前記第３のアップリンクバーストにおける前記少なくとも１つのアップリンクサブフレームと前記第２のアップリンクバーストにおける第１のアップリンクサブフレームとの間の時間間隔は、第１の事前設定された持続時間未満である請求項２８に記載の方法。
【請求項３０】
前記ＵＥがアップリンクグラント、ＵＬグラントを受信する時点は、前記第３のアップリンクバーストにおける前記少なくとも１つのアップリンクサブフレームより早い、または
前記ＵＥがＵＬグラントを受信する時点は、前記第３のアップリンクバーストにおける前記少なくとも１つのアップリンクサブフレームより早くはなく、かつ前記第３のアップリンクバーストにおける前記少なくとも１つのアップリンクサブフレームと前記ＵＥが前記ＵＬグラントを受信する前記時点との間の時間間隔は、第２の事前設定された持続時間未満である方法であって、
前記ＵＬグラントは、前記第２のアップリンクバーストより前の、前記第２のアップリンクバーストに最も近く、かつ前記ＵＥによって受信されるＵＬグラントである請求項２８に記載の方法。
【請求項３１】
コンテンションウィンドウ情報を決定するための装置であって、
ユーザ機器ＵＥの第２のアップリンクバーストのコンテンションウィンドウ情報を、参照サブフレームの受信状態に従って決定するように構成された決定ユニットであって、前記コンテンションウィンドウ情報は、コンテンションウィンドウサイズＣＷＳ、コンテンションウィンドウ時間、またはＣＷＳ調整をトリガするよう前記ＵＥに命令するシグナリングを備える、決定ユニットと、
前記第２のアップリンクバーストにおける少なくとも１つのアップリンクサブフレームをスケジューリングするための少なくとも１つの制御シグナリングを生成するように構成された生成ユニットであって、前記少なくとも１つの制御シグナリングのそれぞれは、前記コンテンションウィンドウ情報、または前記コンテンションウィンドウ情報に基づいて生成されたクリアチャネルアセスメントＣＣＡバックオフカウンタ初期値を備える、生成ユニットと、
前記少なくとも１つの制御シグナリングをＵＥに送信するように構成された送信ユニットとを備え、
前記参照サブフレームは、前記ＵＥの少なくとも１つの第１のアップリンクバーストにおける少なくとも１つのアップリンクサブフレームを備え、前記第１のアップリンクバーストは、前記第２のアップリンクバーストより前であり、前記第２のアップリンクバーストと前記第１のアップリンクバーストは、時間的に不連続であり、前記第１のアップリンクバーストは、少なくとも１つのアップリンクサブフレームを備え、かつ前記第２のアップリンクバーストは、少なくとも１つのアップリンクサブフレームを備える装置。
【請求項３２】
前記第１のアップリンクバーストは、各アップリンクサブフレームが前記ＵＥによって送信され、かつ前記装置によってスケジューリングされる第１のアップリンクバーストである請求項３１に記載の装置。
【請求項３３】
前記第１のアップリンクバーストは、各アップリンクサブフレームが前記ＵＥによって送信され、かつ前記装置によって検出される第１のアップリンクバーストである請求項３１に記載の装置。
【請求項３４】
前記参照サブフレームは、前記ＵＥによって送信され、かつ前記第１のアップリンクバーストにおいて前記装置によって検出される少なくとも１つのアップリンクサブフレームである請求項３１または３２に記載の装置。
【請求項３５】
前記参照サブフレームは、受信状態が前記第１のアップリンクバーストにおいて前記装置によって検出されている少なくとも１つのアップリンクサブフレームである請求項３１乃至３４のいずれか一項に記載の装置。
【請求項３６】
前記参照サブフレームは、前記制御シグナリングが前記ＵＥに送信されるより前の前記制御シグナリングに最も近い少なくとも１つの第１のアップリンクバーストのそれぞれにおける少なくとも１つのアップリンクサブフレームである請求項３１乃至３５のいずれか一項に記載の装置。
【請求項３７】
前記参照サブフレームは、前記制御シグナリングが前記ＵＥに送信されるより前の、事前定義された時間ウィンドウ内の前記制御シグナリングに最も近い前記少なくとも１つの第１のアップリンクバーストのそれぞれにおける少なくとも１つのアップリンクサブフレームであり、前記時間ウィンドウの終了時点は、前記制御シグナリングが前記ＵＥに送信される開始時点である、または
前記参照サブフレームは、前記第１のアップリンクバーストのＣＷＳが変化する開始時点と前記制御シグナリングが送信される時点との間の、かつ前記制御シグナリングが前記ＵＥに送信されるより前のすべての第１のアップリンクバーストのそれぞれにおける少なくとも１つのアップリンクサブフレームであり、ＣＷＳが変化する前記第１のアップリンクバーストは、ＣＷＳが変化し、かつ前記制御シグナリングに最も近い第１のアップリンクバーストである請求項３６に記載の装置。
【請求項３８】
前記参照サブフレームは、前記少なくとも１つの第１のアップリンクバーストのそれぞれにおけるすべてのアップリンクサブフレーム、第１のアップリンクサブフレーム、または最後のアップリンクサブフレームである請求項３１乃至３７のいずれか一項に記載の装置。
【請求項３９】
前記決定ユニットは、
前記参照サブフレームにおける少なくとも１つのアップリンクサブフレームの受信状態がＮＡＣＫである場合、前記ＣＷＳを増加させ、そうでない場合、前記ＣＷＳを減少させること、または
前記参照サブフレームにおける各アップリンクサブフレームの受信状態がＮＡＣＫである場合、前記ＣＷＳを増加させ、そうでない場合、前記ＣＷＳを減少させること
を行うようにさらに構成される請求項３１乃至３８のいずれか一項に記載の装置。
【請求項４０】
前記決定ユニットは、
前記参照サブフレームにおいて、受信状態がＮＡＣＫであるアップリンクサブフレームの量が第１の事前設定された閾値より大きい場合、前記ＣＷＳを増加させ、受信状態がＮＡＣＫであるアップリンクサブフレームの量が前記第１の事前設定された閾値未満である場合、前記ＣＷＳを減少させ、もしくは受信状態がＮＡＣＫであるアップリンクサブフレームの量が前記第１の事前設定された閾値と等しい場合、前記ＣＷＳを増加させること、もしくは減少させること、または
前記参照サブフレームにおいて、すべてのアップリンクサブフレームの量における受信状態がＮＡＣＫであるアップリンクサブフレームの量のパーセンテージが第２の事前設定された閾値より大きい場合、前記ＣＷＳを増加させ、すべてのアップリンクサブフレームの量における受信状態がＮＡＣＫであるアップリンクサブフレームの量のパーセンテージが前記第２の事前設定された閾値未満である場合、前記ＣＷＳを減少させ、もしくはすべてのアップリンクサブフレームの量における受信状態がＮＡＣＫであるアップリンクサブフレームの量のパーセンテージが前記第２の事前設定された閾値と等しい場合、前記ＣＷＳを増加させる、もしくは減少させること
を行うようにさらに構成される請求項３１乃至３８のいずれか一項に記載の装置。
【請求項４１】
前記決定ユニットは、
前記ＵＥの第３のアップリンクバーストのＣＷＳを、前記第２のアップリンクバーストの前記ＣＷＳが決定されるより前に前記参照サブフレームに従って決定すること、
前記第２のアップリンクバーストの前記ＣＷＳが前記第３のアップリンクバーストの前記ＣＷＳと等しいことを決定すること
を行うようにさらに構成され、
前記第１のアップリンクバースト、前記第２のアップリンクバースト、および前記第３のアップリンクバーストは、時間的に不連続であり、前記第３のアップリンクバーストは、前記第１のアップリンクバーストと前記第２のアップリンクバーストとの間にあり、かつ前記第３のアップリンクバーストは、少なくとも１つのアップリンクサブフレームを備える請求項３１乃至４０のいずれか一項に記載の装置。
【請求項４２】
コンテンションウィンドウ情報を決定するための装置であって、
第２のアップリンクバーストにおける少なくとも１つのアップリンクサブフレームをスケジューリングするために基地局によって送信される少なくとも１つの制御シグナリングを受信するように構成された受信ユニットであって、前記少なくとも１つの制御シグナリングのそれぞれは、コンテンションウィンドウ情報、前記コンテンションウィンドウ情報に基づいて生成されたクリアチャネルアセスメントＣＣＡバックオフカウンタ初期値、またはハイブリッド自動再送要求ＨＡＲＱインジケーションを備え、前記コンテンションウィンドウ情報は、コンテンションウィンドウサイズＣＷＳ、コンテンションウィンドウ時間、またはＣＷＳ調整をトリガするよう装置に命令するシグナリングを備える、受信ユニットと、
前記第２のアップリンクバーストのＣＣＡバックオフカウンタ初期値を、前記少なくとも１つの制御シグナリングに従って決定するように構成された決定ユニットと、
前記第２のアップリンクバーストに関するＣＣＡを、前記第２のアップリンクバーストの前記ＣＣＡバックオフカウンタ初期値に従って実行するように構成された処理ユニットと
を備える装置。
【請求項４３】
前記決定ユニットは、
前記第２のアップリンクバーストの第１のアップリンクサブフレームのＣＣＡバックオフカウンタ初期値を、前記第２のアップリンクバーストに最も近く、かつ前記第２のアップリンクバーストより前の制御シグナリングに備えられたコンテンションウィンドウ情報、もしくは前記コンテンションウィンドウ情報に基づいて生成されたＣＣＡバックオフカウンタ初期値に従って決定すること、または
前記第２のアップリンクバーストの第１のアップリンクサブフレームのＣＣＡバックオフカウンタ初期値を、前記第２のアップリンクバーストにおける前記第１のアップリンクサブフレームの制御シグナリングに備えられたコンテンションウィンドウ情報、もしくは前記コンテンションウィンドウ情報に基づいて生成されたＣＣＡバックオフカウンタ初期値に従って決定すること
を行うようにさらに構成される請求項４２に記載の装置。
【請求項４４】
前記決定ユニットは、
前記第２のアップリンクバーストのＣＷＳを、参照サブフレームにおける少なくとも１つのアップリンクサブフレームに関する前記少なくとも１つの制御シグナリングにおけるＨＡＲＱインジケーションに従って決定すること、
前記第２のアップリンクバーストの前記ＣＣＡバックオフカウンタ初期値を、前記第２のアップリンクバーストの前記ＣＷＳに従って決定すること
を行うようにさらに構成される、装置であって、
前記参照サブフレームは、前記装置の少なくとも１つの第１のアップリンクバーストにおける少なくとも１つのアップリンクサブフレームを備え、前記第１のアップリンクバーストは、前記第２のアップリンクバーストより前であり、前記第２のアップリンクバーストと前記第１のアップリンクバーストは、時間的に不連続であり、前記第１のアップリンクバーストは、少なくとも１つのアップリンクサブフレームを備え、かつ前記第２のアップリンクバーストは、少なくとも１つのアップリンクサブフレームを備える請求項４２に記載の装置。
【請求項４５】
前記第１のアップリンクバーストは、各アップリンクサブフレームが前記装置によって送信され、かつ前記基地局によってスケジューリングされる第１のアップリンクバーストである請求項４４に記載の装置。
【請求項４６】
前記第１のアップリンクバーストは、各アップリンクサブフレームが前記装置によって送信される第１のアップリンクバーストである請求項４４に記載の装置。
【請求項４７】
前記参照サブフレームは、前記第１のアップリンクバーストにおいて前記装置によって送信される少なくとも１つのアップリンクサブフレームである請求項４４または４５に記載の装置。
【請求項４８】
前記参照サブフレームは、受信状態が前記第１のアップリンクバーストにおいて前記装置によって獲得される少なくとも１つのアップリンクサブフレームである請求項４４乃至４７のいずれか一項に記載の装置。
【請求項４９】
前記参照サブフレームは、前記第２のアップリンクバーストに関して前記基地局によって送信される前記制御シグナリングが受信されるより前の前記制御シグナリングに最も近い少なくとも１つの第１のアップリンクバーストのそれぞれにおける少なくとも１つのアップリンクサブフレームである請求項４４乃至４８のいずれか一項に記載の装置。
【請求項５０】
前記参照サブフレームは、事前定義された時間ウィンドウ内の前記制御シグナリングに最も近く、かつ前記第２のアップリンクバーストに関して前記基地局によって送信される前記制御シグナリングが受信されるより前の前記少なくとも１つの第１のアップリンクバーストのそれぞれにおける少なくとも１つのアップリンクサブフレームであり、前記時間ウィンドウの終了時点は、前記基地局が前記制御シグナリングを前記装置に送信する開始時点である、または
前記参照サブフレームは、前記第１のアップリンクバーストのＣＷＳが変化する開始時点と前記制御シグナリングが送信される時点との間の、かつ前記第２のアップリンクバーストに関して前記基地局によって送信される前記制御シグナリングが受信されるより前の前記制御シグナリングに最も近いすべての第１のアップリンクバーストのそれぞれにおける少なくとも１つのアップリンクサブフレームであり、ＣＷＳが変化する前記第１のアップリンクバーストは、ＣＷＳが変化し、かつ前記第２のアップリンクバーストに関して前記基地局によって送信される前記制御シグナリングが受信されるより前の前記制御シグナリングに最も近い第１のアップリンクバーストである請求項４９に記載の装置。
【請求項５１】
前記参照サブフレームは、前記装置が前記第２のアップリンクバーストを送信するより前の、前記第２のアップリンクバーストが送信される開始時点に最も近い少なくとも１つの第１のアップリンクバーストのそれぞれにおける少なくとも１つのアップリンクサブフレームである請求項４４乃至４８のいずれか一項に記載の装置。
【請求項５２】
前記参照サブフレームは、事前定義された時間ウィンドウ内の、かつ前記装置が前記第２のアップリンクバーストを送信するより前の、前記第２のアップリンクバーストが送信される前記開始時点に最も近い前記少なくとも１つの第１のアップリンクバーストのそれぞれにおける少なくとも１つのアップリンクサブフレームであり、前記時間ウィンドウの終了時点は、前記ＵＥの前記第２のアップリンクバーストの開始時点である、または
前記参照サブフレームは、前記第１のアップリンクバーストのＣＷＳが変化する開始時点と前記第２のアップリンクバーストが送信される開始時点との間の、かつ前記ＵＥが前記第２のアップリンクバーストを送信するより前のすべての第１のアップリンクバーストのそれぞれにおける少なくとも１つのアップリンクサブフレームであり、ＣＷＳが変化する前記第１のアップリンクバーストは、前記ＵＥが前記第２のアップリンクバーストを送信するより前の、前記第２のアップリンクバーストの前記開始時点に最も近いＣＷＳが変化する第１のアップリンクバーストである請求項５１に記載の装置。
【請求項５３】
前記参照サブフレームは、事前定義された時点より前の、前記事前定義された時点に最も近い少なくとも１つの第１のアップリンクバーストのそれぞれにおける少なくとも１つのアップリンクサブフレームであり、かつ前記事前定義された時点は、前記第２のアップリンクバーストの開始時点より前である請求項４４乃至４８のいずれか一項に記載の装置。
【請求項５４】
前記参照サブフレームは、事前定義された時間ウィンドウ内の前記事前定義された時点に最も近い少なくとも１つの第１のアップリンクバーストのそれぞれにおける少なくとも１つのアップリンクサブフレームであり、かつ前記事前定義された時間ウィンドウの終了時点は、前記事前定義された時点である、または
前記参照サブフレームは、前記事前定義された時点より前の、前記第１のアップリンクバーストのＣＷＳが変化する開始時点と前記事前定義された時点との間のすべての第１のアップリンクバーストのそれぞれにおける少なくとも１つのアップリンクサブフレームであり、ＣＷＳが変化する前記第１のアップリンクバーストは、前記事前定義された時点より前の、前記事前定義された時点に最も近いＣＷＳが変化する第１のアップリンクバーストである請求項５３に記載の装置。
【請求項５５】
前記参照サブフレームは、前記少なくとも１つの第１のアップリンクバーストのそれぞれにおけるすべてのアップリンクサブフレーム、第１のアップリンクサブフレーム、または最後のアップリンクサブフレームである請求項４４乃至５４のいずれか一項に記載の装置。
【請求項５６】
前記決定ユニットは、
前記参照サブフレームにおける前記少なくとも１つのアップリンクサブフレームに関する前記ＨＡＲＱインジケーションが受信され、かつ少なくとも１つのＨＡＲＱインジケーションが再送インジケーションである場合、前記ＣＷＳを増加させること、
前記参照サブフレームにおける各アップリンクサブフレームに関してＨＡＲＱインジケーションが受信され、かつ各ＨＡＲＱインジケーションが初期伝送インジケーションである場合、前記ＣＷＳを減少させること、
前記参照サブフレームにおける各アップリンクサブフレームに関してＨＡＲＱインジケーションが受信されないが、前記参照サブフレームにおける前記少なくとも１つのアップリンクサブフレームに関して前記ＨＡＲＱインジケーションが受信され、かつ各ＨＡＲＱインジケーションが初期伝送インジケーションである場合、前記ＣＷＳを変化しないままに維持する、もしくはＣＷＳを減少させること、または
前記参照サブフレームにおける前記少なくとも１つのアップリンクサブフレームに関して前記ＨＡＲＱインジケーションが受信されない場合、前記ＣＷＳを変化しないままに維持する、もしくは前記ＣＷＳを減少させること
を行うようにさらに構成される請求項４４乃至５５のいずれか一項に記載の装置。
【請求項５７】
前記決定ユニットは、
前記参照サブフレームにおける前記少なくとも１つのアップリンクサブフレームに関して前記ＨＡＲＱインジケーションが受信され、かつＨＡＲＱインジケーションが再送であるアップリンクサブフレームの量が第１の事前設定された閾値より大きい、もしくは第１の事前設定された閾値と等しい場合、前記ＣＷＳを増加させること、
前記参照サブフレームにおける前記少なくとも１つのアップリンクサブフレームに関して前記ＨＡＲＱインジケーションが受信され、かつ前記参照サブフレームにおけるすべてのアップリンクサブフレームの量におけるＨＡＲＱインジケーションが再送であるアップリンクサブフレームの量のパーセンテージが第２の事前設定された閾値より大きい、もしくは第２の事前設定された閾値と等しい場合、前記ＣＷＳを増加させること、
前記参照サブフレームにおける前記少なくとも１つのアップリンクサブフレームに関して前記ＨＡＲＱインジケーションが受信され、かつＨＡＲＱインジケーションが初期伝送であるアップリンクサブフレームの量が第３の事前設定された閾値より大きい、もしくは第３の事前設定された閾値と等しい場合、前記ＣＷＳを減少させること、
前記参照サブフレームにおける前記少なくとも１つのアップリンクサブフレームに関して前記ＨＡＲＱインジケーションが受信され、かつ前記参照サブフレームにおけるすべてのアップリンクサブフレームの量におけるＨＡＲＱインジケーションが初期伝送であるアップリンクサブフレームの量のパーセンテージが第４の事前設定された閾値より大きい、もしくは第４の事前設定された閾値と等しい場合、前記ＣＷＳを減少させること、または
前記参照サブフレームにおける前記少なくとも１つのアップリンクサブフレームに関して前記ＨＡＲＱインジケーションが受信されない場合、前記ＣＷＳを変化しないままに維持する、もしくは前記ＣＷＳを減少させること
を行うようにさらに構成される請求項４４乃至５５のいずれか一項に記載の装置。
【請求項５８】
前記決定ユニットは、
前記ＵＥの第３のアップリンクバーストのＣＷＳを、前記第２のアップリンクバーストの前記ＣＷＳが決定されるより前に前記参照サブフレームに従って決定すること、および
前記第２のアップリンクバーストの前記ＣＷＳが前記第３のアップリンクバーストの前記ＣＷＳと等しいことを決定すること
を行うようにさらに構成される装置であって、
前記第１のアップリンクバースト、前記第２のアップリンクバースト、および前記第３のアップリンクバーストは、時間的に不連続であり、前記第３のアップリンクバーストは、前記第１のアップリンクバーストと前記第２のアップリンクバーストとの間にあり、かつ前記第３のアップリンクバーストは、少なくとも１つのアップリンクサブフレームを備える請求項４４乃至５７のいずれか一項に記載の装置。
【請求項５９】
前記第３のアップリンクバーストにおける前記少なくとも１つのアップリンクサブフレームと前記第２のアップリンクバーストにおける第１のアップリンクサブフレームとの間の時間間隔は、第１の事前設定された持続時間未満である請求項５８に記載の装置。
【請求項６０】
前記ＵＥがアップリンクグラント、ＵＬグラントを受信する時点は、前記第３のアップリンクバーストにおける前記少なくとも１つのアップリンクサブフレームより早い、または
前記ＵＥがＵＬグラントを受信する時点は、前記第３のアップリンクバーストにおける前記少なくとも１つのアップリンクサブフレームより早くはなく、かつ前記第３のアップリンクバーストにおける前記少なくとも１つのアップリンクサブフレームと前記ＵＥが前記ＵＬグラントを受信する前記時点との間の時間間隔は、第２の事前設定された持続時間未満である装置であって、
前記ＵＬグラントは、前記第２のアップリンクバーストより前の、前記第２のアップリンクバーストに最も近く、かつ前記ＵＥによって受信されるＵＬグラントである請求項５８に記載の装置。
【発明の詳細な説明】
【技術分野】
【０００１】
本発明は、通信分野に関し、詳細には、通信分野におけるコンテンションウィンドウ情報を決定するための方法および装置に関する。
【背景技術】
【０００２】
ロングタームエボリューションを使用するライセンストアシステッドアクセス（Ｌｉｃｅｎｓｅｄ−Ａｓｓｉｓｔｅｄ  Ａｃｃｅｓｓ  ｕｓｉｎｇ  Ｌｏｎｇ  Ｔｅｒｍ  Ｅｖｏｌｕｔｉｏｎ、略して「ＬＡＡ−ＬＴＥ」）システムにおいて、利用可能なスペクトルは、キャリアアグリゲーション（Ｃａｒｒｉｅｒ  Ａｇｇｒｅｇａｔｉｏｎ、略して「ＣＡ」）技術を使用することによって５ＧＨｚアンライセンス周波数帯域に拡張されてよく、次に、ライセンススペクトルがシームレスなカバレッジを実装するのに、かつ高い遅延要件を有するいくつかのサービスを搬送するのに使用され、アンライセンススペクトルがいくつかのデータサービスを搬送するのに使用される。
【０００３】
アンライセンススペクトルは、ライセンススペクトルに優る低い費用および豊富な帯域幅などの利点を有する。しかし、Ｗｉ−Ｆｉによって代表される８０２．１１システムなどの別の無線通信システムが、同一のアンライセンスキャリア上で動作することがある。Ｗｉ−ＦｉデバイスとＬＡＡデバイスは、それらが同一のオペレータによって構成され得ないため、一緒に計画され、展開されることができない。さらに、これらの送信ノードは、地理的によく孤立させられ得ない。その結果、これらの送信ノード間の無線信号干渉は、同一のオペレータの異なるデバイス間の干渉と比べてより深刻である。
【０００４】
アンライセンススペクトルにおけるＷｉ−Ｆｉシステムなどの別のシステムとの友好的な共存を実装するのに、ＬＡＡシステムは、リッスンビフォアトーク（Ｌｉｓｔｅｎ−Ｂｅｆｏｒｅ−Ｔａｌｋ、略して「ＬＢＴ」）チャネルアクセス機構を使用して、クリアチャネルアセスメント（Ｃｌｅａｒ  Ｃｈａｎｎｅｌ  Ａｓｓｅｓｓｍｅｎｔ、略して「ＣＣＡ」）を通じて通信チャネルを検出してよい。通信チャネルがアイドルである場合、無線通信デバイスは、通信チャネルを占有して情報を送信してよい。通信チャネルがビジーである場合、無線通信デバイスは、他の無線通信デバイスが通信チャネルを占有することを停止するまで通信チャネルを占有しない。
【０００５】
ＬＡＡにおけるＷｉ−Ｆｉシステムおよびダウンリンク伝送において、ランダムなバックオフに基づく感知機構が使用される。データを送信するより前に毎回、送信ノードは最初に、１とｐとの間のランダムな整数Ｍを生成し、整数ｐは、コンテンションウィンドウサイズ（Ｃｏｎｔｅｎｔｉｏｎ  Ｗｉｎｄｏｗ  Ｓｉｚｅ、略して「ＣＷＳ」）であり、次に、感知タイムスロットを粒度として使用することによってチャネル感知を継続的に実行する。現在の感知タイムスロットにおいてチャネルがアイドルであることを検出した場合、送信ノードは、Ｍを１だけ減少させ、Ｍは、０まで減少させられ、送信ノードは、信号を即時に送信する。さらに、送信ノードは、ＣＷＳを、感知することより前に受信されたＡＣＫ／ＮＡＣＫ情報に従って動的に調整し、ネットワーク輻輳が比較的深刻である場合、ＣＷＳを増加させて、異なる送信ノードがバックオフして、情報を同時に送信する場合に衝突によってもたらされる比較的深刻な干渉の事例を軽減することができる。
【０００６】
アンライセンススペクトルにおける公平なリソース共有、および効果的な干渉除去を実装するのに、ランダムなバックオフおよび動的に調整されるＣＷＳに基づく感知機構が、ＬＡＡアップリンク伝送においても使用されてよい。しかし、適切なＬＡＡアップリンクＣＷＳ調整ソリューションをどのように設計すべきかは、緊急に解決されるべき問題である。
【発明の概要】
【０００７】
本発明の実施形態が、コンテンションウィンドウ情報を決定して、ユーザ機器（Ｕｓｅｒ  Ｅｑｕｉｐｍｅｎｔ、略して「ＵＥ」）が適切なコンテンションウィンドウ情報を獲得することを可能にするように、かつランダムなバックオフに基づくチャネル感知を通じて公平なチャネルアクセスを実装するようにするための方法および装置を提供する。
【０００８】
第１の態様によれば、本発明の実施形態が、コンテンションウィンドウ情報を決定するための方法を提供する。方法は、
ユーザ機器ＵＥの第２のアップリンクバーストのコンテンションウィンドウ情報を、参照サブフレームの受信状態に従って決定するステップであって、コンテンションウィンドウ情報は、コンテンションウィンドウサイズＣＷＳ、コンテンションウィンドウ時間、またはＣＷＳ調整をトリガするようＵＥに命令するシグナリングを含む、ステップと、
第２のアップリンクバーストにおける少なくとも１つのアップリンクサブフレームをスケジューリングするための少なくとも１つの制御シグナリングを生成するステップであって、少なくとも１つの制御シグナリングのそれぞれは、コンテンションウィンドウ情報、またはコンテンションウィンドウ情報に基づいて生成されたクリアチャネルアセスメント（Ｃｌｅａｒ  Ｃｈａｎｎｅｌ  Ａｓｓｅｓｓｍｅｎｔ、略して「ＣＣＡ」）バックオフカウンタ初期値を含む、ステップと、
少なくとも１つの制御シグナリングをＵＥに送信するステップとを含む。
【０００９】
参照サブフレームは、ＵＥの少なくとも１つの第１のアップリンクバーストにおける少なくとも１つのアップリンクサブフレームを含み、第１のアップリンクバーストは、第２のアップリンクバーストより前であり、第２のアップリンクバーストと第１のアップリンクバーストは、時間的に不連続であり、第１のアップリンクバーストは、少なくとも１つのアップリンクサブフレームを含み、かつ第２のアップリンクバーストは、少なくとも１つのアップリンクサブフレームを含む。
【００１０】
したがって、本発明のこの実施形態におけるコンテンションウィンドウ情報を決定するための方法により、基地局は、参照サブフレームの受信状態を使用することによってＵＥの第２のアップリンクバーストのコンテンションウィンドウ情報を決定することができ、したがって、ＵＥは、適切なコンテンションウィンドウ情報を獲得することができ、かつ公平なチャネルアクセスが、ランダムなバックオフに基づくチャネル感知を通じて実装されることができる。
【００１１】
任意選択で、第１のアップリンクバーストは、各アップリンクサブフレームがＵＥによって送信され、かつ基地局によってスケジューリングされる第１のアップリンクバーストである。
【００１２】
任意選択で、第１のアップリンクバーストは、各アップリンクサブフレームがＵＥによって送信され、かつ基地局によって検出される第１のアップリンクバーストである。
【００１３】
任意選択で、参照サブフレームは、ＵＥによって送信され、かつ第１のアップリンクバーストにおいて基地局によって検出される少なくとも１つのアップリンクサブフレームである。
【００１４】
任意選択で、参照サブフレームは、受信状態が第１のアップリンクバーストにおいて基地局によって検出されている少なくとも１つのアップリンクサブフレームである。
【００１５】
任意選択で、参照サブフレームは、制御シグナリングがＵＥに送信されるより前の制御シグナリングに最も近い少なくとも１つの第１のアップリンクバーストのそれぞれにおける少なくとも１つのアップリンクサブフレームである。
【００１６】
任意選択で、参照サブフレームは、事前定義された時間ウィンドウ内の、かつ制御シグナリングがＵＥに送信されるより前の制御シグナリングに最も近い少なくとも１つの第１のアップリンクバーストのそれぞれにおける少なくとも１つのアップリンクサブフレームであり、時間ウィンドウの終了時点は、制御シグナリングがＵＥに送信される開始時点である。
【００１７】
あるいは、参照サブフレームは、第１のアップリンクバーストのＣＷＳが変化する開始時点と制御シグナリングが送信される時点との間の、かつ制御シグナリングがＵＥに送信されるより前のすべての第１のアップリンクバーストのそれぞれにおける少なくとも１つのアップリンクサブフレームであり、ＣＷＳが変化する第１のアップリンクバーストは、ＣＷＳが変化し、かつ制御シグナリングに最も近い第１のアップリンクバーストである。
【００１８】
任意選択で、参照サブフレームは、少なくとも１つの第１のアップリンクバーストのそれぞれにおけるすべてのアップリンクサブフレーム、第１のアップリンクサブフレーム、または最後のアップリンクサブフレームである。
【００１９】
任意選択で、ユーザ機器ＵＥの第２のアップリンクバーストのコンテンションウィンドウ情報を決定するステップは、
参照サブフレームにおける少なくとも１つのアップリンクサブフレームの受信状態がＮＡＣＫである場合、ＣＷＳを増加させ、そうでない場合、ＣＷＳを減少させるステップ、または
参照サブフレームにおける各アップリンクサブフレームの受信状態がＮＡＣＫである場合、ＣＷＳを増加させ、そうでない場合、ＣＷＳを減少させるステップを含む。
【００２０】
任意選択で、ＵＥの第２のアップリンクバーストのコンテンションウィンドウ情報を決定するステップは、
参照サブフレームにおいて、受信状態がＮＡＣＫであるアップリンクサブフレームの量が第１の事前設定された閾値より大きい場合、ＣＷＳを増加させ、受信状態がＮＡＣＫであるアップリンクサブフレームの量が第１の事前設定された閾値未満である場合、ＣＷＳを減少させ、もしくは受信状態がＮＡＣＫであるアップリンクサブフレームの量が第１の事前設定された閾値と等しい場合、ＣＷＳを増加させるステップ、もしくは減少させるステップ、または
参照サブフレームにおいて、すべてのアップリンクサブフレームの量における受信状態がＮＡＣＫであるアップリンクサブフレームの量のパーセンテージが第２の事前設定された閾値より大きい場合、ＣＷＳを増加させ、すべてのアップリンクサブフレームの量における受信状態がＮＡＣＫであるアップリンクサブフレームの量のパーセンテージが第２の事前設定された閾値未満である場合、ＣＷＳを減少させ、もしくはすべてのアップリンクサブフレームの量における受信状態がＮＡＣＫであるアップリンクサブフレームの量のパーセンテージが第２の事前設定された閾値と等しい場合、ＣＷＳを増加させる、もしくは減少させるステップをさらに含む。
【００２１】
第１の事前設定された閾値および／または第２の事前設定された閾値は、プロトコルにおいて事前定義されてよい。このようにして、ＣＷＳの調整は、複雑な計算処理を必要とすることなしに事前定義された第１の事前設定された閾値または第２の事前設定された閾値との値関係に基づいて決定されてよく、したがって、計算費用が低減され、かつ効率が向上させられることができる。
【００２２】
任意選択で、方法は、
ＵＥの第３のアップリンクバーストのＣＷＳを、第２のアップリンクバーストのＣＷＳが決定されるより前に参照サブフレームに従って決定するステップと、
第２のアップリンクバーストのＣＷＳが第３のアップリンクバーストのＣＷＳと等しいことを決定するステップとをさらに含む。
【００２３】
第１のアップリンクバースト、第２のアップリンクバースト、および第３のアップリンクバーストは、時間的に不連続であり、第３のアップリンクバーストは、第１のアップリンクバーストと第２のアップリンクバーストとの間にあり、かつ第３のアップリンクバーストは、少なくとも１つのアップリンクサブフレームを含む。
【００２４】
第２の態様によれば、本発明の実施形態が、コンテンションウィンドウ情報を決定するための方法を提供する。方法は、
第２のアップリンクバーストにおける少なくとも１つのアップリンクサブフレームをスケジューリングするために基地局によって送信される少なくとも１つの制御シグナリングを受信するステップであって、少なくとも１つの制御シグナリングのそれぞれは、コンテンションウィンドウ情報、コンテンションウィンドウ情報に基づいて生成されたクリアチャネルアセスメントＣＣＡバックオフカウンタ初期値、またはハイブリッド自動再送要求（Ｈｙｂｒｉｄ  Ａｕｔｏｍａｔｉｃ  Ｒｅｐｅａｔ  ｒｅＱｕｅｓｔ、略して「ＨＡＲＱ」）インジケーションを含み、コンテンションウィンドウ情報は、コンテンションウィンドウサイズＣＷＳ、コンテンションウィンドウ時間、またはＣＷＳ調整をトリガするようユーザ機器ＵＥに命令するシグナリングを含む、ステップと、
第２のアップリンクバーストのＣＣＡバックオフカウンタ初期値を、少なくとも１つの制御シグナリングに従って決定するステップと、
第２のアップリンクバーストに関するＣＣＡを、第２のアップリンクバーストのＣＣＡバックオフカウンタ初期値に従って実行するステップとを含む。
【００２５】
任意選択で、第２のアップリンクバーストのＣＣＡバックオフカウンタ初期値を決定するステップは、
第２のアップリンクバーストの第１のアップリンクサブフレームのＣＣＡバックオフカウンタ初期値を、第２のアップリンクバーストに最も近く、かつ第２のアップリンクバーストより前の制御シグナリングに含められたコンテンションウィンドウ情報、もしくはコンテンションウィンドウ情報に基づいて生成されたＣＣＡバックオフカウンタ初期値に従って決定するステップ、または
第２のアップリンクバーストの第１のアップリンクサブフレームのＣＣＡバックオフカウンタ初期値を、第２のアップリンクバーストにおける第１のアップリンクサブフレームの制御シグナリングに含められたコンテンションウィンドウ情報、もしくはコンテンションウィンドウ情報に基づいて生成されたＣＣＡバックオフカウンタ初期値に従って決定するステップを含む。
【００２６】
任意選択で、第２のアップリンクバーストのＣＣＡバックオフカウンタ初期値を決定するステップは、
第２のアップリンクバーストのＣＷＳを、参照サブフレームにおける少なくとも１つのアップリンクサブフレームに関する少なくとも１つの制御シグナリングにおけるＨＡＲＱインジケーションに従って決定するステップと、
第２のアップリンクバーストのＣＣＡバックオフカウンタ初期値を、第２のアップリンクバーストのＣＷＳに従って決定するステップとをさらに含む。
【００２７】
参照サブフレームは、ＵＥの少なくとも１つの第１のアップリンクバーストにおける少なくとも１つのアップリンクサブフレームを含み、第１のアップリンクバーストは、第２のアップリンクバーストより前であり、第２のアップリンクバーストと第１のアップリンクバーストは、時間的に不連続であり、第１のアップリンクバーストは、少なくとも１つのアップリンクサブフレームを含み、かつ第２のアップリンクバーストは、少なくとも１つのアップリンクサブフレームを含む。
【００２８】
任意選択で、第１のアップリンクバーストは、各アップリンクサブフレームがＵＥによって送信され、かつ基地局によってスケジューリングされる第１のアップリンクバーストである。
【００２９】
任意選択で、第１のアップリンクバーストは、各アップリンクサブフレームがＵＥによって送信される第１のアップリンクバーストである。
【００３０】
任意選択で、参照サブフレームは、第１のアップリンクバーストにおいてＵＥによって送信される少なくとも１つのアップリンクサブフレームである。
【００３１】
任意選択で、参照サブフレームは、受信状態が第１のアップリンクバーストにおいてＵＥによって獲得される少なくとも１つのアップリンクサブフレームである。
【００３２】
任意選択で、参照サブフレームは、第２のアップリンクバーストに関して基地局によって送信される制御シグナリングが受信されるより前の制御シグナリングに最も近い少なくとも１つの第１のアップリンクバーストのそれぞれにおける少なくとも１つのアップリンクサブフレームである。
【００３３】
任意選択で、参照サブフレームは、事前定義された時間ウィンドウ内の制御シグナリングに最も近く、かつ第２のアップリンクバーストに関して基地局によって送信される制御シグナリングが受信されるより前の少なくとも１つの第１のアップリンクバーストのそれぞれにおける少なくとも１つのアップリンクサブフレームであり、時間ウィンドウの終了時点は、基地局が制御シグナリングをＵＥに送信する開始時点である。
【００３４】
あるいは、参照サブフレームは、第１のアップリンクバーストのＣＷＳが変化する開始時点と制御シグナリングが送信される時点との間の、かつ第２のアップリンクバーストに関して基地局によって送信される制御シグナリングが受信されるより前の制御シグナリングに最も近いすべての第１のアップリンクバーストのそれぞれにおける少なくとも１つのアップリンクサブフレームであり、ＣＷＳが変化する第１のアップリンクバーストは、ＣＷＳが変化し、かつ第２のアップリンクバーストに関して基地局によって送信される制御シグナリングが受信されるより前の制御シグナリングに最も近い第１のアップリンクバーストである。
【００３５】
任意選択で、参照サブフレームは、ＵＥが第２のアップリンクバーストを送信するより前の、第２のアップリンクバーストが送信される開始時点に最も近い少なくとも１つの第１のアップリンクバーストのそれぞれにおける少なくとも１つのアップリンクサブフレームである。
【００３６】
任意選択で、参照サブフレームは、事前定義された時間ウィンドウ内の、かつＵＥが第２のアップリンクバーストを送信するより前の、第２のアップリンクバーストが送信される開始時点に最も近い少なくとも１つの第１のアップリンクバーストのそれぞれにおける少なくとも１つのアップリンクサブフレームであり、時間ウィンドウの終了時点は、ＵＥの第２のアップリンクバーストの開始時点である。
【００３７】
あるいは、参照サブフレームは、第１のアップリンクバーストのＣＷＳが変化する開始時点と第２のアップリンクバーストが送信される開始時点との間の、かつＵＥが第２のアップリンクバーストを送信するより前のすべての第１のアップリンクバーストのそれぞれにおける少なくとも１つのアップリンクサブフレームであり、ＣＷＳが変化する第１のアップリンクバーストは、ＵＥが第２のアップリンクバーストを送信するより前の、第２のアップリンクバーストの開始時点に最も近いＣＷＳが変化する第１のアップリンクバーストである。
【００３８】
任意選択で、参照サブフレームは、事前定義された時点より前の、事前定義された時点に最も近い少なくとも１つの第１のアップリンクバーストのそれぞれにおける少なくとも１つのアップリンクサブフレームであり、かつ事前定義された時点は、第２のアップリンクバーストの開始時点より前である。
【００３９】
任意選択で、参照サブフレームは、事前定義された時間ウィンドウ内の事前定義された時点に最も近い少なくとも１つの第１のアップリンクバーストのそれぞれにおける少なくとも１つのアップリンクサブフレームであり、かつ事前定義された時間ウィンドウの終了時点は、事前定義された時点である。
【００４０】
あるいは、参照サブフレームは、事前定義された時点より前の、第１のアップリンクバーストのＣＷＳが変化する開始時点と事前定義された時点との間のすべての第１のアップリンクバーストのそれぞれにおける少なくとも１つのアップリンクサブフレームであり、ＣＷＳが変化する第１のアップリンクバーストは、事前定義された時点より前の、事前定義された時点に最も近いＣＷＳが変化する第１のアップリンクバーストである。
【００４１】
任意選択で、参照サブフレームは、少なくとも１つの第１のアップリンクバーストのそれぞれにおけるすべてのアップリンクサブフレーム、第１のアップリンクサブフレーム、または最後のアップリンクサブフレームである。
【００４２】
任意選択で、第２のアップリンクバーストのＣＷＳを決定するステップは、
参照サブフレームにおける少なくとも１つのアップリンクサブフレームに関してＨＡＲＱインジケーションが受信され、かつ少なくとも１つのＨＡＲＱインジケーションが再送インジケーションである場合、ＣＷＳを増加させるステップ、
参照サブフレームにおける各アップリンクサブフレームに関してＨＡＲＱインジケーションが受信され、かつ各ＨＡＲＱインジケーションが初期伝送インジケーションである場合、ＣＷＳを減少させるステップ、
参照サブフレームにおける各アップリンクサブフレームに関してＨＡＲＱインジケーションが受信されないが、参照サブフレームにおける少なくとも１つのアップリンクサブフレームに関してＨＡＲＱインジケーションが受信され、かつ各ＨＡＲＱインジケーションが初期伝送インジケーションである場合、ＣＷＳを変化しないままに維持する、もしくはＣＷＳを減少させるステップ、または
参照サブフレームにおける少なくとも１つのアップリンクサブフレームに関してＨＡＲＱインジケーションが受信されない場合、ＣＷＳを変化しないままに維持する、もしくはＣＷＳを減少させるステップを含む。
【００４３】
任意選択で、第２のアップリンクバーストのＣＷＳを決定するステップは、
参照サブフレームにおける少なくとも１つのアップリンクサブフレームに関してＨＡＲＱインジケーションが受信され、かつＨＡＲＱインジケーションが再送であるアップリンクサブフレームの量が第１の事前設定された閾値より大きい、もしくはそれと等しい場合、ＣＷＳを増加させるステップ、
参照サブフレームにおける少なくとも１つのアップリンクサブフレームに関してＨＡＲＱインジケーションが受信され、かつ参照サブフレームにおけるすべてのアップリンクサブフレームの量におけるＨＡＲＱインジケーションが再送であるアップリンクサブフレームの量のパーセンテージが第２の事前設定された閾値より大きい、もしくはそれと等しい場合、ＣＷＳを増加させるステップ、
参照サブフレームにおける少なくとも１つのアップリンクサブフレームに関してＨＡＲＱインジケーションが受信され、かつＨＡＲＱインジケーションが初期伝送であるアップリンクサブフレームの量が第３の事前設定された閾値より大きい、もしくはそれと等しい場合、ＣＷＳを減少させるステップ、
参照サブフレームにおける少なくとも１つのアップリンクサブフレームに関してＨＡＲＱインジケーションが受信され、かつ参照サブフレームにおけるすべてのアップリンクサブフレームの量におけるＨＡＲＱインジケーションが初期伝送であるアップリンクサブフレームの量のパーセンテージが第４の事前設定された閾値より大きい、もしくはそれと等しい場合、ＣＷＳを減少させるステップ、または
参照サブフレームにおける少なくとも１つのアップリンクサブフレームに関してＨＡＲＱインジケーションが受信されない場合、ＣＷＳを変化しないままに維持する、もしくはＣＷＳを減少させるステップをさらに含む。
【００４４】
任意選択で、方法は、ＵＥの第３のアップリンクバーストのＣＷＳを、第２のアップリンクバーストのＣＷＳが決定されるより前に参照サブフレームに従って決定するステップと、
第２のアップリンクバーストのＣＷＳが第３のアップリンクバーストのＣＷＳと等しいことを決定するステップとをさらに含む。
【００４５】
第１のアップリンクバースト、第２のアップリンクバースト、および第３のアップリンクバーストは、時間的に不連続であり、第３のアップリンクバーストは、第１のアップリンクバーストと第２のアップリンクバーストとの間にあり、かつ第３のアップリンクバーストは、少なくとも１つのアップリンクサブフレームを含む。
【００４６】
任意選択で、第３のアップリンクバーストにおける少なくとも１つのアップリンクサブフレームと第２のアップリンクバーストにおける第１のアップリンクサブフレームとの間の時間間隔は、第１の事前設定された持続時間未満である。
【００４７】
任意選択で、ＵＥがアップリンクグラントＵＬグラントを受信する時点は、第３のアップリンクバーストにおける少なくとも１つのアップリンクサブフレームより早い。
【００４８】
あるいは、ＵＥがＵＬグラントを受信する時点は、第３のアップリンクバーストにおける少なくとも１つのアップリンクサブフレームより早くはなく、かつ第３のアップリンクバーストにおける少なくとも１つのアップリンクサブフレームとＵＥがＵＬグラントを受信する時点との間の時間間隔は、第２の事前設定された持続時間未満である。
【００４９】
ＵＬグラントは、第２のアップリンクバーストより前の、第２のアップリンクバーストに最も近く、かつＵＥによって受信されるＵＬグラントである。
【００５０】
第３の態様によれば、コンテンションウィンドウ情報を決定するための装置であって、ユーザ機器ＵＥの第２のアップリンクバーストのコンテンションウィンドウ情報を、参照サブフレームの受信状態に従って決定するように構成された決定ユニットであって、コンテンションウィンドウ情報は、コンテンションウィンドウサイズＣＷＳ、コンテンションウィンドウ時間、またはＣＷＳ調整をトリガするようＵＥに命令するシグナリングを含む、決定ユニットと、
第２のアップリンクバーストにおける少なくとも１つのアップリンクサブフレームをスケジューリングするための少なくとも１つの制御シグナリングを生成するように構成された生成ユニットであって、少なくとも１つの制御シグナリングのそれぞれは、コンテンションウィンドウ情報、またはコンテンションウィンドウ情報に基づいて生成されたクリアチャネルアセスメントＣＣＡバックオフカウンタ初期値を含む、生成ユニットと、
少なくとも１つの制御シグナリングをＵＥに送信するように構成された送信ユニットとを含む装置が提供される。
【００５１】
参照サブフレームは、ＵＥの少なくとも１つの第１のアップリンクバーストにおける少なくとも１つのアップリンクサブフレームを含み、第１のアップリンクバーストは、第２のアップリンクバーストより前であり、第２のアップリンクバーストと第１のアップリンクバーストは、時間的に不連続であり、第１のアップリンクバーストは、少なくとも１つのアップリンクサブフレームを含み、かつ第２のアップリンクバーストは、少なくとも１つのアップリンクサブフレームを含む。
【００５２】
装置は、第１の態様、または第１の態様の任意の可能な実装形態によれば、コンテンションウィンドウ情報を決定するための方法を実行するように構成される。例えば、装置は、基地局であってよい。
【００５３】
第４の態様によれば、コンテンションウィンドウ情報を決定するための装置が提供される。装置は、ユーザ機器であり、装置は、第２のアップリンクバーストにおける少なくとも１つのアップリンクサブフレームをスケジューリングするために基地局によって送信される少なくとも１つの制御シグナリングを受信するように構成された受信ユニットであって、少なくとも１つの制御シグナリングのそれぞれは、コンテンションウィンドウ情報、コンテンションウィンドウ情報に基づいて生成されたクリアチャネルアセスメントＣＣＡバックオフカウンタ初期値、またはハイブリッド自動再送要求ＨＡＲＱインジケーションを含み、コンテンションウィンドウ情報は、コンテンションウィンドウサイズＣＷＳ、コンテンションウィンドウ時間、またはＣＷＳ調整をトリガするようユーザ機器ＵＥに命令するシグナリングを含む、受信ユニットと、
第２のアップリンクバーストのＣＣＡバックオフカウンタ初期値を、少なくとも１つの制御シグナリングに従って決定するように構成された決定ユニットと、
第２のアップリンクバーストに関するＣＣＡを、第２のアップリンクバーストのＣＣＡバックオフカウンタ初期値に従って実行するように構成された処理ユニットとを含む。
【００５４】
本発明は、第２の態様、または第２の態様の任意の可能な実装形態によるコンテンションウィンドウ情報を決定するための方法を実行するように構成される。例えば、装置は、ユーザ機器であってよい。
【００５５】
第５の態様によれば、コンテンションウィンドウ情報を決定するための装置が提供される。装置は、受信機と、送信機と、メモリと、プロセッサと、バスシステムとを含む。受信機、送信機、メモリ、およびプロセッサは、バスシステムを使用することによって互いに接続される。メモリは、命令を記憶するように構成される。プロセッサは、メモリに記憶された命令を実行するように構成されて、信号を受信するよう受信機を制御し、信号を送信するよう送信機を制御する。さらに、プロセッサが、メモリに記憶された命令を実行するとき、実行は、プロセッサに、第１の態様、または第１の態様の任意の可能な実装形態による方法を実行させる。
【００５６】
第６の態様によれば、コンテンションウィンドウ情報を決定するための装置が提供される。装置は、受信機と、送信機と、メモリと、プロセッサと、バスシステムとを含む。受信機、送信機、メモリ、およびプロセッサは、バスシステムを使用することによって互いに接続される。メモリは、命令を記憶するように構成される。プロセッサは、メモリに記憶された命令を実行するように構成されて、信号を受信するよう受信機を制御し、信号を送信するよう送信機を制御する。さらに、プロセッサが、メモリに記憶された命令を実行するとき、実行は、プロセッサに、第２の態様、または第２の態様の任意の可能な実装形態による方法を実行させる。
【００５７】
第７の態様によれば、コンピュータプログラムを記憶するように構成されたコンピュータ可読媒体が提供される。コンピュータプログラムは、第１の態様、または第１の態様の任意の可能な実装形態による方法を実行するための命令を含む。
【００５８】
第８の態様によれば、コンピュータプログラムを記憶するように構成されたコンピュータ可読媒体が提供される。コンピュータプログラムは、第２の態様、または第２の態様の任意の可能な実装形態による方法を実行するための命令を含む。
【００５９】
したがって、本発明のこの実施形態におけるコンテンションウィンドウ情報を決定するための方法および装置によれば、基地局は、参照サブフレームの受信状態を使用することによってＵＥの第２のアップリンクバーストのコンテンションウィンドウ情報を決定することができ、したがって、ＵＥは、適切なコンテンションウィンドウ情報を獲得することができ、かつ公平なチャネルアクセスが、ランダムなバックオフに基づくチャネル感知を通じて実装されることができる。
【図面の簡単な説明】
【００６０】
本発明の実施形態における技術的ソリューションをより明確に説明するのに、以下が、本発明の実施形態を説明するために要求される添付の図面を簡単に説明する。明らかに、以下の説明における添付の図面は、本発明のいくつかの実施形態を示すに過ぎず、当業者はそれでも、独創的な取組みなしにこれらの添付の図面から他の図面を導き出し得る。
【００６１】
【図１】本発明の実施形態によるアプリケーションシナリオを示す概略図である。
【図２】本発明の実施形態によるコンテンションウィンドウ情報を決定するための方法を示す概略フローチャートである。
【図３】本発明の実施形態によるコンテンションウィンドウサイズを決定するための方法を示す別の概略図である。
【図４（ａ）】本発明の実施形態によるコンテンションウィンドウサイズを決定するための方法を示す別の概略図である。
【図４（ｂ）】本発明の実施形態によるコンテンションウィンドウサイズを決定するための方法を示す別の概略図である。
【図５】本発明の実施形態によるコンテンションウィンドウサイズを決定するための方法を示す別の概略図である。
【図６（ａ）】本発明の実施形態によるコンテンションウィンドウサイズを決定するための方法を示す別の概略図である。
【図６（ｂ）】本発明の実施形態によるコンテンションウィンドウサイズを決定するための方法を示す別の概略図である。
【図６（ｃ）】本発明の実施形態によるコンテンションウィンドウサイズを決定するための方法を示す別の概略図である。
【図７（ａ）】本発明の実施形態によるコンテンションウィンドウサイズを決定するための方法を示す別の概略図である。
【図７（ｂ）】本発明の実施形態によるコンテンションウィンドウサイズを決定するための方法を示す別の概略図である。
【図７（ｃ）】本発明の実施形態によるコンテンションウィンドウサイズを決定するための方法を示す別の概略図である。
【図８（ａ）】本発明の実施形態によるコンテンションウィンドウサイズを決定するための方法を示すさらに別の概略図である。
【図８（ｂ）】本発明の実施形態によるコンテンションウィンドウサイズを決定するための方法を示すさらに別の概略図である。
【図８（ｃ）】本発明の実施形態によるコンテンションウィンドウサイズを決定するための方法を示すさらに別の概略図である。
【図８（ｄ）】本発明の実施形態によるコンテンションウィンドウサイズを決定するための方法を示すさらに別の概略図である。
【図９】本発明の実施形態による第１のアップリンクバーストを示す概略図である。
【図１０】本発明の実施形態による第１のアップリンクバーストを示す別の概略図である。
【図１１】本発明の実施形態によるアップリンクサブフレームの受信状態を示す概略図である。
【図１２】本発明の実施形態によるアップリンクサブフレームの受信検出における遅延を示す概略図である。
【図１３（ａ）】本発明の実施形態による参照サブフレームを示す概略図である。
【図１３（ｂ）】本発明の実施形態による参照サブフレームを示す概略図である。
【図１３（ｃ）】本発明の実施形態による参照サブフレームを示す概略図である。
【図１４（ａ）】本発明の実施形態による参照サブフレームを示す別の概略図である。
【図１４（ｂ）】本発明の実施形態による参照サブフレームを示す別の概略図である。
【図１４（ｃ）】本発明の実施形態による参照サブフレームを示す別の概略図である。
【図１５】本発明の実施形態による参照サブフレームを示す別の概略図である。
【図１６（ａ）】本発明の実施形態による参照サブフレームを示す別の概略図である。
【図１６（ｂ）】本発明の実施形態による参照サブフレームを示す別の概略図である。
【図１６（ｃ）】本発明の実施形態による参照サブフレームを示す別の概略図である。
【図１７（ａ）】本発明の実施形態による参照サブフレームを示す別の概略図である。
【図１７（ｂ）】本発明の実施形態による参照サブフレームを示す別の概略図である。
【図１７（ｃ）】本発明の実施形態による参照サブフレームを示す別の概略図である。
【図１８】本発明の実施形態による参照サブフレームを示すさらに別の概略図である。
【図１９】本発明の実施形態によるコンテンションウィンドウ情報を決定するための装置を示す概略ブロック図である。
【図２０】本発明の実施形態によるコンテンションウィンドウ情報を決定するための装置を示す別の概略ブロック図である。
【図２１】本発明の実施形態によるコンテンションウィンドウ情報を決定するための装置を示す別の概略ブロック図である。
【図２２】本発明の実施形態によるコンテンションウィンドウ情報を決定するための装置を示すさらに別の概略ブロック図である。
【図２３（ａ）】本発明の実施形態による参照サブフレームを示すさらに別の概略図である。
【図２３（ｂ）】本発明の実施形態による参照サブフレームを示すさらに別の概略図である。
【図２３（ｃ）】本発明の実施形態による参照サブフレームを示すさらに別の概略図である。
【発明を実施するための形態】
【００６２】
以下は、本発明の実施形態における添付の図面を参照して本発明の実施形態における技術的ソリューションを明確に、かつ完全に説明する。明らかに、説明される実施形態は、本発明の実施形態のすべてではなく、いくつかである。独創的な取組みなしに本発明の実施形態に基づいて当業者によって獲得される他のすべての実施形態は、本発明の保護範囲に入るべきものとする。
【００６３】
図１は、本発明の実施形態において適用される通信システム１００を示す。通信システム１００は、少なくとも１つのネットワークデバイス１１０を含んでよい。ネットワークデバイス１００は、端末デバイスと通信する、基地局または基地局コントローラなどのデバイスであってよい。各ネットワークデバイス１００は、指定された地理的区域に関する通信カバレッジを提供してよく、かつカバレッジ（セル）内に位置付けられた端末デバイス（例えば、ＵＥ）と通信してよい。ネットワークデバイス１００は、ＧＳＭシステムもしくは符号分割多元接続（Ｃｏｄｅ  Ｄｉｖｉｓｉｏｎ  Ｍｕｌｔｉｐｌｅ  Ａｃｃｅｓｓ、略して「ＣＤＭＡ」）システムにおける基地局トランシーバ（Ｂａｓｅ  Ｔｒａｎｓｃｅｉｖｅｒ  Ｓｔａｔｉｏｎ、略して「ＢＴＳ」）、またはＷＣＤＭＡシステムにおけるノードＢ（ＮｏｄｅＢ、略して「ＮＢ」）、またはＬＴＥシステムにおける進化型ノードＢ（Ｅｖｏｌｕｔｉｏｎａｌ  Ｎｏｄｅ  Ｂ、略して「ｅＮＢ」もしくは「ｅＮｏｄｅＢ」）、またはクラウド無線アクセスネットワーク（Ｃｌｏｕｄ  Ｒａｄｉｏ  Ａｃｃｅｓｓ  Ｎｅｔｗｏｒｋ、略して「ＣＲＡＮ」）におけるワイヤレスコントローラであってよく、またはネットワークデバイスは、将来の５Ｇネットワークにおける中継局、アクセスノード、車両内デバイス、ウェアラブルデバイス、ネットワーク側デバイス、もしくは将来の進化型公衆陸上モバイルネットワーク（Ｐｕｂｌｉｃ  Ｌａｎｄ  Ｍｏｂｉｌｅ  Ｎｅｔｗｏｒｋ、略して「ＰＬＭＮ」）におけるネットワークデバイス、もしくは類似したものであってよい。
【００６４】
本発明のこの実施形態において、通信システム１００は、セルラーモノのインターネット（Ｃｅｌｌｕｌａｒ  ＩｏＴ、略して「ＣＩｏＴ」）であってよい。ＣＩｏＴシステムは、既存のセルラーネットワークの基本アーキテクチャに基づく重要なマシンタイプ通信（Ｍａｃｈｉｎｅ  Ｔｙｐｅ  Ｃｏｍｍｕｎｉｃａｔｉｏｎ、略して「ＭＴＣ」）通信システムである。将来のモノのインターネットにおける通信の主なサービス範囲は、インテリジェントメータ読取り、医療検査および医療監視、ロジスティクス検出、工業検査および工業監視、自動車ネットワーキング、インテリジェントコミュニティ、ウェアラブルデバイス通信、および類似したものを含むことがある。ＭＴＣコミュニケーション構築についてのモノのインターネット産業は、コンピュータ、インターネット、およびモバイル通信ネットワークに続く情報産業の第４の波であると考えられており、ネットワークの将来の開発方向である。さらに、ＣＩｏＴシステムは、より大きいカバレッジ、接続のより大きい量、低い費用、ならびにネットワーク上、および端末デバイス上の低い電力消費という要件を有する。
【００６５】
無線通信システム１００は、ネットワークデバイス１１０のカバレッジ内に位置付けられた複数の端末デバイス１２０をさらに含む。端末デバイス１２０は、可動であっても、固定であってもよい。端末デバイス１２０は、アクセス端末、ユーザ機器（Ｕｓｅｒ  Ｅｑｕｉｐｍｅｎｔ、略して「ＵＥ」）、ユーザユニット、ユーザ局、モバイル局、モバイルコンソール、遠隔局、遠隔端末、モバイルデバイス、ユーザ端末、端末、無線通信デバイス、ユーザエージェント、またはユーザ装置を指すことがある。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、略して「ＳＩＰ」）電話、無線ローカルループ（Ｗｉｒｅｌｅｓｓ  Ｌｏｃａｌ  Ｌｏｏｐ、略して「ＷＬＬ」）局、携帯情報端末（Ｐｅｒｓｏｎａｌ  Ｄｉｇｉｔａｌ  Ａｓｓｉｓｔａｎｔ、略して「ＰＤＡ」）、無線通信機能を有するハンドヘルドデバイス、コンピューティングデバイス、無線モデムに接続された別の処理デバイス、車両内デバイス、ウェアラブルデバイス、将来の５Ｇネットワークにおける端末デバイス、将来の進化型公衆陸上モバイルネットワーク（Ｐｕｂｌｉｃ  Ｌａｎｄ  Ｍｏｂｉｌｅ  Ｎｅｔｗｏｒｋ、略して「ＰＬＭＮ」）における端末デバイス、もしくは類似したものであってよい。
【００６６】
図１は、１つのネットワークデバイスおよび２つの端末デバイスの例を示す。任意選択で、通信システム１００は、複数のネットワークデバイスを含んでよく、別の量の端末デバイスが各ネットワークデバイスのカバレッジ内に含められてよい。このことは、本発明のこの実施形態において限定されない。
【００６７】
任意選択で、無線通信システム１００は、ネットワークコントローラまたはモビリティ管理エンティティなどの別のネットワークエンティティをさらに含んでよい。このことは、本発明のこの実施形態において限定されない。
【００６８】
本発明のこの実施形態のアプリケーションシナリオは、アンライセンススペクトルにおけるＬＴＥシステムにおいてであってよい、例えば、ＬＡＡ−ＬＴＥシステムにおいてであってよいことを理解されたい。具体的には、送信ノードが、ＣＡ技術を使用することによって複数のキャリアをアグリゲーションしてよく、例えば、アンライセンスキャリアとライセンスキャリアをアグリゲーションしてよく、またはアンライセンスキャリアをアグリゲーションしてよい。
【００６９】
より具体的には、以下の３つのキャリア割振りシナリオが存在する。
【００７０】
１．ライセンススペクトルとアンライセンススペクトルが一緒に位置付けられたものとして展開される。具体的に言うと、ライセンススペクトルとアンライセンススペクトルが同一の送信ノードによってアグリゲーションされる。ノードは、ライセンスキャリアをＰＣＣに設定し、アンライセンスキャリアをＳＣＣに設定する。
【００７１】
２．ライセンススペクトルとアンライセンススペクトルが一緒に位置付けらないものとして展開される。例えば、ライセンススペクトルは、マクロ基地局上に展開され、アンライセンススペクトルは、低電力ノード上に展開される。低電力ノードは、マイクロセル（Ｍｉｃｒｏ  ｃｅｌｌ）、ピコセル（Ｐｉｃｏ  ｃｅｌｌ）、ホームｅノードＢ（Ｆｅｍｔｏ  ｃｅｌｌ）、遠隔無線ヘッド（Ｒｅｍｏｔｅ  ｒａｄｉｏ  ｈｅａｄ）、中継局（Ｒｅｌａｙ）、またはそれに類するものを含み得る。マクロ基地局と低電力ノードは、理想的バックホールリンクまたは非理想的バックホールリンクを使用することによって互いに接続される。
【００７２】
３．アンライセンススペクトルが、送信ノード上に独立に展開される。具体的に言うと、送信ノードは、アンライセンススペクトルだけを使用し、いずれのライセンススペクトルも使用しない。
【００７３】
本発明のこの実施形態におけるネットワーク要素は、アンライセンススペクトルにおいて動作することができる基地局およびＵＥを主に指すことを理解されたい。基地局は、マクロ基地局、マイクロセル、ピコセル、ホームｅノードＢ、遠隔無線ヘッド、中継局、またはそれに類するものであってよい。ＵＥは、モバイル電話などの端末デバイス、またはＬＴＥシステムにアクセスすることができるノートブックコンピュータ、もしくはＬＴＥシステムにアクセスすることができるタブレットコンピュータであってよい。このことは、本発明において限定されない。
【００７４】
本発明の実施形態は、例としてだけＬＡＡ−ＬＴＥシステムを使用することによって説明されるが、本発明は、それに限定されないことを理解されたい。本発明の実施形態による方法および装置は、別の通信システムに適用されてもよい。同様に、本発明の実施形態は、例としてだけＬＴＥにおける進化型ノードＢ（Ｅｖｏｌｖｅｄ  Ｎｏｄｅ  Ｂ、略して「ｅ−ＮＢもしくはｅ−ＮｏｄｅＢ」）、およびＵＥを使用することによって説明されるが、本発明は、それらに限定されない。
【００７５】
図２は、本発明の実施形態によるコンテンションウィンドウ情報を決定するための方法の概略フローチャートである。図２に示されるとおり、方法は、以下のステップを含む。
【００７６】
Ｓ２１０  基地局が、ＵＥの第２のアップリンクバーストのコンテンションウィンドウ情報を、参照サブフレームの受信状態に従って決定し、コンテンションウィンドウ情報は、ＣＷＳ、コンテンションウィンドウ時間、またはＣＷＳ調整をトリガするようＵＥに命令するシグナリングである。
【００７７】
Ｓ２１０において、基地局は、参照サブフレームにおいて巡回冗長検査（Ｃｙｃｌｉｃ
Ｒｅｄｕｎｄａｎｃｙ  Ｃｈｅｃｋ、略して「ＣＲＣ」）の検査コードを使用することによって、ＵＥによって送信された参照サブフレームにおける各アップリンクサブフレームの受信状態を決定してよい。検査コードが正しい場合、基地局は、受信が正しいこと、すなわち、受信状態がＡＣＫ（ＡＣＫ）であることを決定する。検査コードが誤っている場合、基地局は、受信が誤っていること、すなわち、受信状態がＮＡＣＫ（ＮＡＣＫ）であることを決定する。
【００７８】
参照サブフレームは、ＵＥの少なくとも１つの第１のアップリンクバーストにおける少なくとも１つのアップリンクサブフレームであってよく、第１のアップリンクバーストは、第２のアップリンクバーストより前であり、第２のアップリンクバーストと第１のアップリンクバーストは、時間的に不連続であり、第２のアップリンクバーストは、少なくとも１つのアップリンクサブフレームを含み、かつ第１のアップリンクバーストは、少なくとも１つのアップリンクサブフレームを含むことを理解されたい。第２のアップリンクバーストが少なくとも２つのアップリンクサブフレームを含む場合、少なくとも２つのアップリンクサブフレームの任意の２つの隣接するアップリンクサブフレームが時間的に連続していてよく、または時間的に不連続であってよい。第１のアップリンクバーストが少なくとも２つのアップリンクサブフレームを含む場合、少なくとも２つのアップリンクサブフレームの任意の２つの隣接するアップリンクサブフレームが時間的に連続していてよく、または時間的に不連続であってよい。
【００７９】
少なくとも２つのアップリンクサブフレームが時間的に連続している場合、第１のアップリンクバーストと第１のアップリンクバーストの前または後のアップリンクサブフレームは、時間的に連続していること、すなわち、時間的に連続しているアップリンクサブフレームのセットにおける時間的に連続しているアップリンクサブフレームのサブセットであることを理解されたい。あるいは、第１のアップリンクバーストと第１のアップリンクバーストの前および後のアップリンクサブフレームは、時間的に不連続であってよい。具体的に言うと、第１のアップリンクバーストと第１のアップリンクバーストの後のアップリンクサブフレームは、時間的に不連続であり、第２のアップリンクバーストと第２のアップリンクバーストの前のアップリンクサブフレームは、時間的に不連続であり、かつ第２のアップリンクバーストと第２のアップリンクバーストの後のアップリンクサブフレームは、時間的に不連続である。第２のアップリンクバーストと第２のアップリンクバーストの前または後のアップリンクサブフレームは、時間的に連続していてよく、すなわち、時間的に連続しているアップリンクサブフレームのセットにおける時間的に連続しているアップリンクサブフレームのサブセットであってよい。あるいは、第２のアップリンクバーストと第２のアップリンクバーストの前および後のアップリンクサブフレームは、時間的に不連続であってよい。具体的に言うと、第２のアップリンクバーストと第２のアップリンクバーストの前のアップリンクサブフレームは、時間的に不連続であり、かつ第２のアップリンクバーストと第２のアップリンクバーストの後のアップリンクサブフレームは、時間的に不連続である。
【００８０】
第２のアップリンクバーストの前のアップリンクバーストは、第１のアップリンクバーストとしてひとまとめにして参照され得ることをさらに理解されたい。
【００８１】
Ｓ２２０  基地局が、第２のアップリンクバーストにおける少なくとも１つのアップリンクサブフレームをスケジューリングするための少なくとも１つの制御シグナリングを生成し、少なくとも１つの制御シグナリングのそれぞれは、コンテンションウィンドウ情報、またはコンテンションウィンドウ情報に基づいて生成されたＣＣＡバックオフカウンタ初期値を含む。
【００８２】
Ｓ２２０において、コンテンションウィンドウ情報は、ＣＷＳ、コンテンションウィンドウ時間、またはＣＷＳ調整をトリガするようＵＥに命令するシグナリングであってよい。ＣＷＳは、第２のアップリンクバースト上で実行されるＣＣＡの最大バックオフ値、すなわち、ＣＣＡバックオフカウンタ初期値Ｎの上限である。例えば、ＣＷＳが１５である場合、ＣＣＡバックオフカウンタ初期値Ｎは、［１，１５］内で一様に、かつランダムに生成される。コンテンションウィンドウ時間は、第２のアップリンクバースト上で実行されるＣＣＡの最大バックオフ持続時間、すなわち、ＣＷＳに各ＣＣＡタイムスロットの時間粒度を掛けることによって獲得される結果である。例えば、ＣＷＳが１５であり、かつＣＣＡタイムスロットの時間粒度が９ｕｓである場合、コンテンションウィンドウ時間の持続時間は、１５*９ｕｓ＝１３５ｕｓである。ＣＷＳの調整をトリガするようＵＥに命令するシグナリング、例えば、１ビットシグナリングは、ＣＷＳの増加／減少をトリガするようＵＥに命令し、または２ビットシグナリングが、ＣＷＳの増加／減少／変化しないままをトリガするようＵＥに命令する。
【００８３】
Ｓ２２０において、ＣＣＡバックオフカウンタ初期値は、ＣＷＳまたはコンテンションウィンドウ時間を使用することによって生成され得ることを理解されたい。具体的には、バックオフカウンタ初期値がＣＷＳを使用することによって生成される場合、値は、［１，ＣＷＳ］内で一様に、かつランダムに生成される。バックオフカウンタ初期値がコンテンションウィンドウ時間を使用することによって生成される場合、コンテンションウィンドウ時間は、９ｕｓによって分割され、かつＣＷＳに変換され、次に、値は、［１，ＣＷＳ］内で一様に、かつランダムに生成される。
【００８４】
任意選択で、制御シグナリングは、第２のアップリンクバーストの１つのサブフレームに関することがある。
【００８５】
任意選択で、制御シグナリングは、第２のアップリンクバーストの少なくとも２つのアップリンクサブフレームに関することがある。
【００８６】
具体的には、制御シグナリングが第２のアップリンクバーストの１つのサブフレームに関する場合、１つのダウンリンクサブフレームにおいて搬送される制御シグナリングは、１つのアップリンクサブフレームにおいてアップリンク情報を送信するようＵＥをスケジューリングする。制御シグナリングが、第２のアップリンクバーストの少なくとも２つのサブフレーム、すなわち、複数のサブフレームをスケジューリングする場合、１つのダウンリンクサブフレームにおいて搬送される制御シグナリングは、少なくとも２つのサブフレームのそれぞれにおいてアップリンク情報を送信するようＵＥをスケジューリングする。
【００８７】
Ｓ２３０  基地局が、少なくとも１つの制御シグナリングをＵＥに送信する。
【００８８】
Ｓ２３０において、基地局は、少なくとも１つの制御シグナリングをＵＥに送信する。制御シグナリングは、ＵＥの第２のアップリンクバーストにおける第１のアップリンクサブフレームに送信されてよく、またはＵＥの第２のアップリンクバーストにおける各アップリンクサブフレームに送信されてよい。
【００８９】
制御シグナリングは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、略して「ＰＤＣＣＨ」）または拡張物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、略して「ＥＰＤＣＣＨ」）のユーザ固有の探索空間に含められてよく、さらにＰＤＣＣＨのアップリンクグラント（ＵＬグラント）に含められてよいことを理解されたい。
【００９０】
Ｓ２４０  ＵＥが、第２のアップリンクバーストにおける少なくとも１つのアップリンクサブフレームをスケジューリングするための、参照サブフレームにより基地局によって送信される少なくとも１つの制御シグナリングを受信し、制御シグナリングは、コンテンションウィンドウ情報、またはコンテンションウィンドウ情報に基づいて生成されたＣＣＡバックオフカウンタ初期値を含む。
【００９１】
Ｓ２５０  ＵＥが、第２のアップリンクバーストのＣＣＡバックオフカウンタ初期値を、少なくとも１つの制御シグナリングに従って決定する。
【００９２】
Ｓ２５０において、ＵＥは、基地局によって送信されるコンテンションウィンドウ情報を受信し、ＣＣＡバックオフカウンタ初期値を生成する、またはＵＥは、コンテンションウィンドウ情報に基づいて生成され、かつ基地局によって送信されるＣＣＡバックオフカウンタ初期値を受信し、ＣＣＡバックオフカウンタ初期値を生成する。
【００９３】
具体的には、ＵＥによって受信され、かつ基地局によって送信されるコンテンションウィンドウ情報がＣＷＳである場合、ＵＥは、０とＣＷＳとの間のＣＣＡバックオフカウンタ初期値を一様に、かつランダムに生成してよい。ＵＥによって受信され、かつ基地局によって送信されるコンテンションウィンドウ情報がコンテンションウィンドウ時間である場合、ＵＥは、コンテンションウィンドウ時間をＣＣＡタイムスロット粒度で割り、結果をＣＷＳに変換し、０とＣＷＳとの間のＣＣＡバックオフカウンタ初期値を一様に、かつランダムに生成してよい。ＵＥが、ＣＷＳの調整をトリガするようＵＥに命令するための基地局からのシグナリングを受信し、かつＵＥによって受信されたシグナリングがＣＷＳを増加させるよう命令するとき、ＵＥは、コンテンションウィンドウ情報が受信される時点に最も近く、かつそれより前のＣＷＳを増加させる。例えば、ＵＥは、ＣＷＳを新たなＣＷＳとして２倍にする。ＵＥによって受信された制御シグナリングがＣＷＳを減少させるよう命令する場合、ＵＥは、コンテンションウィンドウ情報が受信される時点に最も近く、かつそれより前のＣＷＳを減少させる。例えば、ＣＷＳは、新たなＣＷＳとして最小値に減少させられる。ＵＥによって受信されたシグナリングがＣＷＳを変化しないままに維持するよう命令する場合、ＵＥは、コンテンションウィンドウ情報が新たなＣＷＳとして受信される時点に最も近く、かつそれより前のＣＷＳを使用する。最後に、ＵＥは、０と新たなＣＷＳとの間のＣＣＡバックオフカウンタ初期値を一様に、かつランダムに生成する。ＵＥが、基地局によって送信されるＣＣＡバックオフカウンタ初期値を受信する場合、ＵＥは、受信されたＣＣＡバックオフカウンタ初期値をバックオフカウンタに直接に割り当てる。
【００９４】
ＵＥは、第２のアップリンクバーストの第１のアップリンクサブフレームのバックオフカウンタを、第２のアップリンクバーストにおけるアップリンクサブフレームの制御シグナリングに含められ、かつ基地局からの獲得されたコンテンションウィンドウ情報、またはコンテンションウィンドウ情報に基づいて生成されたＣＣＡバックオフカウンタ初期値に従って決定してよいことを理解されたい。
【００９５】
任意選択で、ＵＥは、ＵＥの第２のアップリンクバーストのＣＣＡバックオフカウンタ初期値を、第２のアップリンクバーストにおいて第１のアップリンクサブフレームをスケジューリングするために基地局によって送信される制御シグナリングに含められたコンテンションウィンドウ情報、またはコンテンションウィンドウ情報に基づいて生成されたＣＣＡバックオフカウンタ初期値に従って決定する。
【００９６】
第１のアップリンクサブフレームは、ＵＥによって送信され、かつ基地局によってスケジューリングされた第１のアップリンクサブフレーム、またはユーザによって実際に送信された第１のアップリンクサブフレームであることを理解されたい。
【００９７】
任意選択で、ＵＥは、第２のアップリンクバーストのＣＣＡバックオフカウンタ初期値を、第２のアップリンクバーストに最も近い制御シグナリングにおけるコンテンションウィンドウ情報、またはコンテンションウィンドウ情報に基づいて生成されたＣＣＡバックオフカウンタ初期値に従って決定する。
【００９８】
以下は、基地局またはＵＥによってコンテンションウィンドウ情報内のＣＷＳを決定するための方法を具体的に説明する。
【００９９】
具体的には、これは、図３に示され得る。基地局のスケジューリング遅延が約４ミリ秒であることを考慮すると、第２のアップリンクバーストの第１のアップリンクサブフレームを感知するより前に、ＵＥは、第１のアップリンクサブフレームに関する制御シグナリングを受信するだけでなく、後続のアップリンクサブフレームに関する、または後続のアップリンクバーストに関する制御シグナリングを受信することもある。この事例において、図３に示されるとおり、ＵＥは、スケジューリングされたアップリンクバーストの制御シグナリングに含められたコンテンションウィンドウ情報、またはコンテンションウィンドウ情報に基づいて生成されたＣＣＡバックオフカウンタ初期値を使用してよい。コンテンションウィンドウ情報は、例えば、ＣＷＳであってよい。さらに、ＵＥは、スケジューリングされたアップリンクバーストの第１のアップリンクサブフレームの制御シグナリングに含められたコンテンションウィンドウ情報、またはコンテンションウィンドウ情報に基づいて生成されたＣＣＡバックオフカウンタ初期値を使用してよい。コンテンションウィンドウ情報は、例えば、ＣＷＳであってよい。あるいは、ＵＥは、スケジューリングされた第２のアップリンクバーストに最も近い受信された制御シグナリング（すなわち、後続のアップリンクバーストに関する制御シグナリング）に含められたコンテンションウィンドウ情報、またはコンテンションウィンドウ情報に基づいて生成されたＣＣＡバックオフカウンタ初期値を使用してよい。コンテンションウィンドウ情報は、例えば、ＣＷＳであってよい。
【０１００】
Ｓ２６０  第２のアップリンクバーストに関するＣＣＡを、第２のアップリンクバーストのＣＣＡバックオフカウンタ初期値に従って実行する。
【０１０１】
Ｓ２６０において、ＵＥが、第２のアップリンクバーストの第１のアップリンクサブフレームに関するＣＣＡだけを実行してよい。アップリンクバーストの後続の時間領域における連続したアップリンクサブフレームに関して、これらの後続のアップリンクサブフレームに関する受信された制御シグナリングがコンテンションウィンドウ情報を示す場合さえ、ＵＥは、ＣＣＡをもはやさらに実行するのではなく、アップリンク情報を直接に送信する。
【０１０２】
任意選択で、ＵＥが、基地局から、第２のアップリンクバーストの第１のアップリンクサブフレームに関する制御シグナリングを受信しない場合、または基地局の第２のアップリンクバーストの第１のアップリンクサブフレームより前にＣＣＡを完了しない場合、ＵＥがデータを送信することを開始するアップリンクサブフレームが、第２のアップリンクバーストの第１のアップリンクサブフレームとして定義される。
【０１０３】
ＵＥは、第２のアップリンクバーストの第１のアップリンクサブフレームより前にＣＣＡを実行してよいことを理解されたい。本明細書における第２のアップリンクバーストの第１のアップリンクサブフレームは、ＵＥによって実際に送信された少なくとも１つのアップリンクサブフレームの第１のアップリンクサブフレームであるが、基地局によってスケジューリングされた少なくとも１つのアップリンクサブフレームの第１のアップリンクサブフレームではない。言い換えると、ＵＥは、基地局からの制御シグナリングによって示される第１のアップリンクサブフレームにおいてアップリンク情報を送信しない。具体的に言うと、ＵＥは、第２のアップリンクバーストの、基地局からの制御シグナリングによって示された、第１のアップリンクサブフレームの制御シグナリングを正しく受信しない、または基地局からの制御シグナリングによって示された第２のアップリンクバーストの第１のアップリンクサブフレームより前にＣＣＡを完了しないが、後続のサブフレームにおいて送信することを実行することを開始する。この事例において、ＵＥがデータを送信することを開始するアップリンクサブフレームは、第２のアップリンクバーストの第１のアップリンクサブフレームである。
【０１０４】
具体的には、図４（ａ）に示されるとおり、ＵＥが、時間領域において連続し、かつ基地局からの制御シグナリングによって示されるアップリンクサブフレームの第１のアップリンクサブフレームに対応する制御シグナリングを受信しないが、時間領域において連続し、かつ基地局からの制御シグナリングによって示されるアップリンクサブフレームの後続のサブフレームに対応する制御シグナリングを受信する場合、およびＵＥが、後続のサブフレームに関する制御シグナリングに含められたコンテンションウィンドウ情報を受信する場合、ＣＣＡを実行するのにＵＥによって使用されるＣＷＳは、コンテンションウィンドウ情報に従って決定される。
【０１０５】
例えば、図４（ｂ）に示されるとおり、ＵＥが、後続のサブフレームに関する制御シグナリングに含められたコンテンションウィンドウ情報（すなわち、基地局が、各アップリンクサブフレームに関する制御シグナリングにおいてコンテンションウィンドウ情報を示さないが、時間領域において基地局によって連続してスケジューリングされたアップリンクサブフレームの第１のアップリンクサブフレームに対応する制御シグナリングだけにコンテンションウィンドウ情報を追加する）を受信しない場合、ＵＥは、以前に、かつ最も新しく実行されたＣＣＡにおいて使用されたＣＷＳを使用することによってＣＣＡバックオフカウンタ初期値を生成する。
【０１０６】
任意選択で、ＵＥが、第２のアップリンクバーストの第１のアップリンクサブフレームをスケジューリングするために基地局によって送信される制御シグナリングを受信するが、制御シグナリングによって示された第１のアップリンクサブフレームより前にいずれのチャネルも捕捉せず、かつＵＥが、第２のアップリンクバーストの後続のアップリンクサブフレームをスケジューリングするために基地局によって送信される制御シグナリングを受信する場合、ＵＥは、制御シグナリングによって示された第１のアップリンクサブフレームの後のアップリンクサブフレームのコンテンションウィンドウ情報、またはコンテンションウィンドウ情報に基づいて生成されたＣＣＡバックオフカウンタ初期値を使用して、ＣＣＡバックオフカウンタを決定し、ＣＣＡを再開する。
【０１０７】
任意選択で、ＵＥが、第２のアップリンクバーストの第１のアップリンクサブフレームをスケジューリングするために基地局によって送信される制御シグナリングを受信し、かつ制御シグナリングによって示される第１のアップリンクサブフレームより前にいずれのチャネルも捕捉しない、すなわち、ＣＣＡバックオフを完了しない場合、ＵＥは、基地局によってスケジューリングされた第２のアップリンクバーストの後続のアップリンクサブフレームに関するＣＣＡを実行することを継続する。
【０１０８】
さらに、ＵＥが、基地局から、第２のアップリンクバーストの第１のアップリンクサブフレームをスケジューリングするためのＵＬグラントを受信し、かつＵＬグラントによって示された第１のアップリンクサブフレームより前にいずれのチャネルも捕捉しない場合、ＵＥは、時間領域における連続したアップリンクサブフレームのものであり、かつ基地局からのＵＬグラントによって示される後続のサブフレームを送信することより前にＣＣＡをそれでも実行する必要がある。具体的には、ＵＥは、コンテンションウィンドウ情報、またはＵＬグラントに含められ、かつ後続のサブフレームに関するＣＣＡバックオフカウンタ初期値を使用して、ＣＣＡバックオフカウンタを決定し、ＣＣＡを再開してよい。あるいは、ＵＥは、以前のアップリンクサブフレームに関するＣＣＡバックオフを継続してよい。
【０１０９】
具体的には、本発明のこの実施形態において、基地局が最初に、参照サブフレームを決定してよく、次に、ＵＥのコンテンションウィンドウ情報をどのように調整すべきかを、参照サブフレームの受信状態に従って決定してよく、ダウンリンク制御シグナリングを使用することによってＵＥに、コンテンションウィンドウ情報、または基地局の側で生成されるランダムなＣＣＡバックオフカウンタ初期値を最終的に送信してよい。例えば、コンテンションウィンドウ情報、または基地局の側で生成されるランダムなＣＣＡバックオフカウンタ初期値は、ＰＤＣＣＨのＵＬグラントを使用することによってＵＥに送信される。ＵＥは、第２のアップリンクバーストのＣＣＡバックオフカウンタ初期値を、制御シグナリングにおける情報に従って生成してよく、次に、ＵＥは、第２のアップリンクバーストに関するＣＣＡを、ＣＣＡバックオフカウンタ初期値に従って実行してよい。
【０１１０】
第１のアップリンクバーストにおけるアップリンクサブフレームは、ＵＥによって送信され、かつ基地局によってスケジューリングされたアップリンクサブフレームであってよく、第１のアップリンクバーストは、第２のアップリンクバーストより前であり、基地局は、第１のアップリンクバーストにおけるアップリンクサブフレームの受信状態を使用することによって、第２のアップリンクバーストより前にチャネルを感知するのにＵＥによって使用されるＣＷＳを決定してよいことを理解されたい。
【０１１１】
したがって、本発明のこの実施形態におけるコンテンションウィンドウ情報を決定するための方法によれば、基地局は、参照サブフレームの受信状態を使用することによってＵＥの第２のアップリンクバーストのコンテンションウィンドウ情報を決定することができ、したがって、ＵＥが、適切なコンテンションウィンドウ情報を獲得することができ、かつ公平なチャネルアクセスが、ランダムなバックオフに基づくチャネル感知を通じて実装されることが可能である。
【０１１２】
第２のアップリンクバーストのコンテンションウィンドウ情報、またはコンテンションウィンドウ情報に基づいて生成されたクリアチャネルアセスメントＣＣＡバックオフカウンタ初期値が決定されるより前に、ＵＥの第３のアップリンクバーストのコンテンションウィンドウ情報、またはコンテンションウィンドウ情報に基づいて生成されたクリアチャネルアセスメントＣＣＡバックオフカウンタ初期値が、参照サブフレームに従って決定される。
【０１１３】
任意選択で、本発明のこの実施形態における基地局によってコンテンションウィンドウ情報を決定するための方法は、
ＵＥの第３のアップリンクバーストのＣＷＳを、第２のアップリンクバーストのＣＷＳが決定されるより前に参照サブフレームに従って決定するステップと、
第２のアップリンクバーストのＣＷＳが第３のアップリンクバーストのＣＷＳと等しいことを決定するステップとをさらに含む。
【０１１４】
第１のアップリンクバースト、第２のアップリンクバースト、および第３のアップリンクバーストは、時間的に不連続であり、第３のアップリンクバーストは、第１のアップリンクバーストと第２のアップリンクバーストとの間にあり、かつ第３のアップリンクバーストは、１つのアップリンクサブフレーム、または時間的に連続した少なくとも２つのアップリンクサブフレームを含む。第３のアップリンクバーストが少なくとも２つのアップリンクサブフレームを含む場合、少なくとも２つのアップリンクサブフレームの任意の２つの隣接するアップリンクサブフレームが時間的に連続していてよく、または時間的に不連続であってよい。
【０１１５】
異なる２つのアップリンクバースト、例えば、第２のアップリンクバーストと第３のアップリンクバーストが同一の参照サブフレームに対応する場合、基地局は、２つのアップリンクバーストをスケジューリングするとき、ＣＷＳをさらに増加させることも、さらに減少させることも回避しなければならないことを理解されたい。
【０１１６】
例えば、図５に示されるとおり、参照サブフレームは、第１のアップリンクバースト｛＃ｎ，＃ｎ＋１｝であり、第３のアップリンクバーストは、サブフレーム＃ｎ＋６であり、第２のアップリンクバーストは、サブフレーム＃ｎ＋８であり、第２のアップリンクバーストと第３のアップリンクバーストとの両方が参照サブフレーム｛＃ｎ，＃ｎ＋１｝に対応し、参照サブフレームは、誤って伝送される。基地局は、＃ｎ＋６をスケジューリングするとき、＃ｎ＋６のＣＷＳを３１に増加させるよう命令してよい。サブフレーム＃ｎ＋６の参照サブフレームとサブフレーム＃ｎ＋８の参照サブフレームは同一であるため、＃ｎ＋６のそれと同一であるＣＷＳ、すなわち、３１が、サブフレーム＃ｎ＋８に関して使用されなければならず、かつ＃ｎ＋６のＣＷＳは、６３に増加させられない。
【０１１７】
本発明のこの実施形態におけるコンテンションウィンドウ情報を決定するための方法が、前段で説明される。以下は、ＵＥの第２のアップリンクバーストのコンテンションウィンドウ情報を、参照サブフレームの受信状態に従ってどのように決定すべきかを具体的に説明する。
【０１１８】
任意選択で、本発明のこの実施形態において、ＵＥの第２のアップリンクバーストの伝送に関するコンテンションウィンドウ情報を決定するための方法、例えば、ＵＥの第２のアップリンクバーストのＣＷＳを決定するための方法は、
参照サブフレームにおける少なくとも１つのアップリンクサブフレームの受信状態がＮＡＣＫである場合、ＣＷＳを増加させるステップを含む。
【０１１９】
基地局がＵＥの第２のアップリンクバーストのＣＷＳを決定するより前に、参照サブフレームにおける少なくとも１つのアップリンクサブフレームの受信状態がＮＡＣＫであり、かつ基地局が、バックオフカウンタ初期値を、ＣＷＳの事前設定された最大値に従って少なくとも１回、継続的に生成している場合、ＣＷＳは、変化しないままである、またはＣＷＳは、事前設定された最小値に設定されることを理解されたい。
【０１２０】
参照サブフレームにおける各アップリンクサブフレームの受信状態がＡＣＫである場合、ＣＷＳは、減少させられるべきである。
【０１２１】
基地局がＵＥの第２のアップリンクバーストに関するＣＷＳを決定するより前に、参照サブフレームにおける各アップリンクサブフレームの受信状態がＡＣＫであり、かつＣＷＳが事前設定された最小値に達している場合、ＣＷＳは、変化しないままであることをさらに理解されたい。
【０１２２】
さらに、参照サブフレームにおける少なくとも１つのアップリンクサブフレームの受信状態がＮＡＣＫであり、かつ少なくとも１つのアップリンクサブフレームのそれぞれが、基地局によって検出され、かつＵＥによって送信されないアップリンクサブフレームである場合、ＣＷＳは、変化しないままであり、または少なくとも１つの参照サブフレームは、省かれ、ＣＷＳを調整するために使用されない。
【０１２３】
基地局が、ＵＥがアップリンクサブフレームを送信するかどうかを検出し、かつ決定する能力を有する場合、基地局は、ＵＥが情報を送信するのにアップリンクサブフレームを占有しない参照サブフレームを省いてよく、ＣＷＳを調整するのに参照サブフレームを使用しなくてよいことを理解されたい。例えば、基地局は、復調参照信号（ＤｅＭｏｄｕｌａｔｉｏｎ  Ｒｅｆｅｒｅｎｃｅ  Ｓｉｇｎａｌ、略して「ＤＭ−ＲＳ」）を使用する。ＤＭ−ＲＳ信号が存在することを検出する場合、基地局は、ＵＥがアップリンクサブフレームを送信することを決定する。ＤＭ−ＲＳが検出されない場合、基地局は、ＵＥがアップリンクサブフレームを送信しないことを決定してよく、かつサブフレームを省いてよい。したがって、少なくとも１つの参照サブフレームの受信状態がＮＡＣＫであり、かつ少なくとも１つの参照サブフレームにおける各アップリンクサブフレームが、基地局によって検出され、かつＵＥによって送信されないアップリンクサブフレームである場合、ＣＷＳは、変化しないままである、または省かれ、ＣＷＳを調整するための基礎として使用されない。
【０１２４】
例えば、ＣＷＳの値セットが｛１５，３１，６３｝であり、かつＵＥの第１のアップリンクバーストおよび第２のアップリンクバーストがそれぞれ、時間領域において連続した２つのアップリンクサブフレームを含む場合、第１のアップリンクバーストの２つのアップリンクサブフレームは、第２のアップリンクバーストの参照サブフレームとして使用されてよく、かつ第２のアップリンクバーストの２つのアップリンクサブフレームは、第３のアップリンクバーストの参照サブフレームとして使用されてよい。
【０１２５】
図６（ａ）に示されるとおり、参照サブフレームにおける少なくとも１つのアップリンクサブフレームの受信状態がＮＡＣＫである場合、ＣＷＳは、増加させられるべきである。参照サブフレームにおける各アップリンクサブフレームの受信状態がＡＣＫである場合、ＣＷＳは、減少させられるべきである。第１のアップリンクバーストにおける１つのアップリンクサブフレームの受信状態はＮＡＣＫであるため、基地局は、ＵＥの第２のアップリンクバーストのＣＷＳが１５から３１に増加させられる必要があることを決定する。さらに、第２のアップリンクバーストにおける各アップリンクサブフレームの受信状態はＡＣＫであるため、基地局は、ＵＥの第３のアップリンクバーストのＣＷＳが３１から１５に減少させられる必要があることを決定する。
【０１２６】
図６（ｂ）に示されるとおり、第２のアップリンクバーストにおける１つのアップリンクサブフレームの受信状態は、ＮＡＣＫであり、この時点で、ＣＷＳは、最大値に達している。ＣＷＳの最大値がＣＣＡバックオフカウンタ初期値を１回、生成するのに使用されるものと想定すると、ＣＷＳがそれでも増加させられる必要があると決定された場合、ＣＷＳは、最小値にリセットされる。言い換えると、ＵＥの第３のアップリンクバーストのＣＷＳは、最小値１５にリセットされてよい。
【０１２７】
図６（ｃ）に示されるとおり、第１のアップリンクバーストにおける２つのアップリンクサブフレームの受信状態はともにＡＣＫであるため、基地局は、ＵＥの第２のアップリンクバーストにおいて伝送されるＣＷＳを最小値１５に減少させてよい。さらに、第２のアップリンクバーストにおける２つのアップリンクサブフレームの受信状態がともにＡＣＫであるため、基地局は、ＵＥの第３のアップリンクバーストにおいて伝送されるＣＷＳを最小値１５に維持してよい。
【０１２８】
ＣＷＳを増加させることを決定するための条件は、参照サブフレームにおける少なくとも１つのアップリンクサブフレームがＮＡＣＫであることであることを理解されたい。ＣＷＳを増加させることを決定するための前述の条件とは異なり、ＣＷＳを増加させることを決定するための以下の条件は、参照サブフレームにおいてすべてのアップリンクサブフレームがＮＡＣＫである場合、ＣＷＳが増加させられるべきことである。
【０１２９】
任意選択で、本発明のこの実施形態において、ＵＥの第２のアップリンクバーストのコンテンションウィンドウ情報を決定するための方法、例えば、ＵＥの第２のアップリンクバーストのＣＷＳを決定するための方法は、
参照サブフレームにおける各アップリンクサブフレームの受信状態がＮＡＣＫである場合、ＣＷＳを増加させるステップをさらに含む。
【０１３０】
基地局がＵＥの第２のアップリンクバーストのＣＷＳを決定するより前に、参照サブフレームにおける各アップリンクサブフレームの受信状態がＮＡＣＫであり、かつ基地局が、ＣＣＡバックオフカウンタ初期値を、ＣＷＳの事前設定された最大値に従って少なくとも１回、継続的に生成している場合、ＣＷＳは、変化しないままである、またはＣＷＳは、事前設定された最小値に設定されることを理解されたい。
【０１３１】
参照サブフレームにおける少なくとも１つのアップリンクサブフレームの受信状態がＡＣＫである場合、ＣＷＳは、減少させられるべきである。
【０１３２】
基地局がＵＥの第２のアップリンクバーストのＣＷＳを決定するより前に、参照サブフレームにおける少なくとも１つのアップリンクサブフレームの受信状態がＡＣＫであり、かつＣＷＳが事前設定された最小値に達している場合、ＣＷＳは、変化しないままであることを理解されたい。
【０１３３】
さらに、参照サブフレームにおける各アップリンクサブフレームの受信状態がＮＡＣＫであり、かつ少なくとも１つのアップリンクサブフレームのそれぞれが、基地局によって検出され、かつＵＥによって送信されないアップリンクサブフレームである場合、ＣＷＳは、変化しないままである、または少なくとも１つの参照サブフレームが省かれ、ＣＷＳを調整するために使用されない。
【０１３４】
基地局が、参照サブフレームにおいてアップリンクサブフレームのいずれも、アップリンク情報を送信するのにＵＥによって占有されないことを検出し得る場合、基地局は、各参照サブフレームを省いてよく、かつＣＷＳを調整するのに参照サブフレームを使用しないでよいことを理解されたい。
【０１３５】
任意選択で、本発明のこの実施形態において、ＵＥの第２のアップリンクバーストにおいて伝送されるコンテンションウィンドウ情報を決定するための方法、例えば、ＵＥの第２のアップリンクバーストのコンテンションウィンドウ時間を決定するための方法は、
参照サブフレームにおける少なくとも１つのアップリンクサブフレームの受信状態がＮＡＣＫである場合、コンテンションウィンドウ時間を増加させるステップ、または
参照サブフレームにおける各アップリンクサブフレームの受信状態がＡＣＫである場合、コンテンションウィンドウ時間を減少させるステップを含む。
【０１３６】
さらに、参照サブフレームにおける少なくとも１つのアップリンクサブフレームの受信状態がＮＡＣＫであり、かつ少なくとも１つのアップリンクサブフレームのそれぞれが、基地局によって検出され、かつＵＥによって送信されないアップリンクサブフレームである場合、コンテンションウィンドウ時間は、変化しないままであり、または少なくとも１つの参照サブフレームは、省かれ、コンテンションウィンドウ時間を調整するために使用されない。
【０１３７】
任意選択で、ＵＥの第２のアップリンクバーストのコンテンションウィンドウ時間を決定するための方法は、
参照サブフレームにおける各アップリンクサブフレームの受信状態がＮＡＣＫである場合、コンテンションウィンドウ時間を増加させるステップ、または
参照サブフレームにおける少なくとも１つのアップリンクサブフレームの受信状態がＡＣＫである場合、コンテンションウィンドウ時間を減少させるステップをさらに含む。
【０１３８】
さらに、参照サブフレームにおける少なくとも１つのアップリンクサブフレームの受信状態がＮＡＣＫであり、かつ少なくとも１つのアップリンクサブフレームのそれぞれが、基地局によって検出され、かつＵＥによって送信されないアップリンクサブフレームである場合、コンテンションウィンドウ時間は、変換しないままであり、または少なくとも１つの参照サブフレームは、省かれ、コンテンションウィンドウ時間を調整するために使用されない。
【０１３９】
任意選択で、本発明のこの実施形態において、ＵＥの第２のアップリンクバーストの伝送に関するコンテンションウィンドウ情報を決定するための方法、例えば、ＵＥの第２のアップリンクバーストのＣＷＳの調整をトリガするのにＵＥによって使用されるシグナリングを決定するための方法は、
参照サブフレームにおける少なくとも１つのアップリンクサブフレームの受信状態がＮＡＣＫである場合、ＣＷＳを増加させるためのインジケーションをトリガすることを決定するステップ、または
参照サブフレームにおける各アップリンクサブフレームの受信状態がＡＣＫである場合、ＣＷＳを減少させるためのインジケーションをトリガすることを決定するステップを含む。
【０１４０】
さらに、参照サブフレームにおける少なくとも１つのアップリンクサブフレームの受信状態がＮＡＣＫであり、かつ少なくとも１つのアップリンクサブフレームのそれぞれが、基地局によって検出され、かつＵＥによって送信されないアップリンクサブフレームである場合、変化しないままであるようＣＷＳをトリガすることが決定され、または少なくとも１つの参照サブフレームが省かれ、ＣＷＳの調整をトリガするためのシグナリングのために使用されない。
【０１４１】
任意選択で、ＣＷＳ調整をトリガするのにＵＥによって使用され、かつＵＥの第２のアップリンクバーストのものであるシグナリングを決定するための方法は、
参照サブフレームにおける各アップリンクサブフレームの受信状態がＮＡＣＫである場合、ＣＷＳを増加させるためのインジケーションをトリガすることを決定するステップ、または
参照サブフレームにおける少なくとも１つのアップリンクサブフレームの受信状態がＡＣＫである場合、ＣＷＳを減少させるためのインジケーションをトリガすることを決定するステップをさらに含む。
【０１４２】
さらに、参照サブフレームにおける各アップリンクサブフレームの受信状態がＮＡＣＫであり、かつ少なくとも１つのアップリンクサブフレームのそれぞれが、基地局によって検出され、かつＵＥによって送信されないアップリンクサブフレームである場合、変化しないままであるようＣＷＳをトリガすることが決定され、または少なくとも１つの参照サブフレームが省かれ、ＣＷＳの調整をトリガするためのシグナリングのために使用されない。
【０１４３】
基地局による、コンテンションウィンドウ時間、およびＣＷＳの調整をトリガするようＵＥに命令するシグナリングを決定する原理は、ＣＷＳを決定する原理と同様であることを理解されたい。詳細が本明細書において再び説明されることはない。
【０１４４】
任意選択で、本発明のこの実施形態において、ＵＥの第２のアップリンクバーストにおいて伝送されるコンテンションウィンドウ情報を決定するための方法、例えば、ＵＥの第２のアップリンクバーストのＣＷＳを決定するための方法は、
参照サブフレームにおいて、受信状態がＮＡＣＫであるアップリンクサブフレームの量が第１の事前設定された閾値より大きい場合、またはすべてのアップリンクサブフレームにおける受信状態がＮＡＣＫであるアップリンクサブフレームのパーセンテージが第２の事前設定された閾値より大きい場合、ＣＷＳを増加させるステップをさらに含む。
【０１４５】
基地局がＵＥの第２のアップリンクバーストに関するＣＷＳを決定するより前に、参照サブフレームにおいて受信状態がＮＡＣＫであるアップリンクサブフレームの量が第１の事前設定された閾値より大きい、もしくはそれと等しい場合、または参照サブフレームにおけるすべてのアップリンクサブフレームにおいて、参照サブフレームにおいて受信状態がＮＡＣＫであるアップリンクサブフレームのパーセンテージが第２の事前設定された閾値より大きい、もしくはそれと等しく、かつ基地局が、ＣＣＡバックオフカウンタ初期値を、ＣＷＳの事前設定された最大値に従って少なくとも１回、継続的に生成している場合、ＣＷＳは、変化しないままである、またはＣＷＳは、事前設定された最小値に設定されることを理解されたい。
【０１４６】
受信状態がＮＡＣＫであるアップリンクサブフレームの量が第１の事前設定された閾値未満である場合、またはすべてのアップリンクサブフレームにおいて受信状態がＮＡＣＫであるアップリンクサブフレームのパーセンテージが第２の事前設定された閾値未満である場合、ＣＷＳは減少させられるべきである。
【０１４７】
任意選択で、受信状態がＮＡＣＫであるアップリンクサブフレームの量が第１の事前設定された閾値と等しい場合、またはすべてのアップリンクサブフレームにおいて受信状態がＮＡＣＫであるアップリンクサブフレームのパーセンテージが第２の事前設定された閾値と等しい場合、ＣＷＳは、増加させられるべき、または減少させられるべきである。
【０１４８】
基地局がＵＥの第２のアップリンクバーストに関するＣＷＳを決定するより前に、参照サブフレームにおける受信状態がＮＡＣＫであるアップリンクサブフレームの量が第１の事前設定された閾値未満、もしくはそれと等しい場合、または参照サブフレームにおけるすべてのアップリンクサブフレームにおいて、参照サブフレームにおいて受信状態がＮＡＣＫであるアップリンクサブフレームのパーセンテージが第２の事前設定された閾値未満である、もしくはそれと等しく、かつＣＷＳが事前設定された最小値に達している場合、ＣＷＳは、変化しないままであることを理解されたい。
【０１４９】
第１の事前設定された閾値および／または第２の事前設定された閾値は、プロトコルにおいて事前定義されてよいことを理解されたい。このようにして、ＣＷＳの調整は、複雑な計算処理を必要とすることなしに事前定義された第１の事前設定された閾値または第２の事前設定された閾値との値関係に基づいて決定されてよく、したがって、計算費用が低減され、かつ効率が向上させられることができる。
【０１５０】
さらに、参照サブフレームにおいて、少なくとも１つの参照サブフレームが、基地局によって検出され、かつＵＥによって送信されないアップリンクサブフレームである場合、少なくとも１つの参照サブフレームは、省かれ、ＣＷＳを調整するために使用されない。
【０１５１】
少なくとも１つの参照サブフレームが省かれることは、受信状態がＮＡＣＫであるアップリンクサブフレームの量が、少なくとも１つの参照サブフレームを含まないこと、およびすべてのアップリンクサブフレームが少なくとも１つの参照サブフレームを含まないことを含むことを理解されたい。
【０１５２】
例えば、ＣＷＳの値セットが｛１５，３１，６３｝であり、かつＵＥの第１のアップリンクバーストおよび第２のアップリンクバーストがそれぞれ、時間領域において連続した２つのアップリンクサブフレームを含む場合、第１のアップリンクバーストの２つのアップリンクサブフレームは、第２のアップリンクバーストの参照サブフレームであり、かつ第２のアップリンクバーストの２つのアップリンクサブフレームは、第３のアップリンクバーストの参照サブフレームであると想定される。第２の事前設定された閾値が８０％であると想定すると、参照サブフレームにおけるアップリンクサブフレームの少なくとも８０％の受信状態がＮＡＣＫである場合、ＣＷＳが増加させられる必要があることが決定され、そうでない場合、ＣＷＳは、減少させられるべきである。
【０１５３】
図７（ａ）に示されるとおり、第１のアップリンクバーストにおけるアップリンクサブフレームの５０％の受信状態がＮＡＣＫである、言い換えると、パーセンテージが第２の事前設定された閾値、すなわち、８０％未満である場合、基地局は、ＵＥの第２のアップリンクバーストのＣＷＳを３１から最小値１５に減少させてよい。第２のアップリンクバーストにおけるアップリンクサブフレームの１００％の受信状態がＮＡＣＫである、言い換えると、パーセンテージが第２の事前設定された閾値８０％より大きい場合、基地局は、ＵＥの第３のアップリンクバーストのＣＷＳを１５から３１に増加させてよい。
【０１５４】
図７（ｂ）に示されるとおり、第２のアップリンクバーストにおけるアップリンクサブフレームの１００％の受信状態がＮＡＣＫである、言い換えると、パーセンテージが第２の事前設定された閾値８０％より大きい場合、ＣＷＳは、最大値に達している。ＣＷＳの最大値がＣＣＡバックオフカウンタ初期値を１回、生成するのに使用されるものと想定すると、ＣＷＳがそれでも増加させられる必要があると決定された場合、ＣＷＳは、最小値にリセットされる。言い換えると、ＵＥの第３のアップリンクバーストのＣＷＳは、最小値１５にリセットされる。
【０１５５】
図７（ｃ）に示されるとおり、第２のアップリンクバーストにおけるアップリンクサブフレームの５０％の受信状態がＮＡＣＫである、言い換えると、量が第２の事前設定された閾値８０％未満であり、かつＣＷＳが最小値に達している場合、基地局は、ＵＥの第３のアップリンクバーストにおいて伝送されるＣＷＳを最小値１５であるように維持してよい。
【０１５６】
任意選択で、本発明のこの実施形態において、ＵＥの第２のアップリンクバーストにおいて伝送されるコンテンションウィンドウ情報を決定するための方法、例えば、ＵＥの第２のアップリンクバーストのコンテンションウィンドウ時間を決定するための方法は、
参照サブフレームにおいて、受信状態がＮＡＣＫであるアップリンクサブフレームの量が第１の事前設定された閾値より大きい場合、コンテンションウィンドウ時間を増加させるステップ、受信状態がＮＡＣＫであるアップリンクサブフレームの量が第１の事前設定された閾値未満である場合、コンテンションウィンドウ時間を減少させるステップ、または受信状態がＮＡＣＫであるアップリンクサブフレームの量が第１の事前設定された閾値と等しい場合、コンテンションウィンドウ時間を増加させるステップ、もしくは減少させるステップ、
すべてのアップリンクサブフレームにおける受信状態がＮＡＣＫであるアップリンクサブフレームのパーセンテージが第２の事前設定された閾値より大きい場合、コンテンションウィンドウ時間を増加させるステップ、またはすべてのアップリンクサブフレームにおける受信状態がＮＡＣＫであるアップリンクサブフレームのパーセンテージが第２の事前設定された閾値未満である場合、コンテンションウィンドウ時間を減少させるステップ、または
すべてのアップリンクサブフレームにおける受信状態がＮＡＣＫであるアップリンクサブフレームのパーセンテージが第２の事前設定された閾値と等しい場合、コンテンションウィンドウ時間を増加させるステップ、もしくは減少させるステップをさらに含む。
【０１５７】
さらに、参照サブフレームにおいて、少なくとも１つの基準サブフレームが、基地局によって検出され、かつＵＥによって送信されないアップリンクサブフレームである場合、少なくとも１つの参照サブフレームは、省かれ、コンテンションウィンドウ時間を調整するために使用されない。
【０１５８】
任意選択で、本発明のこの実施形態において、ＵＥの第２のアップリンクバーストにおいて伝送されるコンテンションウィンドウ情報を決定するための方法、例えば、ＣＷＳ調整をトリガするのにＵＥによって使用され、かつＵＥの第２のアップリンクバーストのものであるシグナリングを決定するための方法は、
参照サブフレームにおいて、受信状態がＮＡＣＫであるアップリンクサブフレームの量が第１の事前設定された閾値より大きい場合、もしくはすべてのアップリンクサブフレームにおける受信状態がＮＡＣＫであるアップリンクサブフレームのパーセンテージが第２の事前設定された閾値より大きい場合、ＣＷＳを増加させるためのインジケーションをトリガすることを決定するステップ、または
受信状態がＮＡＣＫであるアップリンクサブフレームの量が第１の事前設定された閾値未満である場合、もしくはすべてのアップリンクサブフレームにおける受信状態がＮＡＣＫであるアップリンクサブフレームのパーセンテージが第２の事前設定された閾値未満である場合、ＣＷＳを減少させるためのインジケーションをトリガすることを決定するステップをさらに含む。
【０１５９】
任意選択で、受信状態がＮＡＣＫであるアップリンクサブフレームの量が第１の事前設定された閾値と等しい場合、またはすべてのアップリンクサブフレームにおいて受信状態がＮＡＣＫであるアップリンクサブフレームのパーセンテージが第２の事前設定された閾値と等しい場合、ＣＷＳを増加させるためのインジケーション、またはＣＷＳを減少させるためのインジケーションが決定される。
【０１６０】
さらに、参照サブフレームにおいて、少なくとも１つの参照サブフレームが、基地局によって検出され、かつＵＥによって送信されないアップリンクサブフレームである場合、少なくとも１つの参照サブフレームは、省かれ、ＣＷＳの調整をトリガするためのシグナリングのために使用されない。
【０１６１】
基地局による、コンテンションウィンドウ時間、およびＣＷＳの調整をトリガするようＵＥに命令するシグナリングを決定する原理は、ＣＷＳを決定する原理と同様であることを理解されたい。詳細が本明細書において再び説明されることはない。
【０１６２】
基地局は、ＨＡＲＱインジケーションを含む制御シグナリングをＵＥにさらに送信してよいことを理解されたい。ＵＥは、第２のアップリンクバーストのＣＣＡバックオフカウンタ初期値を、ＨＡＲＱインジケーションに従って決定してよい。
【０１６３】
第２のアップリンクバーストのコンテンションウィンドウ情報、またはコンテンションウィンドウ情報に基づいて生成されたクリアチャネルアセスメントＣＣＡバックオフカウンタ初期値が決定されるより前に、ＵＥの第３のアップリンクバーストのコンテンションウィンドウ情報、またはコンテンションウィンドウ情報に基づいて生成されたクリアチャネルアセスメントＣＣＡバックオフカウンタ初期値が、参照サブフレームに従って決定される。
【０１６４】
任意選択で、本発明のこの実施形態において、ユーザによってコンテンションウィンドウサイズを決定するための方法は、
第２のアップリンクバーストのＣＷＳが決定されるより前に参照サブフレームによるＵＥの第３のアップリンクバーストのＣＷＳを決定するステップと、
第２のアップリンクバーストのＣＷＳが第３のアップリンクバーストのＣＷＳと等しいと決定するステップとをさらに含む。
【０１６５】
第１のアップリンクバースト、第２のアップリンクバースト、および第３のアップリンクバーストは、時間的に不連続であり、第３のアップリンクバーストは、第１のアップリンクバーストと第２のアップリンクバーストとの間にあり、かつ第３のアップリンクバーストは、少なくとも１つのアップリンクサブフレームを含む。第３のアップリンクバーストが少なくとも２つのアップリンクサブフレームを含む場合、少なくとも２つのアップリンクサブフレームの任意の２つの隣接するアップリンクサブフレームが時間的に連続していてよく、または時間的に不連続であってよい。
【０１６６】
異なる２つのアップリンクバースト、例えば、第２のアップリンクバーストと第３のアップリンクバーストが同一の参照サブフレームに対応する場合、基地局は、２つのアップリンクバーストをスケジューリングするとき、ＣＷＳをさらに増加させることも、さらに減少させることも回避しなければならないことを理解されたい。
【０１６７】
参照サブフレームは、ＵＥの参照サブフレームであり、かつ基地局の側の参照サブフレームのそれとはわずかに異なる選択規則を有することを理解されたい。詳細な説明は、後段で提供される。
【０１６８】
任意選択で、制御シグナリングがＨＡＲＱインジケーションを含む場合、第２のアップリンクバーストのＣＣＡバックオフカウンタ初期値を決定するステップは、
第２のアップリンクバーストのＣＷＳを、参照サブフレームのものであり、かつ制御シグナリングにおける少なくとも１つのハイブリッド自動再送要求ＨＡＲＱインジケーションに従って決定するステップ、および第２のアップリンクバーストのＣＣＡバックオフカウンタ初期値を、ＣＷＳに従って決定するステップを含む。
【０１６９】
任意選択で、ＵＥによる、第２のアップリンクバーストのＣＷＳを、参照サブフレームにおける少なくとも１つのアップリンクサブフレームに関する制御シグナリングにおけるＨＡＲＱインジケーションに従って決定するステップは、
参照サブフレームにおける少なくとも１つのアップリンクサブフレームに関してＨＡＲＱインジケーションが受信され、かつ少なくとも１つのＨＡＲＱインジケーションが再送インジケーションである場合、ＣＷＳを増加させるステップ、
参照サブフレームにおける各アップリンクサブフレームに関してＨＡＲＱインジケーションが受信され、かつ各ＨＡＲＱインジケーションが初期伝送インジケーションである場合、ＣＷＳを減少させるステップ、
参照サブフレームにおける各アップリンクサブフレームに関してＨＡＲＱインジケーションが受信されないが、参照サブフレームにおける少なくとも１つのアップリンクサブフレームに関してＨＡＲＱインジケーションが受信され、かつ各ＨＡＲＱインジケーションが初期伝送インジケーションである場合、ＣＷＳを変化しないままに維持する、もしくはＣＷＳを減少させるステップ、または
参照サブフレームに関してＨＡＲＱインジケーションが受信されない場合、ＣＷＳを変化しないままに維持する、もしくはＣＷＳを減少させるステップを含む。
【０１７０】
さらに、参照サブフレームにおける少なくとも１つのアップリンクサブフレームに関してＨＡＲＱインジケーションが受信され、かつ少なくとも１つのＨＡＲＱインジケーションが再送インジケーションであるとき、少なくとも１つのアップリンクサブフレームのそれぞれが、ＵＥによって送信されないアップリンクサブフレームである場合、ＣＷＳは、変化しないままであり、または各アップリンクサブフレームは、省かれ、ＣＷＳを調整するために使用されない。
【０１７１】
任意選択で、ＵＥによる、第２のアップリンクバーストのＣＷＳを、参照サブフレームにおける少なくとも１つのアップリンクサブフレームに関する制御シグナリングにおけるＨＡＲＱインジケーションに従って決定するステップは、
参照サブフレームにおける少なくとも１つのアップリンクサブフレームに関してＨＡＲＱインジケーションが受信され、かつＨＡＲＱインジケーションが初期伝送インジケーションである場合、ＣＷＳを減少させるステップ、
参照サブフレームにおける各アップリンクサブフレームに関してＨＡＲＱインジケーションが受信され、かつ各ＨＡＲＱインジケーションが再送インジケーションである場合、ＣＷＳを増加させるステップ、
参照サブフレームにおける少なくとも１つのアップリンクサブフレームに関してＨＡＲＱインジケーションが受信され、かつ各ＨＡＲＱインジケーションが再送インジケーションである場合、ＣＷＳを変化しないままに維持する、もしくはＣＷＳを減少させるステップ、または
参照サブフレームに関してＨＡＲＱインジケーションが受信されない場合、ＣＷＳを変化しないままに維持する、もしくはＣＷＳを減少させるステップを含む。
【０１７２】
さらに、参照サブフレームにおける各アップリンクサブフレームに関してＨＡＲＱインジケーションが受信され、かつ各ＨＡＲＱインジケーションが再送インジケーションであるとき、各アップリンクサブフレームが、ＵＥによって送信されないアップリンクサブフレームである場合、ＣＷＳは、変化しないままであり、または各アップリンクサブフレームは、省かれ、ＣＷＳを調整するために使用されない。
【０１７３】
具体的には、ＣＷＳの値セットが｛１５，３１，６３｝であり、かつＵＥの第１のアップリンクバーストおよび第２のアップリンクバーストがそれぞれ、時間領域において連続した２つのアップリンクサブフレームを含む場合、第１のアップリンクバーストの２つのアップリンクサブフレームは、第２のアップリンクバーストの参照サブフレームであると想定され、参照サブフレームセットは、｛＃ｎ，＃ｎ＋１｝である。
【０１７４】
図８（ａ）に示されるとおり、ＵＥのＨＡＲＱ処理１が参照サブフレーム＃ｎにおいて誤って伝送され、基地局が、ＨＡＲＱ処理１の再送をスケジューリングする。ＵＥは、ＨＡＲＱ処理１が示され、かつＮＤＩが切り換えられないＵＬグラントを受信し、サブフレームが再送サブフレームであることを決定し、したがって、感知のためにＣＷＳを２倍にする。
【０１７５】
図８（ｂ）に示されるとおり、ＵＥのＨＡＲＱ処理１およびＨＡＲＱ処理２が、それぞれ、参照サブフレーム＃ｎおよび参照サブフレーム＃ｎ＋１において正しく伝送され、基地局が、２つのＨＡＲＱ処理の初期伝送をスケジューリングする。ＵＥが、ＵＬグラントにおいて示される２つの処理のＮＤＩがともに切り換えられるＵＬグラントを受信し、参照セットにおけるすべてのサブフレームが正しく伝送されたことを決定し、したがって、感知のためにＣＷＳを減少させる。
【０１７６】
図８（ｃ）に示されるとおり、ＵＥのＨＡＲＱ処理１が、参照サブフレーム＃ｎにおいて誤って伝送され、かつＨＡＲＱ処理２が、参照サブフレーム＃ｎ＋１において正しく伝送されるが、基地局は、ＨＡＲＱ処理２だけをスケジューリングし、ＨＡＲＱ処理１の再送はスケジューリングしない。ＵＥは、両方の参照サブフレームのＨＡＲＱインジケーションは受信せず、ＨＡＲＱ処理１が正しく伝送されたかどうかを決定することができず、したがって、ＣＷＳを変化しないままに維持する、もしくはＣＷＳを減少させる。
【０１７７】
図８（ｄ）に示されるとおり、ＵＥのＨＡＲＱ処理１が、参照サブフレーム＃ｎにおいて誤って伝送され、かつＨＡＲＱ処理２が、参照サブフレーム＃ｎ＋１において正しく伝送され、基地局は、両方の処理の再送／初期伝送はスケジューリングしない。ＵＥは、２つの参照サブフレームのいずれかのＨＡＲＱインジケーションを受信せず、ＨＡＲＱ処理１およびＨＡＲＱ処理２が正しく伝送されたかどうかを決定することができず、したがって、ＣＷＳを変化しないままに維持する、もしくはＣＷＳを減少させる。
【０１７８】
任意選択で、ＵＥによる、第２のアップリンクバーストのＣＷＳを、参照サブフレームに関する制御シグナリングにおいて少なくとも１つのＨＡＲＱインジケーションに従って決定するステップは、
参照サブフレームにおける少なくとも１つのアップリンクサブフレームに関してＨＡＲＱインジケーションが受信され、かつＨＡＲＱインジケーションが再送であるアップリンクサブフレームの量が第１の事前設定された閾値より大きい、もしくはそれと等しい場合、ＣＷＳを増加させるステップ、
参照サブフレームにおける少なくとも１つのアップリンクサブフレームに関してＨＡＲＱインジケーションが受信され、かつ参照サブフレームにおいて、すべてのアップリンクサブフレームにおけるＨＡＲＱインジケーションが再送であるアップリンクサブフレームの量のパーセンテージが第２の事前設定された閾値より大きい、もしくはそれと等しい場合、ＣＷＳを増加させるステップ、
参照サブフレームにおける少なくとも１つのアップリンクサブフレームに関してＨＡＲＱインジケーションが受信され、かつＨＡＲＱインジケーションが初期伝送であるアップリンクサブフレームの量が第３の事前設定された閾値より大きい、もしくはそれと等しい場合、ＣＷＳを減少させるステップ、
参照サブフレームにおける少なくとも１つのアップリンクサブフレームに関してＨＡＲＱインジケーションが受信され、かつ参照サブフレームにおいて、すべてのアップリンクサブフレームにおけるＨＡＲＱインジケーションが初期伝送であるアップリンクサブフレームの量のパーセンテージが第４の事前設定された閾値より大きい、もしくはそれと等しい場合、ＣＷＳを減少させるステップ、または
参照サブフレームにおける少なくとも１つのアップリンクサブフレームに関してＨＡＲＱインジケーションが受信されない場合、ＣＷＳを変化しないままに維持する、もしくはＣＷＳを減少させるステップを含む。
【０１７９】
さらに、任意選択で、参照サブフレームにおける少なくとも１つのアップリンクサブフレームに関してＨＡＲＱインジケーションが受信され、かつＨＡＲＱインジケーションが再送であるアップリンクサブフレームの量が第１の事前設定された閾値未満である、もしくはそれと等しい場合、ＣＷＳは、変化しないままである、もしくはＣＷＳは、減少させられるべきである。参照サブフレームにおける少なくとも１つのアップリンクサブフレームに関してＨＡＲＱインジケーションが受信され、かつインジケーションが初期伝送であるアップリンクサブフレームの量が第３の事前設定された閾値未満である、もしくはそれと等しい場合、ＣＷＳは、変化しないままである、もしくはＣＷＳは、減少させられるべきである。
【０１８０】
任意選択で、参照サブフレームにおける少なくとも１つのアップリンクサブフレームに関してＨＡＲＱインジケーションが受信され、かつ参照サブフレームにおいて、すべてのアップリンクサブフレームにおけるインジケーションが再送であるアップリンクサブフレームの量のパーセンテージが第２の事前設定された閾値未満である、もしくはそれと等しい場合、ＣＷＳは、減少させられるべきである、もしくはＣＷＳは、変化しないままである。参照サブフレームにおける少なくとも１つのアップリンクサブフレームに関してＨＡＲＱインジケーションが受信され、かつ参照サブフレームにおいて、すべてのアップリンクサブフレームにおけるインジケーションが初期伝送であるアップリンクサブフレームの量のパーセンテージが第４の事前設定された閾値未満である、もしくはそれと等しい場合、ＣＷＳは、減少させられるべきである、もしくはＣＷＳは、変化しないままである。
【０１８１】
さらに、参照サブフレームにおける少なくとも１つの参照サブフレームが、ＵＥによって送信されないアップリンクサブフレームである場合、少なくとも１つの参照サブフレームは、省かれ、ＣＷＳを調整するために使用されない。
【０１８２】
以下の内容は、基地局による、ＵＥの第２のアップリンクバーストのコンテンションウィンドウ情報を、参照サブフレームに従って決定するための方法を主に説明する。以下は、基地局による参照サブフレームを決定するための方法を詳述することに焦点を合わせる。
【０１８３】
コンテンションウィンドウ情報を決定するより前に、基地局は、参照サブフレームをさらに決定してよいことを理解されたい。参照サブフレームを決定するのに、第２のアップリンクバーストより前であり、かつ第１のアップリンクバーストとして使用され得るアップリンクバーストが、最初に決定されてよい。
【０１８４】
任意選択で、第１のアップリンクバーストは、各アップリンクサブフレームがＵＥによって送信され、かつ基地局によってスケジューリングされる第１のアップリンクバーストである。
【０１８５】
第１のアップリンクバーストは、ＵＥによって送信され、かつ基地局によってスケジューリングされるアップリンクサブフレームのうちの少なくとも１つであることを理解されたい。第１のアップリンクバーストが、ＵＥによって送信され、かつ基地局によってスケジューリングされる少なくとも２つのアップリンクサブフレームを含む場合、基地局によってスケジューリングされる少なくとも２つのアップリンクサブフレームは、時間的に連続していてよく、または時間的に不連続であってよい。
【０１８６】
ユーザが基地局によってスケジューリングされるアップリンクサブフレームは、セル固有のアップリンクサブフレームであることに留意されたい。しかし、基地局によるユーザのアップリンクスケジューリングは、必ずしも連続しておらず、いくつかのアップリンクサブフレームにおいて、ユーザは、スケジューリングされず、またはユーザの代わりに別のユーザがスケジューリングされ、ユーザがスケジューリングされないアップリンクサブフレームは、ユーザのチャネル状態を反映することができない。したがって、基地局によってスケジューリングされたアップリンクサブフレームにおける少なくとも１つのアップリンクサブフレームの規則に従って獲得される第１のアップリンクバーストは、少なくとも１つのアップリンクサブフレームの規則に基づいて獲得される第１のアップリンクバーストとは異なることがあり、前者は、ＣＷＳの調整をより正確に決定することができる。
【０１８７】
例えば、図９に示されるとおり、時間的に連続したアップリンクサブフレームの規則に基づいて選択された第１のアップリンクバーストは、｛＃ｎ＋４，＃ｎ＋５，＃ｎ＋６，＃ｎ＋７｝である。基地局が、サブフレーム＃ｎ＋４、＃ｎ＋５、および＃ｎ＋７においてだけアップリンク情報を送信するようＵＥをスケジューリングし、＃ｎ＋６におけるアップリンク送信をスケジューリングしない、または＃ｎ＋６においてアップリンク送信を実行するよう別のＵＥをスケジューリングする。したがって、２つの第１のアップリンクバースト｛＃ｎ＋４，＃ｎ＋５｝および｛＃ｎ＋７｝が、基地局によってスケジューリングされたアップリンクサブフレームにおいて時間的に連続したアップリンクサブフレームの規則に基づいて獲得され得る。
【０１８８】
任意選択で、第１のアップリンクバーストは、各アップリンクサブフレームがＵＥによって送信され、かつ基地局によって検出される第１のアップリンクバーストである。
【０１８９】
第１のアップリンクバーストは、ＵＥによって実際に送信され、かつ基地局によって検出されるアップリンクサブフレームのうちの少なくとも１つであることを理解されたい。具体的に言うと、第１のアップリンクバーストの決定中、ＵＥがアップリンク情報を送信せず、かつ基地局によって検出されるアップリンクサブフレームが、省かれる。例えば、ＵＥは、いずれのチャネルも捕捉しないことがあり、したがって、アップリンクサブフレームを占有しないが、ＵＥがアップリンク情報を実際に送信し、かつ基地局によって第１のアップリンクバーストとして検出される少なくとも１つのアップリンクサブフレームを使用する。第１のアップリンクバーストが、ＵＥによって実際に送信され、かつ基地局によって検出される少なくとも２つのアップリンクサブフレームを含む場合、ＵＥによって実際に送信される少なくとも２つのアップリンクサブフレームは、時間的に連続していてよく、または時間的に不連続であってよい。
【０１９０】
ＵＥによって実際に送信され、かつ基地局によって検出されるアップリンクサブフレームは、基地局によってスケジューリングされたアップリンクサブフレームであるが、ＵＥがいずれのチャネルも捕捉しないことがあるため、送信されないことを理解されたい。したがって、ＵＥによって実際に送信され、かつ基地局によって検出されるアップリンクサブフレームのうちの少なくとも１つの規則に従って獲得される第１のアップリンクバーストは、基地局によってスケジューリングされたアップリンクサブフレームのうちの少なくとも１つの規則に基づいて獲得される第１のアップリンクバーストとは異なることがあり、前者は、ＣＷＳの調整をより正確に決定し得る。
【０１９１】
例えば、図１０に示されるとおり、基地局が、サブフレーム＃ｎ＋４、＃ｎ＋５、および＃ｎ＋７においてアップリンク情報を送信するようＵＥをスケジューリングする。したがって、２つの第１のアップリンクバースト｛＃ｎ＋４，＃ｎ＋５｝および｛＃ｎ＋７｝が、基地局によってスケジューリングされたアップリンクサブフレームにおいて時間的に連続したアップリンクサブフレームの規則に基づいて獲得される。ＵＥが、サブフレーム＃ｎ＋４においていずれのチャネルも捕捉しないが、サブフレーム＃ｎ＋５においてチャネルを捕捉し、かつ送信を実行することを考慮すると、ＵＥによって実際に送信され、かつ基地局によって検出されるアップリンクサブフレームにおいて時間的に連続したアップリンクサブフレームの規則に基づいて獲得される２つの第１のアップリンクバーストは、｛＃ｎ＋５｝および｛＃ｎ＋７｝である。
【０１９２】
ＵＥによって実際に送信され、かつ基地局によって検出されるアップリンクサブフレームのうちの少なくとも１つの規則に従って獲得される第１のアップリンクバーストにおいて、すべての第１のアップリンクバーストのすべてのアップリンクサブフレームが、ＵＥによって実際に送信され、かつ基地局によって検出されるアップリンクサブフレームであることを理解されたい。
【０１９３】
アップリンク伝送に関する参照サブフレームは、第２のアップリンクバーストをスケジューリングするより前に基地局によって受信される第１のアップリンクバーストにおける１つまたは複数のアップリンクサブフレームであってよいことを理解されたい。
【０１９４】
しかし、ダウンリンク伝送中、各ダウンリンクサブフレームのＡＣＫ／ＮＡＣＫ状態が基地局によって獲得され得る。しかし、アップリンク伝送中、参照サブフレームにおけるアップリンクサブフレームが、ＵＥにスケジューリングされるが、ＵＥが、サブフレームを送信するいずれの機会も獲得しない場合、基地局は、物理アップリンク共有チャネル（Ｐｈｙｓｉｃａｌ  Ｈｙｂｒｉｄ−ＡＲＱ  Ｉｎｄｉｃａｔｏｒ  Ｃｈａｎｎｅｌ、略して「ＰＵＳＣＨ」）を検出するとき、受信が失敗したこと、すなわち、受信状態がＮＡＣＫであることを決定する。
【０１９５】
既存のＬＴＥ標準リリースにおける基地局に対する要件によれば、基地局は、不成功の受信の状態が、ＵＥがアップリンクサブフレームを送信しないという事実によってもたらされたのか、またはＵＥがアップリンクサブフレームを送信するが、基地局が、劣悪なチャネル品質のためにアップリンクサブフレームを検出しないという事実によってもたらされたのかを決定しないことがある。
【０１９６】
基地局デバイスの実装によれば、いくつかの基地局は、ＵＥがアップリンクサブフレームを送信するかどうかを検出することがあることを理解されたい。
【０１９７】
具体的には、基地局が、ＰＵＳＣＨの受信が失敗したことを検出する場合、基地局は、アップリンクサブフレームのＤＭ−ＲＳをさらに検出する。参照信号は、符号シーケンスであるため、参照信号が検出されることに成功する確率は、ＰＵＳＣＨのそれよりはるかに大きい。基地局が、ＤＭ−ＲＳが存在することを検出する場合、基地局は、ＰＵＳＣＨ上の不成功の受信が劣悪なチャネル品質によってもたらされたことを決定してよい。基地局がＤＭ−ＲＳを検出しない場合、基地局は、ＵＥがアップリンクサブフレームを実際に送信してはいないことを決定し、したがって、参照サブフレームの選択中、基地局によるＰＵＳＣＨの不成功の受信をもたらすアップリンクサブフレームを、アップリンクサブフレームがＵＥによって送信されないため、省く。
【０１９８】
任意選択で、参照サブフレームは、ＵＥによって送信され、かつ第１のアップリンクバーストにおいて基地局によって検出される少なくとも１つのアップリンクサブフレームである。
【０１９９】
第１のアップリンクバーストにおいて、ＵＥによって実際に送信され、かつ基地局によって検出されるアップリンクサブフレームだけが参照サブフレームとして確保されること、およびＵＥがアップリンク情報を送信せず、かつ基地局によって検出されるアップリンクサブフレームは、省かれることを理解されたい。例えば、アップリンクサブフレームは、ＵＥがいずれのチャネルも捕捉しないため、ＵＥによって占有されない。
【０２００】
図１１に示されるとおり、基地局が、ＵＥがアップリンクサブフレームを送信するかどうかを検出し、かつ決定する能力を有するとき、基地局がＰＵＳＣＨを受信することに成功し、かつＤＭ−ＲＳを検出する場合、基地局は、ＵＥがアップリンクサブフレームを実際に送信することを決定し、かつサブフレームの受信状態がＡＣＫであることを決定してよく、基地局がＰＵＳＣＨを受信することに失敗し、かつＤＭ−ＲＳを検出する場合、基地局は、ＵＥがアップリンクサブフレームを実際に送信することを決定し、かつサブフレームの受信状態がＮＡＣＫであることを決定してよく、基地局がＰＵＳＣＨを受信することに失敗し、かつＤＭ−ＲＳを検出しない場合、基地局は、ＵＥがアップリンクサブフレームを送信しないことを決定してよく、かつサブフレームを省き、サブフレームを参照サブフレームに追加しなくてよい。
【０２０１】
基地局が、ＵＥが送信を実行するかどうかを検出する能力を有しない場合、基地局は、スケジューリング下のＵＥによって送信され、かつ第１のアップリンクバーストに含められるすべてのアップリンクサブフレームが、ＵＥによって実際に送信されることを決定する必要があることをさらに理解されたい。したがって、ＰＵＳＣＨの受信が失敗するすべてのアップリンクサブフレームが、ＮＡＣＫとして決定される。この事例において、ＵＥによって実際に送信されないアップリンクサブフレームの受信状態が、ＮＡＣＫとして誤って決定されて、ＵＥの決定されたＣＷＳが比較的大きくなることをもたらすことがある。
【０２０２】
任意選択で、参照サブフレームは、受信状態が第１のアップリンクバーストにおいて基地局によって検出されている少なくとも１つのアップリンクサブフレームである。
【０２０３】
任意選択で、参照サブフレームは、受信状態が第１のアップリンクバーストにおいて基地局によって獲得される少なくとも１つのアップリンクサブフレームである。
【０２０４】
ＰＵＳＣＨの受信検出において遅延が存在することがあるため、基地局は、制御シグナリングが送信されるアップリンクサブフレーム終了時点で、ＰＵＳＣＨが受信されることに成功したかどうかを検出することを完了しないことがあることを理解されたい。したがって、参照サブフレームを選択するのに、ＰＵＳＣＨの受信検出における遅延のために受信状態が決定されることができないアップリンクサブフレームが排除される必要がある。
【０２０５】
例えば、図１２に示されるとおり、参照サブフレームにおける少なくとも１つのアップリンクサブフレームの受信状態がＮＡＣＫであると想定すると、ＣＷＳは、増加させられるべきであり、そうでない場合、ＣＷＳは、減少させられるべきである。基地局によって実行される受信検出に１ミリ秒の遅延が存在するため、ダウンリンクサブフレーム＃ｎ＋４は、第１のアップリンクバーストにおける最後のアップリンクサブフレーム＃ｎ＋３のＰＵＳＣＨ受信状態を決定することができない。したがって、ダウンリンクサブフレーム＃ｎ＋４に対応する参照サブフレームは、｛＃ｎ，＃ｎ＋１，＃ｎ＋２｝であり、基地局は、ＣＷＳを減少させるよう命令するＵＬグラントを送信する。ダウンリンクサブフレーム＃ｎ＋５に対応する参照サブフレームは、｛＃ｎ，＃ｎ＋１，＃ｎ＋２，＃ｎ＋３｝であり、基地局は、ＣＷＳを増加させるよう命令するＵＬグラントを送信する。
【０２０６】
任意選択で、第１のアップリンクバーストにおいて、基地局が制御シグナリングを送信するダウンリンクサブフレームに最も近い第１のアップリンクバーストが選択されてよい。この選択方法は、より適時の様態で瞬時のチャネル状態を反映することができる。あるいは、基地局が制御シグナリングを送信するダウンリンクサブフレームに最も近い複数の第１のアップリンクバーストが選択されてよい。この選択方法において、参照セットは、比較的大量の要素を含み、かつこのことは、チャネル状態の平均パフォーマンスをよりよく反映することができる。
【０２０７】
任意選択で、参照サブフレームは、制御シグナリングがＵＥに送信されるより前の制御シグナリングに最も近い少なくとも１つの第１のアップリンクバーストのそれぞれにおける少なくとも１つのアップリンクサブフレームである。
【０２０８】
基地局が制御シグナリングを送信するダウンリンクサブフレームに最も近い第１のアップリンクバーストである第１のアップリンクバーストが選択されなければならないことを理解されたい。
【０２０９】
任意選択で、参照サブフレームは、制御シグナリングがＵＥに送信されるより前の制御シグナリングに最も近い第１のアップリンクバーストにおけるすべてのアップリンクサブフレーム、第１のアップリンクサブフレーム、または最後のアップリンクサブフレームである。
【０２１０】
具体的には、第１のアップリンクバーストにおけるアップリンクサブフレームの選択は、図１３（ａ）に示されるとおり、参照サブフレームに関して、スケジューリング時点に最も近く、かつそれより前の第１のアップリンクバーストに含められたすべてのアップリンクサブフレームが選択されてよいことを含んでよい。
【０２１１】
図１３（ｂ）に示されるとおり、参照サブフレームに関して、スケジューリング時点に最も近く、かつそれより前の第１のアップリンクバーストにおける第１のアップリンクサブフレームが選択されてよい。
【０２１２】
図１３（ｃ）に示されるとおり、参照サブフレームに関して、スケジューリング時点に最も近く、かつそれより前の第１のアップリンクバーストにおける最後のアップリンクサブフレームが選択されてよい。
【０２１３】
任意選択で、参照サブフレームは、ＵＥによって送信され、かつ基地局が制御シグナリングをＵＥに送信するより前の制御シグナリングに最も近い第１のアップリンクバーストにおいて基地局によって検出されるアップリンクサブフレームのうちの少なくとも１つである。第１のアップリンクバーストは、各アップリンクサブフレームがＵＥによって送信され、かつ基地局によってスケジューリングされる第１のアップリンクバーストである。
【０２１４】
さらに、参照サブフレームは、ＵＥによって送信され、かつ基地局が制御シグナリングをＵＥに送信するより前の制御シグナリングに最も近い第１のアップリンクバーストにおいて基地局によって検出されるアップリンクサブフレームにおけるすべてのアップリンクサブフレーム、第１のアップリンクサブフレーム、または最後のアップリンクサブフレームである。第１のアップリンクバーストは、各アップリンクサブフレームがＵＥによって送信され、かつ基地局によってスケジューリングされる第１のアップリンクバーストである。
【０２１５】
ＵＥのものであり、かつ基地局によってスケジューリングされるアップリンクサブフレームにおいて、ＵＥがいずれのチャネルも捕捉しないため、ＵＥによって占有されないサブフレームが存在することがあることを理解されたい。
【０２１６】
したがって、第１のバーストが、基地局によってスケジューリングされるアップリンクサブフレームにおける少なくとも１つのアップリンクサブフレームの規則に従って選択され、かつ参照サブフレームが、第１のバーストにおけるすべてのアップリンクサブフレーム、第１のアップリンクサブフレーム、または最後のアップリンクサブフレームに限定される場合、これらのサブフレームは、「参照サブフレームは、ＵＥによって送信され、かつ第１のアップリンクバーストにおいて基地局によって検出される各アップリンクサブフレームである」という限定を満たさないことがある。
【０２１７】
参照サブフレームに関する両方の限定条件を満たすようにするのに、ＵＥによって送信され、かつ第１のバーストにおいて基地局によって検出されるアップリンクサブフレームにおけるすべてのアップリンクサブフレーム、第１のアップリンクサブフレーム、または最後のアップリンクサブフレームが選択されてよい。
【０２１８】
例えば、第１のアップリンクバーストが、｛＃ｎ，＃ｎ＋１，＃ｎ＋２，＃ｎ＋３｝である。基地局が、ＵＥがアップリンクサブフレーム＃ｎを送信しないことを検出し、かつ基地局が、＃ｎ＋１、＃ｎ＋２、および＃ｎ＋３が送信されることを検出する。参照サブフレームの選択規則が、ＵＥによって送信され、かつ第１のバーストにおいて基地局によって検出されるアップリンクサブフレームにおける第１のアップリンクサブフレームである場合、選択の結果は、＃ｎ＋１である。
【０２１９】
第１のアップリンクバーストが、ＵＥによって送信され、かつ基地局によって検出されているアップリンクサブフレームを含まない場合、第１のアップリンクバーストは、省かれ、最も近く、かつＵＥによって送信され、かつ基地局によって検出されている少なくとも１つのアップリンクサブフレームを含む第１のアップリンクバーストが選択されることを理解されたい。
【０２２０】
任意選択で、参照サブフレームは、受信状態が、基地局が制御シグナリングをＵＥに送信するより前の制御シグナリングに最も近い第１のアップリンクバーストにおいて基地局によって検出されているアップリンクサブフレームにおける少なくとも１つの参照サブフレームである。
【０２２１】
任意選択で、参照サブフレームは、受信状態が、基地局が制御シグナリングをＵＥに送信するより前の制御シグナリングに最も近い第１のアップリンクバーストにおいて基地局によって検出されているアップリンクサブフレームにおけるすべてのアップリンクサブフレーム、第１のアップリンクサブフレーム、または最後のアップリンクサブフレームである。
【０２２２】
基地局によるＰＵＳＣＨの受信検出における遅延のため、受信状態が第１のアップリンクバーストにおいて基地局によって検出されていないアップリンクサブフレームが存在することがあることを理解されたい。
【０２２３】
したがって、参照サブフレームが、第１のバーストにおけるすべてのアップリンクサブフレーム、第１のアップリンクサブフレーム、または最後のアップリンクサブフレームに限定される場合、これらのサブフレームは、「参照サブフレームは、受信状態が第１のアップリンクバーストにおいて基地局によって検出されている各アップリンクサブフレームである」という限定を満たさないことがある。
【０２２４】
参照サブフレームに関する両方の限定条件を満たすようにするのに、受信状態が第１のバーストにおいて検出されているアップリンクサブフレームにおけるすべてのアップリンクサブフレーム、第１のアップリンクサブフレーム、または最後のアップリンクサブフレームが選択されてよい。
【０２２５】
例えば、第１のバーストが、｛＃ｎ，＃ｎ＋１，＃ｎ＋２，＃ｎ＋３｝である。アップリンクサブフレーム＃ｎ＋３の受信状態が検出されない。参照サブフレームの選択規則が、受信状態が第１のバーストにおいて基地局によって検出されているアップリンクサブフレームにおける最後のアップリンクサブフレームである場合、選択の結果は、＃ｎ＋３である。
【０２２６】
第１のアップリンクバーストが、受信状態が基地局によって検出されているアップリンクサブフレームを含まない場合、第１のアップリンクバーストは、省かれることを理解されたい。
【０２２７】
任意選択で、参照サブフレームは、受信状態が、制御シグナリングがＵＥに送信されるより前の制御シグナリングに最も近い第１のアップリンクバーストにおいて検出されている少なくとも１つのアップリンクサブフレームである。
【０２２８】
さらに、参照サブフレームは、受信状態が、制御シグナリングがＵＥに送信されるより前の制御シグナリングに最も近い第１のアップリンクバーストにおいて検出されているすべてのアップリンクサブフレーム、第１のアップリンクサブフレーム、または最後のアップリンクサブフレームである。
【０２２９】
第１のアップリンクバーストにおける少なくとも１つのアップリンクサブフレームの受信状態が検出されていない場合、第１のアップリンクバーストは、受信状態が検出されていないアップリンクサブフレームを含む第１のアップリンクバーストであり、第１のアップリンクバーストは、省かれることを理解されたい。そうでない場合、第１のアップリンクバーストは、受信状態が検出されている第１のアップリンクバーストである。
【０２３０】
さらに、少なくとも１つのアップリンクサブフレームは、第１のアップリンクバーストにおける任意のアップリンクサブフレーム、すべてのアップリンクサブフレーム、第１のアップリンクサブフレーム、または最後のアップリンクサブフレームである。
【０２３１】
受信状態が基地局によって検出されていない第１のアップリンクバーストを省くことは、参照サブフレームに関する両方の限定条件が満たされることをもたらす別の方法であることを理解されたい。
【０２３２】
例えば、連続した２つのアップリンクバースト｛＃ｎ−５，＃ｎ−４，＃ｎ−３，＃ｎ−２｝および｛＃ｎ，＃ｎ＋１，＃ｎ＋２，＃ｎ＋３｝に関して、アップリンクバースト｛＃ｎ，＃ｎ＋１，＃ｎ＋２，＃ｎ＋３｝が、基地局によって送信される制御シグナリングに最も近く、アップリンクサブフレーム＃ｎ＋３の受信状態が、検出されていない。アップリンクバーストにおける最後のアップリンクサブフレームの受信状態が検出されていない場合、アップリンクバーストは、受信状態が検出されていないアップリンクバーストであることが定義される。この事例において、参照サブフレームの選択規則は、受信状態が、受信状態が検出されていないアップリンクサブフレームを含む第１のアップリンクバースト以外の制御シグナリングに最も近い第１のアップリンクバーストにおいて検出されている最後のアップリンクサブフレームであり、選択の結果は、＃ｎ−２である。
【０２３３】
具体的には、受信状態が検出されていないアップリンクサブフレームを含む第１のアップリンクバースト以外の、制御シグナリングが現在、送信されるダウンリンクサブフレームに最も近い第１のアップリンクバーストが選択される場合、第１のアップリンクバーストにおけるアップリンクサブフレームの選択は、図１４（ａ）に示されるとおり、参照サブフレームに関して、ＰＵＳＣＨが検出されており、かつスケジューリング時点に最も近く、かつそれより前の第１のアップリンクバーストにおけるすべてのアップリンクサブフレームが選択されてよいことを含んでよい。
【０２３４】
図１４（ｂ）に示されるとおり、参照サブフレームに関して、ＰＵＳＣＨが検出されており、かつスケジューリング時点に最も近く、かつそれより前の第１のアップリンクバーストにおける第１のアップリンクサブフレームが選択されてよい。
【０２３５】
図１４（ｃ）に示されるとおり、参照サブフレームに関して、ＰＵＳＣＨが検出されており、かつスケジューリング時点に最も近く、かつそれより前の第１のアップリンクバーストにおける最後のアップリンクサブフレームが選択されてよい。
【０２３６】
基地局が、制御シグナリングが送信されるダウンリンクサブフレームに最も近い複数の第１のアップリンクバーストを選択する場合、複数の第１のアップリンクバーストを選択するための方法は、以下のとおりであってよいことを理解されたい。
【０２３７】
第１のアップリンクバーストは、第１のアップリンクバーストの事前定義された量に依存して選択される。例えば、事前定義された量が２である場合、制御シグナリングが送信されるダウンリンクサブフレームに最も近い２つの第１のアップリンクバーストが選択される。
【０２３８】
あるいは、第１のアップリンクバーストは、事前定義された時間ウィンドウに依存して選択される。時間ウィンドウの終了時点は、シグナリングが現在、送信されるダウンリンクサブフレームの開始時点である。時間ウィンドウの長さは、事前定義された長さである。事前定義された長さは、プロトコルにおいて指定されてよく、またはオペレータによって事前対応で構成されてよく、または基地局によって半静的もしくは動的に構成されてよい。例えば、事前定義された時間ウィンドウは、５ミリ秒であり、制御シグナリングが送信されるダウンリンクサブフレームの時点より前の時間ウィンドウ５ミリ秒における複数の第１のアップリンクバーストが選択される。
【０２３９】
あるいは、第１のアップリンクバーストのＣＷＳが変化する開始時点と、シグナリングが送信されるダウンリンクサブフレームとの間のすべての第１のアップリンクバーストが選択される。
【０２４０】
例えば、図１５に示されるとおり、ＣＷＳが変化する以前の第１のアップリンクバーストと、シグナリングが送信されるダウンリンクサブフレームとの間のすべての第１のアップリンクバーストが選択される。ＣＷＳが変化することは、以前のアップリンクバーストのＣＷＳと比較して、現在のアップリンクバーストのＣＷＳが変化すること、すなわち、ＣＷＳが増加させられること、または減少させられることを意味する。方法は、ＣＷＳが調整される必要がある２つのアップリンクバーストの間の第２のアップリンクバーストが参照としてすべて使用されることを確実にすることができ、２つのセットの重なり合いが回避される。
【０２４１】
任意選択で、参照サブフレームは、事前定義された時間ウィンドウ内で制御シグナリングに最も近く、かつ制御シグナリングがＵＥに送信されるより前の少なくとも１つの第１のアップリンクバーストのそれぞれにおける少なくとも１つのアップリンクサブフレームであり、時間ウィンドウの終了時点は、制御シグナリングがＵＥに送信されるダウンリンクサブフレームの開始時点である。
【０２４２】
任意選択で、参照サブフレームは、制御シグナリングがＵＥに送信されるより前の制御シグナリングに最も近いｎの第１のアップリンクバーストのそれぞれにおける少なくとも１つのアップリンクサブフレームであり、ｎは、事前設定された量であり、かつｎは、１より大きい整数である。
【０２４３】
あるいは、参照サブフレームは、第１のアップリンクバーストのＣＷＳが変化する開始時点と、制御シグナリングが送信される時点との間の、かつ制御シグナリングがＵＥに送信されるより前のすべての第１のアップリンクバーストのそれぞれにおける少なくとも１つのアップリンクサブフレームであり、ＣＷＳが変化する第１のアップリンクバーストは、ＣＷＳが変化し、かつ制御シグナリングに最も近い第１のアップリンクバーストである。
【０２４４】
任意選択で、参照サブフレームは、事前定義された時間ウィンドウ内の制御シグナリングに最も近く、かつ制御シグナリングがＵＥに送信されるより前の少なくとも１つの第１のアップリンクバーストのそれぞれにおけるすべてのアップリンクサブフレーム、第１のアップリンクサブフレーム、または最後のアップリンクサブフレームであり、時間ウィンドウの終了時点は、制御シグナリングがＵＥに送信される開始時点である。
【０２４５】
任意選択で、参照サブフレームは、制御シグナリングがＵＥに送信されるより前の制御シグナリングに最も近いｎの第１のアップリンクバーストのそれぞれにおけるすべてのアップリンクサブフレーム、第１のアップリンクサブフレーム、または最後のアップリンクサブフレームであり、ｎは、事前設定された量であり、かつｎは、１より大きい整数である。
【０２４６】
あるいは、参照サブフレームは、第１のアップリンクバーストのＣＷＳが変化する開始時点と、制御シグナリングが送信される時点との間の、かつ制御シグナリングがＵＥに送信される前のすべての第１のアップリンクバーストのそれぞれにおけるすべてのアップリンクサブフレーム、第１のアップリンクサブフレーム、または最後のアップリンクサブフレームであり、ＣＷＳが変化する第１のアップリンクバーストは、ＣＷＳが変化し、かつ制御シグナリングに最も近い第１のアップリンクバーストである。
【０２４７】
任意選択で、参照サブフレームは、制御シグナリングが送信されるダウンリンクサブフレームに最も近い複数の第１のアップリンクバーストのそれぞれにおけるすべてのアップリンクサブフレーム、第１のアップリンクサブフレーム、または最後のアップリンクサブフレームであってよい。
【０２４８】
具体的には、図１６（ａ）に示されるとおり、参照サブフレームは、スケジューリング時点に最も近く、かつそれより前の複数の第１のアップリンクバーストのそれぞれにおけるすべてのアップリンクサブフレーム、第１のアップリンクサブフレーム、または最後のアップリンクサブフレームである。
【０２４９】
図１６（ｂ）に示されるとおり、参照サブフレームは、スケジューリング時点に最も近く、かつそれより前の複数の第１のアップリンクバーストのそれぞれにおける第１のアップリンクサブフレームである。
【０２５０】
図１６（ｃ）に示されるとおり、参照サブフレームは、スケジューリング時点に最も近く、かつそれより前の複数の第１のアップリンクバーストのそれぞれにおける最後のアップリンクサブフレームである。
【０２５１】
任意選択で、参照サブフレームは、ＵＥによって送信され、かつ基地局が制御シグナリングをＵＥに送信するより前の制御シグナリングに最も近い複数の第１のアップリンクバーストのそれぞれにおいて基地局によって検出されるアップリンクサブフレームのうちの少なくとも１つである。第１のアップリンクバーストは、各アップリンクサブフレームが、ＵＥによって送信され、かつ基地局によってスケジューリングされる第１のアップリンクバーストである。
【０２５２】
さらに、参照サブフレームは、ＵＥによって送信され、かつ基地局が制御シグナリングをＵＥに送信するより前の制御シグナリングに最も近い複数の第１のアップリンクバーストのそれぞれにおいて基地局によって検出されるアップリンクサブフレームにおけるすべてのアップリンクサブフレーム、第１のアップリンクサブフレーム、または最後のアップリンクサブフレームである。第１のアップリンクバーストは、各アップリンクサブフレームが、ＵＥによって送信され、かつ基地局によってスケジューリングされる第１のアップリンクバーストである。
【０２５３】
複数の第１のアップリンクバーストの事例に関して、基地局によって選択されるべき参照サブフレームは、ＵＥによって送信され、かつ複数の第１のバーストにおいて基地局によって検出されるアップリンクサブフレームにおけるすべてのアップリンクサブフレーム、第１のアップリンクサブフレーム、または最後のアップリンクサブフレームであることを理解されたい。このことは、１つのアップリンクバーストの事例と同一である。詳細が本明細書において再び説明されることはない。
【０２５４】
任意選択で、参照サブフレームは、受信状態が、基地局が制御シグナリングをＵＥに送信するより前の制御シグナリングに最も近い複数の第１のアップリンクバーストにおいて基地局によって検出されているアップリンクサブフレームのうちの少なくとも１つである。
【０２５５】
任意選択で、参照サブフレームは、受信状態が、基地局が制御シグナリングをＵＥに送信するより前の制御シグナリングに最も近い複数の第１のアップリンクバーストにおいて基地局によって検出されているアップリンクサブフレームにおけるすべてのアップリンクサブフレーム、第１のアップリンクサブフレーム、または最後のアップリンクサブフレームである。
【０２５６】
複数の第１のアップリンクバーストの事例に関して、基地局によって選択されるべき参照サブフレームは、受信状態が複数の第１のバーストにおいて検出されているアップリンクサブフレームにおけるすべてのアップリンクサブフレーム、第１のアップリンクサブフレーム、または最後のアップリンクサブフレームであることを理解されたい。このことは、１つのアップリンクバーストの事例と同一である。詳細が本明細書において再び説明されることはない。
【０２５７】
任意選択で、参照サブフレームは、受信状態が、制御シグナリングがＵＥに送信されるより前の制御シグナリングに最も近い複数の第１のアップリンクバーストにおいて検出されている少なくとも１つのアップリンクサブフレームである。
【０２５８】
さらに、参照サブフレームは、受信状態が、制御シグナリングがＵＥに送信されるより前の制御シグナリングに最も近い複数の第１のアップリンクバーストにおいて検出されているすべてのアップリンクサブフレーム、第１のアップリンクサブフレーム、または最後のアップリンクサブフレームである。
【０２５９】
第１のアップリンクバーストにおける少なくとも１つのアップリンクサブフレームの受信状態が検出されていない場合、第１のアップリンクバーストは、受信状態が検出されていないアップリンクサブフレームを含む第１のアップリンクバーストであり、第１のアップリンクバーストは、省かれることを理解されたい。そうでない場合、第１のアップリンクバーストは、受信状態が検出されている第１のアップリンクバーストである。さらに、少なくとも１つのアップリンクサブフレームは、第１のアップリンクバーストにおける任意のアップリンクサブフレーム、すべてのアップリンクサブフレーム、第１のアップリンクサブフレーム、または最後のアップリンクサブフレームである。
【０２６０】
複数の第１のアップリンクバーストを選択する事例において、受信状態が基地局によって検出されていない第１のアップリンクバーストは、省かれることを理解されたい。このことは、１つの第１のアップリンクバーストの事例と同一である。詳細が本明細書において再び説明されることはない。
【０２６１】
任意選択で、参照サブフレームは、受信状態が、制御シグナリングがＵＥに送信されるより前の制御シグナリングに最も近い複数の第１のアップリンクバーストにおいて検出されている少なくとも１つのアップリンクサブフレームである。
【０２６２】
さらに、参照サブフレームは、受信状態が、制御シグナリングがＵＥに送信されるより前の制御シグナリングに最も近い複数の第１のアップリンクバーストの各アップリンクバーストにおいて検出されているすべてのアップリンクサブフレーム、第１のアップリンクサブフレーム、または最後のアップリンクサブフレームである。
【０２６３】
第１のアップリンクバーストにおける少なくとも１つのアップリンクサブフレームの受信状態が検出されていない場合、第１のアップリンクバーストは、受信状態が検出されていないアップリンクサブフレームを含む第１のアップリンクバーストであり、第１のアップリンクバーストは、省かれることを理解されたい。そうでない場合、第１のアップリンクバーストは、受信状態が検出されている第１のアップリンクバーストである。
【０２６４】
さらに、少なくとも１つのアップリンクサブフレームは、第１のアップリンクバーストにおける任意のアップリンクサブフレーム、すべてのアップリンクサブフレーム、第１のアップリンクサブフレーム、または最後のアップリンクサブフレームである。
【０２６５】
複数の第１のアップリンクバーストを選択する事例において、受信状態が基地局によって検出されていない第１のアップリンクバーストは、省かれることを理解されたい。このことは、１つの第１のアップリンクバーストの事例と同一である。詳細が本明細書において再び説明されることはない。
【０２６６】
すべてのアップリンクサブフレームのＰＵＳＣＨ受信状態が検出されている複数の第１のアップリンクバーストは、すべてのアップリンクサブフレームのアップリンクＰＵＳＣＨ受信状態が検出されている複数の第１のアップリンクバーストであることを理解されたい。いずれのサブフレームの受信状態も検出されていない場合、第１のアップリンクバーストは、省かれる。
【０２６７】
具体的には、図１７（ａ）に示されるとおり、ＰＵＳＣＨ受信状態が検出されておらず、かつ制御シグナリングが現在、送信されるダウンリンクサブフレームに最も近いアップリンクサブフレームを含むアップリンクバーストが、省かれる。参照サブフレームは、スケジューリング時点に最も近く、かつそれより前の複数の第１のアップリンクバーストのそれぞれにおけるすべてのアップリンクサブフレームである。
【０２６８】
図１７（ｂ）に示されるとおり、ＰＵＳＣＨ受信状態が検出されておらず、かつ制御シグナリングが現在、送信されるダウンリンクサブフレームに最も近いアップリンクサブフレームを含むアップリンクバーストが、省かれる。参照サブフレームは、スケジューリング時点に最も近く、かつそれより前の複数の第１のアップリンクバーストのそれぞれにおける第１のアップリンクサブフレームである。
【０２６９】
図１７（ｃ）に示されるとおり、ＰＵＳＣＨ受信状態が検出されておらず、かつ制御シグナリングが現在、送信されるダウンリンクサブフレームに最も近いアップリンクサブフレームを含むアップリンクバーストが、省かれる。参照サブフレームは、スケジューリング時点に最も近く、かつそれより前の複数の第１のアップリンクバーストのそれぞれにおける最後のアップリンクサブフレームである。
【０２７０】
ＵＥの参照サブフレームの選択は、基地局の参照サブフレームの選択と同一であってよく、または異なっていてよいことを理解されたい。
【０２７１】
任意選択で、第１のアップリンクバーストは、各アップリンクサブフレームが、ＵＥによって送信され、かつ基地局によってスケジューリングされる第１のアップリンクバーストである。
【０２７２】
基地局によってスケジューリングされるアップリンクサブフレームのうちの少なくとも１つの規則に従って、ＵＥの側で実行されるＣＷＳの調整中に獲得される第１のアップリンクバーストは、基地局の側で実行されるＣＷＳの調整中に獲得される第１のアップリンクバーストと同一であることを理解されたい。詳細が本明細書において再び説明されることはない。
【０２７３】
第１のアップリンクバーストは、ＵＥによって実際に送信されるアップリンクサブフレームのうちの少なくとも１つであることを理解されたい。具体的に言うと、第１のアップリンクバーストの決定中、ＵＥによって送信されないアップリンクサブフレームは、省かれる。例えば、ＵＥは、いずれのチャネルも捕捉しないことがあり、したがって、アップリンクサブフレームを占有しないが、第１のアップリンクバーストとしてＵＥによって実際に送信される少なくとも１つのアップリンクサブフレームを使用する。
【０２７４】
ＵＥの側で実行されるＣＷＳの調整中、第１のバーストは、ＵＥが情報を実際に送信するアップリンクサブフレームのうちの少なくとも１つに限定される。このことは、ＵＥが情報を実際に送信し、かつ基地局の側で実行されるＣＷＳの調整中、基地局によって検出されるアップリンクサブフレームのうちの少なくとも１つの規則と同様である。
【０２７５】
しかし、基地局が、基地局の側で実行されるＣＷＳの調整中にアップリンクサブフレームに対して検出、例えば、ＤＭ−ＲＳ検出を実行して、ＵＥが情報を実際に送信するかどうかを獲得する事例とは異なり、ＵＥは、ＵＥが、情報が実際に送信されるアップリンクサブフレームを知っているため、同様の操作を実行する必要がない。
【０２７６】
任意選択で、参照サブフレームは、第１のアップリンクバーストにおいてＵＥによって送信される少なくとも１つのアップリンクサブフレームである。
【０２７７】
第１のアップリンクバーストにおいて、ＵＥがアップリンク情報を実際に送信するアップリンクサブフレームだけが参照サブフレームとして確保され、ＵＥがアップリンク情報を送信しないアップリンクサブフレームは、省かれることを理解されたい。例えば、アップリンクサブフレームは、ＵＥがいずれのチャネルも捕捉しないため、ＵＥによって占有されない。ＵＥの側で実行されるＣＷＳの調整中に選択される参照サブフレームが、ＵＥがアップリンク情報を実際に送信するアップリンクサブフレームである事例は、基地局の側で実行されるＣＷＳの調整中に選択される参照サブフレームが、ＵＥによって送信され、かつ基地局によって検出される各アップリンクサブフレームである事例と同様である。しかし、基地局が、基地局の側で実行されるＣＷＳの調整中にアップリンクサブフレームに対して検出、例えば、ＤＭ−ＲＳ検出を実行して、ＵＥが情報を実際に送信するかどうかを獲得する事例とは異なり、ＵＥは、ＵＥが、情報が実際に送信されるアップリンクサブフレームを知っているため、同様の操作を実行する必要がない。
【０２７８】
任意選択で、参照サブフレームは、受信状態が第１のアップリンクバーストにおいてＵＥによって獲得される少なくとも１つのアップリンクサブフレームである。
【０２７９】
ＵＥによる第１のアップリンクバーストに対する限定は、基地局の側の第１のアップリンクバーストに対する限定と同様であり、かつ第１のアップリンクバーストは、ＵＥのものであり、かつ基地局によってスケジューリングされる少なくとも１つのアップリンクサブフレームであってよいことを理解されたい。あるいは、ＵＥが、基地局によってスケジューリングされる各アップリンクサブフレームを捕捉しないことがあることを考慮すると、第１のアップリンクバーストは、ＵＥによって実際に送信される少なくとも１つのアップリンクサブフレームに限定される。
【０２８０】
しかし、基地局の側のＵＥのＣＷＳの調整とは異なり、ＵＥの側のＣＷＳを調整する事例において、基地局によるＵＬグラントの再送スケジューリングが非同期であるため、ＵＥは、次のアップリンクバーストより前に、以前のバーストにおける各サブフレームの受信状態を獲得しないことがある。
【０２８１】
したがって、参照サブフレームのものであり、かつＵＥによって獲得される受信状態は、サブフレームのものであり、かつＵＬグラントを使用することによって獲得される初期伝送インジケーションまたは再送インジケーションとして定義される。初期伝送は、ＵＬグラントが、サブフレームと同一であるＨＡＲＱ処理番号を搬送することを表し、ＮＤＩが切り換えられる。再送は、ＵＬグラントが、サブフレームと同一であるＨＡＲＱ処理番号を搬送することを表し、ＮＤＩは、変化しない。ＵＥは、いくつかだけのサブフレームのＨＡＲＱ処理番号を受信することがあり、またはいずれのサブフレームのＨＡＲＱ処理番号も受信しない。
【０２８２】
基地局が、参照サブフレームに関して初期伝送が存在するか、再送が存在するかを示さない場合、ＵＥは、サブフレームが正しく伝送されるかどうかを正確に決定することができないことをさらに理解されたい。このことは、ＣＷＳの調整の精度に影響を及ぼす。したがって、参照サブフレームは、受信状態がＵＥによって獲得されるアップリンクサブフレームにさらに限定される。
【０２８３】
任意選択で、第１のアップリンクバーストは、各アップリンクサブフレームが、アップリンク情報を送信するのにＵＥによって使用される第１のアップリンクバーストである。
【０２８４】
第１のアップリンクバーストは、ＵＥによって実際に送信されるアップリンクサブフレームにおける時間的に連続したアップリンクサブフレームであることを理解されたい。具体的に言うと、第１のアップリンクバーストの決定中、ＵＥによって送信されないアップリンクサブフレームは、省かれる。例えば、ＵＥは、いずれのチャネルも捕捉しないことがあり、したがって、アップリンクサブフレームを占有しないが、第１のアップリンクバーストとしてＵＥによって実際に送信される時間的に連続したアップリンクサブフレームを使用する。
【０２８５】
ＵＥの側で実行されるＣＷＳの調整中、第１のバーストは、時間的に連続し、かつＵＥが情報を実際に送信するアップリンクサブフレームにおけるアップリンクサブフレームに限定されることを理解されたい。このことは、ＵＥが情報を実際に送信し、かつ基地局の側で実行されるＣＷＳの調整中、基地局によって検出されるアップリンクサブフレームにおける、時間的に連続したアップリンクサブフレームの規則と同様である。
【０２８６】
しかし、基地局が、基地局の側で実行されるＣＷＳの調整中にアップリンクサブフレームに対して検出、例えば、ＤＭ−ＲＳ検出を実行して、ＵＥが情報を実際に送信するかどうかを獲得する事例とは異なり、ＵＥは、ＵＥが、情報が実際に送信されるアップリンクサブフレームを知っているため、同様の操作を実行する必要がない。
【０２８７】
任意選択で、参照サブフレームは、ＵＥが第１のアップリンクバーストにおいてアップリンク情報を送信する各アップリンクサブフレームである。
【０２８８】
第１のアップリンクバーストにおいて、ＵＥがアップリンク情報を実際に送信するアップリンクサブフレームだけが参照サブフレームとして確保され、ＵＥがアップリンク情報を送信しないアップリンクサブフレームは、省かれることを理解されたい。例えば、アップリンクサブフレームは、ＵＥがいずれのチャネルも捕捉しないため、ＵＥによって占有されない。
【０２８９】
ＵＥの側で実行されるＣＷＳの調整中、選択される参照サブフレームは、ＵＥがアップリンク情報を実際に送信するアップリンクサブフレームであることをさらに理解されたい。同様に、基地局の側で実行されるＣＷＳの調整中、選択される参照サブフレームは、ＵＥによって送信され、かつ基地局によって検出される各アップリンクサブフレームである。しかし、基地局が、基地局の側で実行されるＣＷＳの調整中にアップリンクサブフレームに対して検出、例えば、ＤＭ−ＲＳ検出を実行して、ＵＥが情報を実際に送信するかどうかを獲得する事例とは異なり、ＵＥは、ＵＥが、情報が実際に送信されるアップリンクサブフレームを知っているため、同様の操作を実行する必要がない。
【０２９０】
任意選択で、参照サブフレームは、ＵＥが第２のアップリンクバーストを送信するより前の、第２のアップリンクバーストが送信される開始時点に最も近い少なくとも１つの第１のアップリンクバーストのそれぞれにおける少なくとも１つのアップリンクサブフレームである。第１のアップリンクバーストは、各アップリンクサブフレームが、ＵＥによって送信され、かつ基地局によってスケジューリングされる第１のアップリンクバーストである。
【０２９１】
任意選択で、参照サブフレームは、ＵＥが第２のアップリンクバーストを送信するより前の、第２のアップリンクバーストが送信される開始時点に最も近い少なくとも１つの第１のアップリンクバーストのそれぞれにおけるすべてのアップリンクサブフレーム、第１のアップリンクサブフレーム、または最後のアップリンクサブフレームである。第１のアップリンクバーストは、各アップリンクサブフレームが、ＵＥによって送信され、かつ基地局によってスケジューリングされる第１のアップリンクバーストである。
【０２９２】
任意選択で、参照サブフレームは、ＵＥがアップリンク情報を送信し、かつＵＥが第２のアップリンクバーストを送信するより前の、第２のアップリンクバーストが送信される開始時点に最も近い少なくとも１つの第１のアップリンクバーストのそれぞれにおけるアップリンクサブフレームのうちの少なくとも１つである。
【０２９３】
さらに、参照サブフレームは、ＵＥがアップリンク情報を送信し、かつＵＥが第２のアップリンクバーストを送信するより前の、第２のアップリンクバーストが送信される開始時点に最も近い少なくとも１つの第１のアップリンクバーストのそれぞれにおけるアップリンクサブフレームにおけるすべてのアップリンクサブフレーム、第１のアップリンクサブフレーム、または最後のアップリンクサブフレームである。
【０２９４】
ＣＷＳの調整がＵＥの側で実行される事例に関して、ＵＥによって選択される参照サブフレームは、ＵＥがアップリンク情報を送信し、かつ少なくとも１つの第１のアップリンクバーストのそれぞれにおけるアップリンクサブフレームのうちの少なくとも１つであることを理解されたい。このことは、ＣＷＳの調整が基地局の側で実行される場合、ＵＥによって送信され、基地局によって検出され、かつ１つまたは複数のアップリンクバーストにおけるアップリンクサブフレームにおける少なくとも１つの参照サブフレームが選択される事例と同様である。詳細が本明細書において再び説明されることはない。
【０２９５】
任意選択で、参照サブフレームは、受信状態がＵＥによって獲得されており、かつＵＥが第２のアップリンクバーストを送信するより前の、第２のアップリンクバーストが送信される開始時点に最も近い少なくとも１つの第１のアップリンクバーストのそれぞれにおけるアップリンクサブフレームにおける少なくとも１つの参照サブフレームである。
【０２９６】
さらに、参照サブフレームは、受信状態がＵＥによって獲得されており、かつＵＥが第２のアップリンクバーストを送信するより前の、第２のアップリンクバーストが送信される開始時点に最も近い少なくとも１つの第１のアップリンクバーストのそれぞれにおけるアップリンクサブフレームにおけるすべてのアップリンクサブフレーム、第１のアップリンクサブフレーム、または最後のアップリンクサブフレームである。
【０２９７】
ＣＷＳの調整がＵＥの側で実行される事例に関して、ＵＥによって選択される参照サブフレームは、受信状態がＵＥによって獲得されており、かつ少なくとも１つの第１のアップリンクバーストのそれぞれにおけるアップリンクサブフレームのうちの少なくとも１つの参照サブフレームであることを理解されたい。このことは、ＣＷＳの調整が基地局の側で実行される場合、受信状態が基地局によって検出されており、かつ１つまたは複数のアップリンクバーストにおけるアップリンクサブフレームにおける少なくとも１つの参照サブフレームが選択される事例と同様である。詳細が本明細書において再び説明されることはない。
【０２９８】
任意選択で、参照サブフレームは、事前定義された時間ウィンドウ内の、かつＵＥが第２のアップリンクバーストを送信するより前の、第２のアップリンクバーストが送信される開始時点に最も近い少なくとも１つの第１のアップリンクバーストのそれぞれにおける少なくとも１つのアップリンクサブフレームであり、時間ウィンドウの終了時点は、ＵＥの第２のアップリンクバーストの開始時点である。
【０２９９】
あるいは、参照サブフレームは、ＵＥが第２のアップリンクバーストを送信するより前の、第２のアップリンクバーストが送信される開始時点に最も近いｎの第１のアップリンクバーストのそれぞれにおける少なくとも１つのアップリンクサブフレームであり、ｎは、事前設定された量であり、かつｎは、０より大きい整数である。
【０３００】
あるいは、参照サブフレームは、第１のアップリンクバーストのＣＷＳが変化する開始時点と、第２のアップリンクバーストが送信される開始時点との間の、かつＵＥが第２のアップリンクバーストを送信するより前のすべての第１のアップリンクバーストのそれぞれにおける少なくとも１つのアップリンクサブフレームであり、ＣＷＳが変化する第１のアップリンクバーストは、ＣＷＳが変化し、かつＵＥが第２のアップリンクバーストを送信するより前の、開始時点に最も近い第１のアップリンクバーストである。
【０３０１】
任意選択で、参照サブフレームは、事前定義された時間ウィンドウ内の、かつＵＥが第２のアップリンクバーストを送信するより前の、第２のアップリンクバーストが送信される開始時点に最も近い少なくとも１つの第１のアップリンクバーストのそれぞれにおけるすべてのアップリンクサブフレーム、第１のアップリンクサブフレーム、または最後のアップリンクサブフレームであり、時間ウィンドウの終了時点は、ＵＥの第２のアップリンクバーストの開始時点である。
【０３０２】
あるいは、参照サブフレームは、ＵＥが第２のアップリンクバーストを送信するより前の、第２のアップリンクバーストが送信される開始時点に最も近いｎの第１のアップリンクバーストのそれぞれにおけるすべてのアップリンクサブフレーム、第１のアップリンクサブフレーム、または最後のアップリンクサブフレームであり、ｎは、事前設定された量であり、かつｎは、１より大きい整数である。
【０３０３】
あるいは、参照サブフレームは、第１のアップリンクバーストのＣＷＳが変化する開始時点と、第２のアップリンクバーストが送信される開始時点との間の、かつＵＥが第２のアップリンクバーストを送信するより前のすべての第１のアップリンクバーストのそれぞれにおけるすべてのアップリンクサブフレーム、第１のアップリンクサブフレーム、または最後のアップリンクサブフレームであり、ＣＷＳが変化する第１のアップリンクバーストは、ＣＷＳが変化し、かつＵＥが第２のアップリンクバーストを送信するより前の、開始時点に最も近い第１のアップリンクバーストである。
【０３０４】
任意選択で、参照サブフレームは、ＵＥが第２のアップリンクバーストを送信するより前の、受信状態が獲得されていないアップリンクサブフレームの第１のアップリンクバースト以外の、制御シグナリングに最も近い少なくとも１つの第１のアップリンクバーストのそれぞれにおける受信状態が獲得されている少なくとも１つのアップリンクサブフレームである。
【０３０５】
さらに、参照サブフレームは、ＵＥが第２のアップリンクバーストを送信するより前の、受信状態が獲得されていないアップリンクサブフレームの第１のアップリンクバースト以外の、制御シグナリングに最も近い少なくとも１つの第１のアップリンクバーストのそれぞれにおける受信状態が獲得されているすべてのアップリンクサブフレーム、第１のアップリンクサブフレーム、または最後のアップリンクサブフレームである。
【０３０６】
第１のアップリンクバーストにおける少なくとも１つのアップリンクサブフレームの受信状態が獲得されない場合、第１のアップリンクバーストは、受信状態が獲得されないアップリンクサブフレームを含む第１のアップリンクバーストであり、第１のアップリンクバーストは、省かれることを理解されたい。そうでない場合、第１のアップリンクバーストは、受信状態が獲得されている第１のアップリンクバーストである。さらに、少なくとも１つのアップリンクサブフレームは、第１のアップリンクバーストにおける任意のアップリンクサブフレーム、すべてのアップリンクサブフレーム、第１のアップリンクサブフレーム、または最後のアップリンクサブフレームである。
【０３０７】
ＣＷＳがＵＥの側で維持される場合、選択される参照サブフレームが、受信状態が少なくとも１つの第１のアップリンクバーストのそれぞれにおいて獲得されている少なくとも１つのアップリンクサブフレームである事例は、ＣＷＳが基地局の側で維持される場合、受信状態が１つまたは複数の第１のアップリンクバーストにおいて獲得されている少なくとも１つのアップリンクサブフレームが選択される事例と同様であることを理解されたい。詳細が本明細書において再び説明されることはない。
【０３０８】
任意選択で、参照サブフレームは、事前定義された時点より前の事前定義された時点に最も近い少なくとも１つの第１のアップリンクバーストのそれぞれにおける少なくとも１つのアップリンクサブフレームであり、かつ事前定義された時点は、第２のアップリンクバーストの開始時点より前である。
【０３０９】
ＵＥの側で実行されるＣＷＳの調整中、参照サブフレームの選択は、１つの態様において基地局によって実行されるＣＷＳの調整とは異なることを理解されたい。ＣＷＳの調整中、基地局は、スケジューリングされたダウンリンクサブフレームより前のアップリンクサブフレームの受信状態だけを獲得することができる。しかし、４ミリ秒のスケジューリング遅延を考慮すると、ユーザは、スケジューリングされたダウンリンクサブフレームより前にアップリンクサブフレームを獲得することがあるだけでなく、基地局がクロスキャリアスケジューリングを使用する場合、ダウンリンクバーストと重なり合うアップリンクサブフレームのＨＡＲＱインジケーションを獲得することもある。
【０３１０】
具体的には、図１８に示されるとおり、基地局が、１ミリ秒前であるアップリンクサブフレーム、例えば、＃ｎ＋３の受信状態を獲得することがあり、次のダウンリンクサブフレーム、例えば、＃ｎ＋５において再送スケジューリングを開始することが想定される。この事例において、ユーザは、ユーザが、アップリンクサブフレーム＃ｎ＋７に関してＣＣＡを実行するより前に、｛＃ｎ，＃ｎ＋１，＃ｎ＋３｝を参照セットとして使用してよい。しかし、基地局およびＵＥの受信検出遅延を考慮すると、ＵＥは、第１のアップリンクバーストの開始時点より前にすべてのアップリンクサブフレームを参照セットに追加することができない。例えば、時点＃ｎ＋５におけるＨＡＲＱ処理４が、時点＃ｎ＋７において基地局によってＵＥに最も早く示され得る。したがって、＃ｎ＋５は、参照セットに追加されることができない。
【０３１１】
したがって、アップリンク参照サブフレームの選択は、第５の事前定義された時点より前のアップリンクサブフレームに限定され得る。事前定義された時点は、ＵＥの第１のアップリンクバーストの開始時点より前であり、事前定義された時点と、ＵＥの第１のアップリンクバーストの開始時点との間の間隔は、事前定義された持続時間である。さらに、事前定義された持続時間は、基地局および／またはＵＥの受信検出遅延であり、かつ事前定義された持続時間は、プロトコルにおいて指定される、またはＵＥによってローカルで決定される。事前定義された持続時間は、例えば、１ミリ秒から４ミリ秒である。
【０３１２】
任意選択で、参照サブフレームは、事前定義された時点より前の事前定義された時点に最も近い少なくとも１つの第１のアップリンクバーストのそれぞれにおけるすべてのアップリンクサブフレーム、第１のアップリンクサブフレーム、または最後のアップリンクサブフレームであり、かつ事前定義された時点は、第２のアップリンクバーストの開始時点より前である。
【０３１３】
任意選択で、参照サブフレームは、ＵＥがアップリンク情報を送信し、かつ事前定義された時点より前の事前定義された時点に最も近い少なくとも１つの第１のアップリンクバーストのそれぞれにおけるアップリンクサブフレームのうちの少なくとも１つである。第１のアップリンクバーストは、各アップリンクサブフレームが、ＵＥによって送信され、かつ基地局によってスケジューリングされる第１のアップリンクバーストである。
【０３１４】
さらに、参照サブフレームは、ＵＥがアップリンク情報を送信し、かつ事前定義された時点より前の事前定義された時点に最も近い少なくとも１つの第１のアップリンクバーストのそれぞれにおけるアップリンクサブフレームにおけるすべてのアップリンクサブフレーム、第１のアップリンクサブフレーム、または最後のアップリンクサブフレームである。第１のアップリンクバーストは、各アップリンクサブフレームが、ＵＥによって送信され、かつ基地局によってスケジューリングされる第１のアップリンクバーストである。
【０３１５】
任意選択で、参照サブフレームは、受信状態がＵＥによって獲得されており、かつ事前定義された時点より前の事前定義された時点に最も近い少なくとも１つの第１のアップリンクバーストのそれぞれにおけるアップリンクサブフレームにおける少なくとも１つの参照サブフレームである。
【０３１６】
さらに、参照サブフレームは、受信状態がＵＥによって獲得されており、かつ事前定義された時点より前の事前定義された時点に最も近い少なくとも１つの第１のアップリンクバーストのそれぞれにおけるアップリンクサブフレームにおけるすべてのアップリンクサブフレーム、第１のアップリンクサブフレーム、または最後のアップリンクサブフレームである。
【０３１７】
任意選択で、参照サブフレームは、あるいは、受信状態が、ＵＥが第２のアップリンクバーストを送信するより前の、制御シグナリングに最も近い少なくとも１つの第１のアップリンクバーストのそれぞれにおいて獲得されている少なくとも１つのアップリンクサブフレームであってよい。
【０３１８】
さらに、参照サブフレームは、受信状態が、ＵＥが第２のアップリンクバーストを送信するより前の、制御シグナリングに最も近い少なくとも１つの第１のアップリンクバーストのそれぞれにおいて獲得されているすべてのアップリンクサブフレーム、第１のアップリンクサブフレーム、または最後のアップリンクサブフレームである。
【０３１９】
第１のアップリンクバーストにおける少なくとも１つのアップリンクサブフレームの受信状態が獲得されない場合、第１のアップリンクバーストは、受信状態が獲得されないアップリンクサブフレームを含む第１のアップリンクバーストであり、かつ第１のアップリンクバーストは、省かれることを理解されたい。そうでない場合、第１のアップリンクバーストは、受信状態が獲得されている第１のアップリンクバーストである。さらに、少なくとも１つのアップリンクサブフレームは、第１のアップリンクバーストにおける任意のアップリンクサブフレーム、すべてのアップリンクサブフレーム、第１のアップリンクサブフレーム、または最後のアップリンクサブフレームである。
【０３２０】
任意選択で、参照サブフレームは、事前定義された時間ウィンドウ内の事前定義された時点に最も近い少なくとも１つの第１のアップリンクバーストのそれぞれにおけるすべてのアップリンクサブフレーム、第１のアップリンクサブフレーム、または最後のアップリンクサブフレームであり、かつ事前定義された時間ウィンドウの終了時点は、事前定義された時点である。
【０３２１】
あるいは、参照サブフレームは、事前定義された時点より前の事前定義された時点に最も近いｎの第１のアップリンクバーストのそれぞれにおけるすべてのアップリンクサブフレーム、第１のアップリンクサブフレーム、または最後のアップリンクサブフレームであり、かつ事前定義された時点は、第２のアップリンクバーストの開始時点より前であり、ｎは、事前設定された量であり、かつｎは、０より大きい整数である。
【０３２２】
あるいは、参照サブフレームは、事前定義された時点より前の、第１のアップリンクバーストのＣＷＳが変化する開始時点と、事前定義された時点との間のすべての第１のアップリンクバーストのそれぞれにおけるすべてのアップリンクサブフレーム、第１のアップリンクサブフレーム、または最後のアップリンクサブフレームであり、ＣＷＳが変化する第１のアップリンクバーストは、ＣＷＳが変化し、かつ事前定義された時点に最も近く、かつそれより前の第１のアップリンクバーストである。
【０３２３】
ＵＥは、基地局によって送信される少なくとも１つの制御シグナリングを受信することを理解されたい。少なくとも１つの制御シグナリングのそれぞれは、コンテンションウィンドウ情報、コンテンションウィンドウ情報に基づいて生成されたクリアチャネルアセスメントＣＣＡバックオフカウンタ初期値、またはハイブリッド自動再送要求ＨＡＲＱインジケーションを含む。ＵＥは、第２のアップリンクバーストのＣＷＳを、参照サブフレームにおける少なくとも１つのアップリンクサブフレームに関する少なくとも１つの制御シグナリングにおけるＨＡＲＱインジケーションに従って決定する。ＵＥは、第２のアップリンクバーストのＣＣＡバックオフカウンタ初期値を、第２のアップリンクバーストのＣＷＳに従って決定する。少なくとも１つの制御シグナリングは、ＵＥに関する制御情報を搬送する制御シグナリングであり、第２のアップリンクバーストにおける少なくとも１つのアップリンクサブフレームをスケジューリングするために使用されてよく、または第２のアップリンクバーストの外部の別のアップリンクサブフレームをスケジューリングするために使用されてよい。例えば、ダウンリンクサブフレーム＃ｎにおける制御シグナリングは、第２のアップリンクバーストを送信するようＵＥをスケジューリングし、かつ第２のアップリンクバーストは、アップリンクサブフレーム＃ｎ＋４を含む。ダウンリンクサブフレーム＃ｎ＋２における制御シグナリングは、第２のアップリンクバーストの後に別のアップリンクバーストを送信するようＵＥをスケジューリングし、かつ別のアップリンクバーストは、アップリンクサブフレーム＃ｎ＋６を含む。この事例において、ＵＥは、第２のアップリンクバーストのＣＷＳを、ダウンリンクサブフレーム＃ｎ＋２における制御シグナリングに含められたＨＡＲＱインジケーションに従って決定してもよい。
【０３２４】
ＵＥが、第３のアップリンクバーストのＣＷＳを、同一の参照サブフレームにより、かつ第２のアップリンクバーストより前に決定する場合、ＵＥが、第２のアップリンクバーストのＣＷＳを、参照サブフレームに従って決定する必要があるとき、ＵＥは、第２のアップリンクバーストのＣＷＳが第３のアップリンクバーストのＣＷＳと同一であることを決定することを理解されたい。言い換えると、第２のアップリンクバーストと第３のアップリンクバーストが同一の参照サブフレームに対応する場合、第２のアップリンクバーストのＣＷＳは、第３のアップリンクバーストのそれと同一にされ、再び調整される必要がない。２つの隣接する、または隣接しないアップリンクバーストの参照サブフレームが同一のアップリンクサブフレームであるときを考慮すると、２つのアップリンクバーストのＣＷＳが、参照サブフレームにおけるトランスポートブロックのＨＡＲＱ受信状態を使用することによって調整される場合、後者のアップリンクバーストのＣＷＳは、繰り返し調整される。例えば、参照サブフレームにおけるトランスポートブロックの受信状態がＮＡＣＫである場合、ＵＥは、ＣＷＳを、ＮＡＣＫにより増加させ、かつＣＷＳを、第２のアップリンクバーストを送信するより前にＮＡＣＫにより繰り返し増加させる。その結果、第２のアップリンクバーストに関するＣＷＳは、比較的大きくなるように調整される。ＣＷＳを繰り返し調整する問題を回避するのに、時間的に不連続である２つのアップリンクバーストが同一の参照サブフレームに対応する場合、後者のアップリンクバースト、すなわち、第２のアップリンクバーストのＣＷＳが、前者のアップリンクバーストのそれ、すなわち、第３のアップリンクバーストのＣＷＳと等しくされなければならない。あるいは、第３のアップリンクバーストと第２のアップリンクバーストが、順次に隣接する２つのアップリンクバーストであるが、時間的に不連続であり、かつ２つのアップリンクバーストが同一の参照サブフレームに対応する場合、第２のアップリンクバーストのＣＷＳは、変化しないままである、または第３のアップリンクバーストのそれと同一である。
【０３２５】
第３のアップリンクバーストは、各アップリンクサブフレームがＵＥによって送信され、かつ基地局によってスケジューリングされる第３のアップリンクバーストであることを理解されたい。具体的に言うと、第３のアップリンクバーストは、ＵＥによって送信され、かつ基地局によってスケジューリングされるアップリンクサブフレームのうちの少なくとも１つを含むアップリンクバーストである。あるいは、第３のアップリンクバーストは、各アップリンクサブフレームが、アップリンク情報を送信するのにＵＥによって使用される第３のアップリンクバーストである。具体的に言うと、第３のアップリンクバーストは、ＵＥによって実際に送信されるアップリンクサブフレームを含むアップリンクバーストである。
【０３２６】
任意選択で、第３のアップリンクバーストと第２のアップリンクバーストが同一の参照サブフレームに対応することは、第３のアップリンクバーストにおける少なくとも１つのアップリンクサブフレームと、第２のアップリンクバーストにおける第１のアップリンクサブフレームとの間の時間間隔が第１の事前設定された持続時間未満であることを含む。第３のアップリンクバーストと第２のアップリンクバーストを、２つのアップリンクバーストの間の同一の参照サブフレームに対応させるのに、第３のアップリンクバーストと第２のアップリンクバーストとの間の時間間隔が比較的短い、具体的に言うと、第１の事前設定された持続時間未満である必要があることを考慮すると、ＵＥは、第３のアップリンクバーストにおけるアップリンクサブフレームに関して基地局によって送信されるＨＡＲＱ受信状態を受信しない。そうでない場合、第３のアップリンクバーストと第２のアップリンクバーストとの間の時間間隔が比較的長い場合、ＵＥは、第３のアップリンクバーストにおけるアップリンクサブフレームに関してＨＡＲＱ受信状態を受信してよく、かつ第３のアップリンクバーストにおけるアップリンクサブフレームを参照サブフレームとして決定してよい。この事例において、このことは、第３のアップリンクバーストに対応する参照サブフレームとは異なる。例えば、第１の事前設定された持続時間は、３ミリ秒、４ミリ秒、または５ミリ秒であってよい。第３のアップリンクバーストにおける少なくとも１つのアップリンクサブフレームは、第３のアップリンクバーストにおける１つのアップリンクサブフレームであってよく、より具体的には、第３のアップリンクバーストにおける第１のアップリンクサブフレームまたは最後のアップリンクサブフレームであってよい。少なくとも１つのアップリンクサブフレームは、ＵＥのものであり、かつ基地局によってスケジューリングされてよく、またはＵＥによって実際に占有され、かつ情報を送信するために使用されてよい。例えば、第３のアップリンクバーストは、ＵＥによって送信され、かつ基地局によってスケジューリングされるアップリンクサブフレーム＃ｎおよび＃ｎ＋１を含む。ＵＥは、＃ｎより前にいずれのチャネルも捕捉しないが、＃ｎ＋１より前にチャネルを捕捉し、かつ＃ｎ＋１を占有する。この事例において、少なくとも１つのアップリンクサブフレームは、＃ｎ（基地局によってスケジューリングされる第１のアップリンクサブフレーム）であってよく、または＃ｎ＋１（ＵＥによって実際に占有され、かつ情報を送信するのに使用される第１のアップリンクサブフレーム）であってよい。第２のアップリンクバーストの第１のアップリンクサブフレームは、ＵＥのものであり、かつ基地局によってスケジューリングされる第１のアップリンクサブフレームである。
【０３２７】
任意選択で、第３のアップリンクバーストと第２のアップリンクバーストが同一の参照サブフレームに対応することは、第２のアップリンクバーストに最も近く、かつそれより前の、かつＵＥによって受信されるＵＬグラントに関して、ＵＥがアップリンクグラント、ＵＬグラントを受信する時点が、第３のアップリンクバーストにおける少なくとも１つのアップリンクサブフレームより早期であること、またはＵＥがＵＬグラントを受信する時点が、第３のアップリンクバーストにおける少なくとも１つのアップリンクサブフレームより早期ではなく、かつ少なくとも１つのアップリンクサブフレームと、ＵＥがＵＬグラントを受信する時点との間の時間間隔が、第２の事前設定された持続時間未満であることをさらに含む。ＵＥは、ＣＷＳを、ダウンリンク制御チャネル上の受信されるＵＬグラントに含められたＨＡＲＱ情報に従って決定することを考慮すると、したがって、第３のアップリンクバーストと第２のアップリンクバーストとの間の時間間隔が長い場合でさえ、基地局によって送信され、かつ第２のアップリンクバーストを送信するより前にＵＥによって受信されることができるＵＬグラントは、第３のアップリンクバーストより長く後の時点においてではない。したがって、基地局は、ＵＬグラントを送信するより前に第３のアップリンクバーストにおける少なくとも１つのサブフレームの受信状態を復調することができない。その結果、ＵＥは、少なくとも１つのサブフレームのＨＡＲＱ情報をそれでも受信することができず、少なくとも１つのサブフレームを参照サブフレームとして使用することができない。したがって、前者のアップリンクバーストに時間的により近い参照サブフレームが選択され、かつこれは第３のアップリンクバーストの参照サブフレームと同一である。具体的には、ＵＥがＵＬグラントを受信する時点が第３のアップリンクバーストより前である場合、またはＵＥがＵＬグラントを受信する時点が第３のアップリンクバーストより後であるが、その時点と、第３のアップリンクバーストにおける少なくとも１つのサブフレームとの間の時間間隔が極端に短い（その２つの間の時間間隔が第２の事前設定された持続時間未満である）場合、ＵＥは、第３のアップリンクバーストにおけるアップリンクサブフレームを、第２のアップリンクバーストの参照サブフレームとして使用することができない。ＵＥがＵＬグラントを受信する時点は、ＵＥがＵＬグラントを受信するサブフレームを含んでよい。具体的には、サブフレームは、ＵＬグラントのダウンリンクサブフレームより後の第ＮのサブフレームのＵＬグラントのダウンリンクサブフレームであってよい。例えば、Ｎは、１または２と等しくてよい。ＵＥがＵＬグラントを受信するサブフレームが、ＵＬグラントのダウンリンクサブフレームの後の第Ｎのサブフレームである場合、ＵＥによって受信されるＵＬグラントのものであり、かつ第２のアップリンクバーストに最も近いサブフレームは、第２のアップリンクバーストの開始時点より前の少なくともＮのサブフレームである。例えば、第２のアップリンクバーストの第１のサブフレームが＃ｎであり、かつＮ＝２である場合、ＵＬグラントのサブフレームは、＃ｎ−２より前である。
【０３２８】
図２３（ａ）に示されるとおり、第１のアップリンクバーストは、サブフレーム＃ｎ−９を含み、第２のアップリンクバーストは、サブフレーム＃ｎを含み、第３のアップリンクバーストは、サブフレーム＃ｎ−３および＃ｎ−２を含み、第３のアップリンクバーストにおける少なくとも１つのサブフレームは、第３のアップリンクバーストの第１のサブフレーム、すなわち、＃ｎ−３であり、かつ第１の事前設定された持続時間は、４ミリ秒であることが想定される。第２のアップリンクバーストの第１のサブフレーム＃ｎと、第３のアップリンクバーストの第１のサブフレーム＃ｎ−３との間の時間間隔は、３ミリ秒であり、かつ第１の事前設定された持続時間未満である。したがって、第２のアップリンクバーストおよび第３のアップリンクバーストに対応する参照サブフレームは、第１のアップリンクバーストにおけるすべてのサブフレーム＃ｎ−９である。この事例において、第２のアップリンクバーストのＣＷＳは、第３のアップリンクバーストのＣＷＳと同一でなければならない。言い換えると、ＣＷＳは、変化しないままである。
【０３２９】
図２３（ｂ）に示されるとおり、第１のアップリンクバーストは、サブフレーム＃ｎ−１０を含み、第２のアップリンクバーストは、サブフレーム＃ｎを含み、第３のアップリンクバーストは、サブフレーム＃ｎ−４および＃ｎ−３を含み、第３のアップリンクバーストにおける少なくとも１つのサブフレームは、第３のアップリンクバーストの第１のサブフレーム、すなわち、＃ｎ−４であり、第２の事前設定された持続時間は、３ミリ秒であり、第３のアップリンクバーストに最も近く、かつ第３のアップリンクバーストより前にＵＥによって受信されるＵＬグラントは、サブフレーム＃ｎ−６にあり、かつＵＥは、サブフレーム＃ｎ−２において、第２のアップリンクバーストより前であり、かつ第２のアップリンクバーストに最も近いＵＬグラントを受信し、＃ｎ−２は、第３のアップリンクバーストの第１のサブフレーム＃ｎ−４より後であり、かつ＃ｎ−２と＃ｎ−４との間の時間間隔は、２ミリ秒であり、かつ第２の事前設定された持続時間未満であることが想定される。したがって、第２のアップリンクバーストおよび第３のアップリンクバーストに対応する参照サブフレームは、第１のアップリンクバーストにおけるすべてのサブフレーム＃ｎ−１０である。この事例において、第２のアップリンクバーストのＣＷＳは、第３のアップリンクバーストのＣＷＳと同一でなければならない。言い換えると、ＣＷＳは、変わらないままである。
【０３３０】
図２３（ｃ）に示されるとおり、第１のアップリンクバーストは、サブフレーム＃ｎ−１０を含み、第２のアップリンクバーストは、サブフレーム＃ｎを含み、第３のアップリンクバーストは、サブフレーム＃ｎ−４および＃ｎ−３を含み、第３のアップリンクバーストにおける少なくとも１つのサブフレームは、第３のアップリンクバーストの第１のサブフレーム、すなわち、＃ｎ−４であり、第３のアップリンクバーストに最も近く、かつ第３のアップリンクバーストより前にＵＥによって受信されるＵＬグラントは、サブフレーム＃ｎ−６にあり、かつＵＥは、サブフレーム＃ｎ−６において、第２のアップリンクバーストより前であり、かつ第２のアップリンクバーストに最も近いＵＬグラントを受信し、＃ｎ−６は、第３のアップリンクバーストの第１のサブフレーム＃ｎ−４より前であることが想定される。したがって、第２のアップリンクバーストおよび第３のアップリンクバーストに対応する参照サブフレームは、第１のアップリンクバーストにおけるすべてのサブフレーム＃ｎ−１０である。この事例において、第２のアップリンクバーストのＣＷＳは、第３のアップリンクバーストのＣＷＳと同一でなければならない。言い換えると、ＣＷＳは、変わらないままである。
【０３３１】
したがって、本発明のこの実施形態におけるコンテンションウィンドウ情報を決定するための方法によれば、ＵＥの第２のアップリンクバーストのコンテンションウィンドウ情報は、参照サブフレームの受信状態を使用することによって決定されることができ、したがって、ＵＥは、適切なコンテンションウィンドウ情報を獲得することができ、かつ公平なチャネルアクセスが、ランダムなバックオフに基づくチャネル感知を通じて実装されることができる。
【０３３２】
図１９は、本発明の実施形態によるコンテンションウィンドウ情報を決定するための装置３００を示す。図１９に示される装置３００は、決定ユニット３１０と、生成ユニット３２０と、送信ユニット３３０とを含む。
【０３３３】
決定ユニット３１０は、ユーザ機器ＵＥの第２のアップリンクバーストのコンテンションウィンドウ情報を、参照サブフレームの受信状態に従って決定するように構成され、コンテンションウィンドウ情報は、コンテンションウィンドウサイズＣＷＳ、コンテンションウィンドウ時間、またはＣＷＳ調整をトリガするようＵＥに命令するシグナリングを含む。
【０３３４】
生成ユニット３２０は、第２のアップリンクバーストにおける少なくとも１つのアップリンクサブフレームをスケジューリングするための少なくとも１つの制御シグナリングを生成するように構成され、少なくとも１つの制御シグナリングのそれぞれは、コンテンションウィンドウ情報、またはコンテンションウィンドウ情報に基づいて生成されたクリアチャネルアセスメントＣＣＡバックオフカウンタ初期値を含む。
【０３３５】
送信ユニット３３０は、少なくとも１つの制御シグナリングをＵＥに送信するように構成される。
【０３３６】
参照サブフレームは、ＵＥの少なくとも１つの第１のアップリンクバーストにおける少なくとも１つのアップリンクサブフレームを含み、第１のアップリンクバーストは、第２のアップリンクバーストより前であり、第２のアップリンクバーストと第１のアップリンクバーストは、時間的に不連続であり、第１のアップリンクバーストは、少なくとも１つのアップリンクサブフレームを含み、かつ第２のアップリンクバーストは、少なくとも１つのアップリンクサブフレームを含む。
【０３３７】
任意選択で、決定ユニット３１０は、
参照サブフレームにおける少なくとも１つのアップリンクサブフレームの受信状態がＮＡＣＫである場合、ＣＷＳを増加させ、そうでない場合、ＣＷＳを減少させること、または
参照サブフレームにおける各アップリンクサブフレームの受信状態がＮＡＣＫである場合、ＣＷＳを増加させ、そうでない場合、ＣＷＳを減少させることを行うようにさらに構成される。
【０３３８】
任意選択で、決定ユニット３１０は、
ＵＥの第３のアップリンクバーストのＣＷＳを、第２のアップリンクバーストのＣＷＳが決定されるより前に参照サブフレームに従って決定すること、および
第２のアップリンクバーストのＣＷＳが第３のアップリンクバーストのＣＷＳと等しいことを決定することを行うようにさらに構成される。
【０３３９】
第１のアップリンクバースト、第２のアップリンクバースト、および第３のアップリンクバーストは、時間的に不連続であり、第３のアップリンクバーストは、第１のアップリンクバーストと第２のアップリンクバーストとの間であり、かつ第３のアップリンクバーストは、少なくとも１つのアップリンクサブフレームを含む。
【０３４０】
本明細書における装置３００は、機能ユニットの形態で表されることを理解されたい。本明細書における「ユニット」という用語は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、電子回路、１つもしくは複数のソフトウェアプログラムもしくはファームウェアプログラムを実行するためのプロセッサ（例えば、共有プロセッサ、専有のプロセッサ、もしくはパケットプロセッサ）、複合論理回路、および／または説明される機能をサポートする別の適切な構成要素を指すことがある。任意選択の例において、当業者は、装置３００が、前述の実施形態において具体的には基地局であり得ることを理解されたい。装置３００は、基地局に対応する前述の方法実施形態における手順および／またはステップを実行するように構成されてよい。繰り返しを回避するのに、詳細が本明細書において再び説明されることはない。
【０３４１】
図２０は、本発明の実施形態によるコンテンションウィンドウ情報を決定するための装置４００を示す。装置４００は、
第２のアップリンクバーストにおける少なくとも１つのアップリンクサブフレームをスケジューリングするために基地局によって送信される少なくとも１つの制御シグナリングを受信するように構成された受信ユニット４１０であって、少なくとも１つの制御シグナリングのそれぞれは、コンテンションウィンドウ情報、コンテンションウィンドウ情報に基づいて生成されたクリアチャネルアセスメントＣＣＡバックオフカウンタ初期値、またはハイブリッド自動再送要求ＨＡＲＱインジケーションを含み、かつコンテンションウィンドウ情報は、コンテンションウィンドウサイズＣＷＳ、コンテンションウィンドウ時間、またはＣＷＳ調整をトリガするようユーザ機器ＵＥに命令するシグナリングを含む、受信ユニット４１０と、
第２のアップリンクバーストのＣＣＡバックオフカウンタ初期値を、少なくとも１つの制御シグナリングに従って決定するように構成された決定ユニット４２０と、
第２のアップリンクバーストに関するＣＣＡを、第２のアップリンクバーストのＣＣＡバックオフカウンタ初期値に従って実行するように構成された処理ユニット４３０とを含む。
【０３４２】
任意選択で、決定ユニット４２０は、第２のアップリンクバーストの第１のアップリンクサブフレームのＣＣＡバックオフカウンタ初期値を、第２のアップリンクバーストに最も近く、かつ第２のアップリンクバーストより前の制御シグナリングに含められたコンテンションウィンドウ情報、もしくはコンテンションウィンドウ情報に基づいて生成されたＣＣＡバックオフカウンタ初期値に従って決定すること、または
第２のアップリンクバーストの第１のアップリンクサブフレームのＣＣＡバックオフカウンタ初期値を、第２のアップリンクバーストにおける第１のアップリンクサブフレームの制御シグナリングに含められたコンテンションウィンドウ情報、もしくはコンテンションウィンドウ情報に基づいて生成されたＣＣＡバックオフカウンタ初期値に従って決定することを行うようにさらに構成される。
【０３４３】
任意選択で、決定ユニット４２０は、第２のアップリンクバーストのＣＷＳを、参照サブフレームにおける少なくとも１つのアップリンクサブフレームに関する少なくとも１つの制御シグナリングにおけるＨＡＲＱインジケーションに従って決定すること、および
第２のアップリンクバーストのＣＣＡバックオフカウンタ初期値を、ＣＷＳに従って決定することを行うようにさらに構成される。
【０３４４】
参照サブフレームは、ＵＥの少なくとも１つの第１のアップリンクバーストにおける少なくとも１つのアップリンクサブフレームを含み、第１のアップリンクバーストは、第２のアップリンクバーストより前であり、第２のアップリンクバーストと第１のアップリンクバーストは、時間的に不連続であり、第１のアップリンクバーストは、少なくとも１つのアップリンクサブフレームを含み、かつ第２のアップリンクバーストは、少なくとも１つのアップリンクサブフレームを含む。
【０３４５】
任意選択で、決定ユニット４２０は、
参照サブフレームにおける少なくとも１つのアップリンクサブフレームに関してＨＡＲＱインジケーションが受信され、かつ少なくとも１つのＨＡＲＱインジケーションが再送インジケーションである場合、ＣＷＳを増加させること、
参照サブフレームにおける各アップリンクサブフレームに関してＨＡＲＱインジケーションが受信され、かつ各ＨＡＲＱインジケーションが初期伝送インジケーションである場合、ＣＷＳを減少させること、
参照サブフレームにおける各アップリンクサブフレームに関してＨＡＲＱインジケーションが受信されないが、参照サブフレームにおける少なくとも１つのアップリンクサブフレームに関してＨＡＲＱインジケーションが受信され、かつ各ＨＡＲＱインジケーションが初期伝送インジケーションである場合、ＣＷＳを変化しないままに維持する、もしくはＣＷＳを減少させること、または
参照サブフレームにおける少なくとも１つのアップリンクサブフレームに関してＨＡＲＱインジケーションが受信されない場合、ＣＷＳを変化しないまま維持する、もしくはＣＷＳを減少させることを行うようにさらに構成される。
【０３４６】
任意選択で、決定ユニット４２０は、
ＵＥの第３のアップリンクバーストのＣＷＳを、第２のアップリンクバーストのＣＷＳが決定されるより前に参照サブフレームに従って決定すること、および
第２のアップリンクバーストのＣＷＳが第３のアップリンクバーストのＣＷＳと等しいことを決定することを行うように構成される。
【０３４７】
第１のアップリンクバースト、第２のアップリンクバースト、および第３のアップリンクバーストは、時間的に不連続であり、第３のアップリンクバーストは、第１のアップリンクバーストと第２のアップリンクバーストとの間であり、かつ第３のアップリンクバーストは、少なくとも１つのアップリンクサブフレームを含む。
【０３４８】
本明細書における装置４００は、機能ユニットの形態で表されることを理解されたい。本明細書における「ユニット」という用語は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、電子回路、１つもしくは複数のソフトウェアプログラムもしくはファームウェアプログラムを実行するためのプロセッサ（例えば、共有プロセッサ、専有のプロセッサ、もしくはパケットプロセッサ）、複合ロジック回路、および／または説明される機能をサポートする別の適切な構成要素を指すことがある。任意選択の例において、当業者は、装置４００が、前述の実施形態において具体的にはユーザ機器であり得ることを理解されたい。装置４００は、ユーザ機器に対応する前述の方法実施形態における手順および／またはステップを実行するように構成されてよい。繰り返しを回避するのに、詳細が本明細書において再び説明されることはない。
【０３４９】
図２１は、本発明の実施形態によるコンテンションウィンドウ情報を決定するための装置５００を示す。装置は、基地局であってよい。装置５００は、プロセッサ５２０と、送信機５１０とを含んでよい。
【０３５０】
プロセッサ５２０は、ユーザ機器ＵＥの第２のアップリンクバーストのコンテンションウィンドウ情報を、参照サブフレームの受信状態に従って決定することであって、コンテンションウィンドウ情報は、コンテンションウィンドウサイズＣＷＳ、コンテンションウィンドウ時間、またはＣＷＳ調整をトリガするようＵＥに命令するシグナリングを含む、決定すること、および
第２のアップリンクバーストにおける少なくとも１つのアップリンクサブフレームをスケジューリングするための少なくとも１つの制御シグナリングを生成することであって、少なくとも１つの制御シグナリングのそれぞれは、コンテンションウィンドウ情報、またはコンテンションウィンドウ情報に基づいて生成されたクリアチャネルアセスメントＣＣＡバックオフカウンタ初期値を含む、生成することを行うように構成される。
【０３５１】
送信機５１０は、少なくとも１つの制御シグナリングをＵＥに送信するように構成される。
【０３５２】
参照サブフレームは、ＵＥの少なくとも１つの第１のアップリンクバーストにおける少なくとも１つのアップリンクサブフレームを含み、第１のアップリンクバーストは、第２のアップリンクバーストより前であり、第２のアップリンクバーストと第１のアップリンクバーストは、時間的に不連続であり、第１のアップリンクバーストは、少なくとも１つのアップリンクサブフレームを含み、かつ第２のアップリンクバーストは、少なくとも１つのアップリンクサブフレームを含む。
【０３５３】
任意選択で、プロセッサ５２０は、
参照サブフレームにおける少なくとも１つのアップリンクサブフレームの受信状態がＮＡＣＫである場合、ＣＷＳを増加させ、そうでない場合、ＣＷＳを減少させること、または
参照サブフレームにおける各アップリンクサブフレームの受信状態がＮＡＣＫである場合、ＣＷＳを増加させ、そうでない場合、ＣＷＳを減少させることを行うようにさらに構成される。
【０３５４】
任意選択で、プロセッサ５２０は、
参照サブフレームにおいて、受信状態がＮＡＣＫであるアップリンクサブフレームの量が第１の事前設定された閾値より大きい場合、もしくはすべてのアップリンクサブフレームにおける受信状態がＮＡＣＫであるアップリンクサブフレームのパーセンテージが第２の事前設定された閾値より大きい場合、ＣＷＳを増加させること、
受信状態がＮＡＣＫであるアップリンクサブフレームの量が第１の事前設定された閾値未満である場合、もしくはすべてのアップリンクサブフレームの量における受信状態がＮＡＣＫであるアップリンクサブフレームの量のパーセンテージが第２の事前設定された閾値未満である場合、ＣＷＳを減少させること、または
受信状態がＮＡＣＫであるアップリンクサブフレームの量が第１の事前設定された閾値と等しい場合、もしくはすべてのアップリンクサブフレームの量における受信状態がＮＡＣＫであるアップリンクサブフレームの量のパーセンテージが第２の事前設定された閾値と等しい場合、ＣＷＳを増加させること、もしくは減少させることを行うようにさらに構成される。
【０３５５】
任意選択で、プロセッサ５２０は、
ＵＥの第３のアップリンクバーストのＣＷＳを、第２のアップリンクバーストのＣＷＳが決定されるより前に参照サブフレームに従って決定すること、および
第２のアップリンクバーストのＣＷＳが第３のアップリンクバーストのＣＷＳと等しいことを決定することを行うようにさらに構成される。
【０３５６】
第１のアップリンクバースト、第２のアップリンクバースト、および第３のアップリンクバーストは、時間的に不連続であり、第３のアップリンクバーストは、第１のアップリンクバーストと第２のアップリンクバーストとの間にあり、かつ第３のアップリンクバーストは、少なくとも１つのアップリンクサブフレームを含む。
【０３５７】
さらに、装置５００は、プロセッサ５２０に結合されたメモリ５３０および受信機５４０をさらに含んでよい。メモリ５３０は、命令を記憶するように構成されてよく、またはフレーム構造もしくは類似したものを記憶するように構成されてよい。受信機５４０は、命令または類似したものを受信するように構成されてよい。プロセッサ５１０は、ベースバンドプロセッサ、通信プロセッサ、デジタル信号プロセッサ、特定用途向け集積回路、または類似したものであってよい。プロセッサ５１０は、メモリ５３０に記憶された命令を実行するように構成される。
【０３５８】
装置５００における送信機５１０、プロセッサ５２０、メモリ５３０、受信機５４０、および類似したものは、バスシステム５５０を使用することによって接続されてよいことを理解されたい。
【０３５９】
図２１における装置５００は、本発明の実施形態による方法を実行するように構成されてよく、かつ基地局における部分の前述、および他の操作および／または機能は、図１における基地局の側で方法における対応する手順を実装するのに別々に使用されることを理解されたい。簡単のため、詳細が本明細書において再び説明されることはない。
【０３６０】
図２２は、本発明の実施形態による接続ウィンドウ情報を決定するための装置６００を示す。装置は、ユーザ機器であってよい。図２２に示される装置６００は、プロセッサ６２０と、受信機６１０とを含んでよい。
【０３６１】
受信機６１０は、第２のアップリンクバーストにおける少なくとも１つのアップリンクサブフレームをスケジューリングするために基地局によって送信される少なくとも１つの制御シグナリングを受信するように構成され、少なくとも１つの制御シグナリングのそれぞれは、コンテンションウィンドウ情報、コンテンションウィンドウ情報に基づいて生成されたクリアチャネルアセスメントＣＣＡバックオフカウンタ初期値、またはハイブリッド自動再送要求ＨＡＲＱインジケーションを含み、コンテンションウィンドウ情報は、コンテンションウィンドウサイズＣＷＳ、コンテンションウィンドウ時間、またはＣＷＳ調整をトリガするようユーザ機器ＵＥに命令するシグナリングを含む。
【０３６２】
プロセッサ６２０は、第２のアップリンクバーストのＣＣＡバックオフカウンタ初期値を、少なくとも１つの制御シグナリングに従って決定すること、および第２のアップリンクバーストに関するＣＣＡを、ＣＣＡバックオフカウンタ初期値に従って実行することを行うように構成される。
【０３６３】
任意選択で、プロセッサ６２０は、第２のアップリンクバーストの第１のアップリンクサブフレームのＣＣＡバックオフカウンタ初期値を、第２のアップリンクバーストに最も近く、かつ第２のアップリンクバーストより前の制御シグナリングに含められたコンテンションウィンドウ情報、もしくはコンテンションウィンドウ情報に基づいて生成されたＣＣＡバックオフカウンタ初期値に従って決定すること、または
第２のアップリンクバーストの第１のアップリンクサブフレームのＣＣＡバックオフカウンタ初期値を、第２のアップリンクバーストにおける第１のアップリンクサブフレームの制御シグナリングに含められたコンテンションウィンドウ情報、もしくはコンテンションウィンドウ情報に基づいて生成されたＣＣＡバックオフカウンタ初期値に従って決定することを行うようにさらに構成される。
【０３６４】
任意選択で、プロセッサ６２０は、第２のアップリンクバーストのＣＷＳを、参照サブフレームにおける少なくとも１つのアップリンクサブフレームに関する少なくとも１つの制御シグナリングにおけるＨＡＲＱインジケーションに従って決定すること、および
第２のアップリンクバーストのＣＣＡバックオフカウンタ初期値を、ＣＷＳに従って決定することを行うようにさらに構成される。
【０３６５】
参照サブフレームは、ＵＥの少なくとも１つの第１のアップリンクバーストにおける少なくとも１つのアップリンクサブフレームを含み、第１のアップリンクバーストは、第２のアップリンクバーストより前であり、第２のアップリンクバーストと第１のアップリンクバーストは、時間的に不連続であり、第１のアップリンクバーストは、少なくとも１つのアップリンクサブフレームを含み、かつ第２のアップリンクバーストは、少なくとも１つのアップリンクサブフレームを含む。
【０３６６】
任意選択で、プロセッサ６２０は、
参照サブフレームにおける少なくとも１つのアップリンクサブフレームに関してＨＡＲＱインジケーションが受信され、かつ少なくとも１つのＨＡＲＱインジケーションが再送インジケーションである場合、ＣＷＳを増加させること、
参照サブフレームにおける各アップリンクサブフレームに関してＨＡＲＱインジケーションが受信され、かつ各ＨＡＲＱインジケーションが初期伝送インジケーションである場合、ＣＷＳを減少させること、
参照サブフレームにおける各アップリンクサブフレームに関してＨＡＲＱインジケーションが受信されないが、参照サブフレームにおける少なくとも１つのアップリンクサブフレームに関してＨＡＲＱインジケーションが受信され、かつ各ＨＡＲＱインジケーションが初期伝送インジケーションである場合、ＣＷＳを変化しないままに維持する、もしくはＣＷＳを減少させること、または
参照サブフレームにおける少なくとも１つのアップリンクサブフレームに関してＨＡＲＱインジケーションが受信されない場合、ＣＷＳを変化しないままに維持する、もしくはＣＷＳを減少させることを行うようにさらに構成される。
【０３６７】
任意選択で、プロセッサ６２０は、
ＵＥの第３のアップリンクバーストのＣＷＳを、第２のアップリンクバーストのＣＷＳが決定されるより前に参照サブフレームに従って決定すること、および
第２のアップリンクバーストのＣＷＳが第３のアップリンクバーストのＣＷＳと等しいことを決定することを行うようにさらに構成される。
【０３６８】
第１のアップリンクバースト、第２のアップリンクバースト、および第３のアップリンクバーストは、時間的に不連続であり、第３のアップリンクバーストは、第１のアップリンクバーストと第２のアップリンクバーストとの間にあり、かつ第３のアップリンクバーストは、少なくとも１つのアップリンクサブフレームを含む。
【０３６９】
さらに、装置６００は、プロセッサ６２０に結合されたメモリ６３０および送信機６４０をさらに含んでよい。メモリ６３０は、命令を記憶するように構成されてよく、またはフレーム構造もしくは類似したものを記憶するように構成されてよい。送信機６４０は、命令、情報、または類似したものを送信するように構成されてよい。プロセッサ６１０は、ベースバンドプロセッサ、通信プロセッサ、デジタル信号プロセッサ、特定用途向け集積回路、または類似したものであってよい。プロセッサ６２０は、メモリ６３０に記憶された命令を実行するように構成される。
【０３７０】
装置６００における受信機６１０、プロセッサ６２０、メモリ６３０、送信機６４０、および類似したものは、バスシステム６５０を使用することによって接続されてよいことを理解されたい。
【０３７１】
図２２における装置６００は、本発明の実施形態による方法を実行するように構成されてよく、かつユーザ機器における部分の前述、および他の操作および／または機能は、図１におけるユーザ機器の側で方法における対応する手順を実装するのに別々に使用されることを理解されたい。簡単のため、詳細が本明細書において再び説明されることはない。
【０３７２】
当業者は、本明細書において開示される実施形態において説明される例と組み合わせて、ユニットおよびアルゴリズムステップが、電子ハードウェア、またはコンピュータソフトウェアと電子ハードウェアとの組合せによって実装されてよいことを認識してよい。機能がハードウェアによって実行されるか、またはソフトウェアによって実行されるかは、技術的ソリューションの特定のアプリケーションおよび設計制約条件に依存する。当業者は、異なる方法を使用して、特定の各アプリケーションに関する説明される機能を実装してよいが、実装形態が本発明の範囲を超えると考えられてはならない。
【０３７３】
便宜および簡単な説明の目的で、前述のシステム、装置、およびユニットの詳細な動作処理に関して、前述の方法実施形態における対応する処理を参照し、詳細が本明細書において再び説明されることはないことが当業者によって明確に理解され得る。
【０３７４】
本出願において提供されるいくつかの実施形態において、開示されるシステム、装置、および方法は、他の様態で実装されてよいことを理解されたい。例えば、説明される装置実施形態は、例に過ぎない。例えば、ユニット分割は、論理機能分割に過ぎず、実際の実装において他の分割であってよい。例えば、複数のユニットもしくは構成要素が、別のシステムに組み合わされて、もしくは統合されてよく、またはいくつかの特徴が無視されてよく、もしくは実行されなくてよい。さらに、表示される、もしくは検討される相互結合、または直接の結合もしくは通信接続は、いくつかのインターフェースを使用することによって実装されてよい。装置もしくはユニットの間の間接の結合もしくは通信接続は、電子形態、機械形態、または他の形態で実装されてよい。
【０３７５】
別々の部分として説明されるユニットは、物理的に別々であってよく、またはそうでなくてよく、ユニットとして表示される部分は、物理的ユニットであってよく、またはそうでなくてよく、１つの位置に位置付けられていてよく、または複数のネットワークユニット上に分散されてよい。ユニットのいくつか、またはすべては、実施形態のソリューションの目的を実現するよう実際の要件に従って選択されてよい。
【０３７６】
さらに、本発明の実施形態における機能ユニットは、１つの処理ユニットに統合されてよく、またはユニットのそれぞれは、物理的に単独であってよく、または２つ以上のユニットが１つのユニットに統合される。
【０３７７】
機能が、ソフトウェア機能ユニットの形態で実装され、かつ独立した製品として販売される、もしくは使用される場合、機能は、コンピュータ可読記憶媒体に記憶されてよい。そのような理解に基づいて、基本的に本発明の技術的ソリューションが、または従来技術に寄与する部分が、または技術的ソリューションのいくつかが、ソフトウェア製品の形態で実装されてよい。コンピュータソフトウェア製品は、記憶媒体に記憶され、かつ本発明の実施形態において説明される方法のステップのすべてまたはいくつかを実行するようコンピュータデバイス（パーソナルコンピュータ、サーバ、またはネットワークデバイスであってよい）に命令するためのいくつかの命令を含む。前述の記憶媒体は、ＵＳＢフラッシュドライブ、リムーバブルハードディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなど、プログラムコードを記憶することができる任意の媒体を含む。
【０３７８】
前述の説明は、本発明の特定の実装形態に過ぎないが、本発明の保護範囲を制限するようには意図されない。本発明において開示される技術範囲内で当業者によって容易に考案される任意の変更もしくは置換が、本発明の保護範囲に入るものとする。したがって、本発明の保護範囲は、特許請求の範囲の保護範囲の対象となるものとする。
【図１】
2020058054.tif 000003
【図２】
2020058054.tif 000004
【図３】
2020058054.tif 000005
【図４（ａ）】
2020058054.tif 000006
【図４（ｂ）】
2020058054.tif 000007
【図５】
2020058054.tif 000008
【図６（ａ）】
2020058054.tif 000009
【図６（ｂ）】
2020058054.tif 000010
【図６（ｃ）】
2020058054.tif 000011
【図７（ａ）】
2020058054.tif 000012
【図７（ｂ）】
2020058054.tif 000013
【図７（ｃ）】
2020058054.tif 000014
【図８（ａ）】
2020058054.tif 000015
【図８（ｂ）】
2020058054.tif 000016
【図８（ｃ）】
2020058054.tif 000017
【図８（ｄ）】
2020058054.tif 000018
【図９】
2020058054.tif 000019
【図１０】
2020058054.tif 000020
【図１１】
2020058054.tif 000021
【図１２】
2020058054.tif 000022
【図１３（ａ）】
2020058054.tif 000023
【図１３（ｂ）】
2020058054.tif 000024
【図１３（ｃ）】
2020058054.tif 000025
【図１４（ａ）】
2020058054.tif 000026
【図１４（ｂ）】
2020058054.tif 000027
【図１４（ｃ）】
2020058054.tif 000028
【図１５】
2020058054.tif 000029
【図１６（ａ）】
2020058054.tif 000030
【図１６（ｂ）】
2020058054.tif 000031
【図１６（ｃ）】
2020058054.tif 000032
【図１７（ａ）】
2020058054.tif 000033
【図１７（ｂ）】
2020058054.tif 000034
【図１７（ｃ）】
2020058054.tif 000035
【図１８】
2020058054.tif 000036
【図１９】
2020058054.tif 000037
【図２０】
2020058054.tif 000038
【図２１】
2020058054.tif 000039
【図２２】
2020058054.tif 000040
【図２３（ａ）】
2020058054.tif 000041
【図２３（ｂ）】
2020058054.tif 000042
【図２３（ｃ）】
2020058054.tif 000043
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
コンテンションウィンドウ情報を決定するための方法であって、
ユーザ機器（ＵＥ）によって、少なくとも１つのアップリンクサブフレームをスケジューリングするために基地局によって送信される少なくとも１つの制御シグナリングを受信するステップであって、前記少なくとも１つの制御シグナリングのそれぞれは、参照サブフレームにおける少なくとも１つのアップリンクサブフレームに関するハイブリッド自動再送要求（ＨＡＲＱ）インジケーションを備える、ステップと、
前記ＵＥによって、第２のアップリンクバーストのコンテンションウィンドウサイズ（ＣＷＳ）を、第３のアップリンクバーストの前記ＣＷＳになるように決定するステップであって、前記第２のアップリンクバーストおよび前記第３のアップリンクバーストの両方は、前記参照サブフレームに対応する、ステップと、
前記ＵＥによって、前記第２のアップリンクバーストのクリアチャネルアセスメント（ＣＣＡ）バックオフカウンタ初期値を、前記第２のアップリンクバーストの前記ＣＷＳに従って決定するステップと、を含み、
前記参照サブフレームは、前記ＵＥの少なくとも１つの第１のアップリンクバーストにおける少なくとも１つのアップリンクサブフレームを含み、前記第１のアップリンクバースト、前記第２のアップリンクバースト、および前記第３のアップリンクバーストは、時間において不連続であり、前記第１のアップリンクバーストは、前記第２のアップリンクバーストの前であり、前記第３のアップリンクバーストは、前記第１のアップリンクバーストと前記第２のアップリンクバーストとの間であり、前記第１のアップリンクバースト、前記第２のアップリンクバースト、および前記第３のアップリンクバーストのそれぞれは、少なくとも１つのアップリンクサブフレームを含む、
方法。
【請求項２】
前記第１のアップリンクバーストは、各アップリンクサブフレームが前記ＵＥによって送信される第１のアップリンクバーストである
請求項１に記載の方法。
【請求項３】
前記参照サブフレームは、前記第１のアップリンクバーストにおいて前記ＵＥによって送信される少なくとも１つのアップリンクサブフレームである
請求項１または２に記載の方法。
【請求項４】
前記参照サブフレームは、前記第１のアップリンクバーストにおける少なくとも１つのアップリンクサブフレームであり、前記参照サブフレームの受信状態は、前記ＵＥによって取得される
請求項１乃至３のいずれか一項に記載の方法。
【請求項５】
前記第３のアップリンクバーストにおける前記少なくとも１つのアップリンクサブフレームと前記第２のアップリンクバーストにおける第１のアップリンクサブフレームとの間の時間間隔は、第１の事前設定された持続時間未満である
請求項１乃至４のいずれか一項に記載の方法。
【請求項６】
前記ＵＥが前記少なくとも１つの制御シグナリングを受信する時点は、前記第３のアップリンクバーストにおける前記少なくとも１つのアップリンクサブフレームより早い、または
前記ＵＥが前記少なくとも１つの制御シグナリングを受信する時点は、前記第３のアップリンクバーストにおける前記少なくとも１つのアップリンクサブフレームより早くはなく、かつ前記第３のアップリンクバーストにおける前記少なくとも１つのアップリンクサブフレームと前記ＵＥが前記少なくとも１つの制御シグナリングを受信する前記時点との間の時間間隔は、第２の事前設定された持続時間未満であり、
前記少なくとも１つの制御シグナリングは、前記第２のアップリンクバーストより前の、前記第２のアップリンクバーストに最も近く、かつ前記ＵＥによって受信される制御シグナリングである
請求項１乃至５のいずれか一項に記載の方法。
【請求項７】
コンテンションウィンドウ情報を決定するための装置であって、
少なくとも１つのアップリンクサブフレームをスケジューリングするために基地局によって送信される少なくとも１つの制御シグナリングを受信するように構成された受信ユニットであって、前記少なくとも１つの制御シグナリングのそれぞれは、参照サブフレームにおける少なくとも１つのアップリンクサブフレームに関するハイブリッド自動再送要求（ＨＡＲＱ）インジケーションを備える、受信ユニットと、
第２のアップリンクバーストのコンテンションウィンドウサイズ（ＣＷＳ）を、第３のアップリンクバーストの前記ＣＷＳになるように決定することであって、前記第２のアップリンクバーストおよび前記第３のアップリンクバーストの両方は、前記参照サブフレームに対応する、ことと、前記第２のアップリンクバーストのクリアチャネルアセスメント（ＣＣＡ）バックオフカウンタ初期値を、前記第２のアップリンクバーストの前記ＣＷＳに従って決定することと、を行うように構成された決定ユニットと、を備え、
前記参照サブフレームは、前記装置の少なくとも１つの第１のアップリンクバーストにおける少なくとも１つのアップリンクサブフレームを含み、前記第１のアップリンクバースト、前記第２のアップリンクバースト、および前記第３のアップリンクバーストは、時間において不連続であり、前記第１のアップリンクバーストは、前記第２のアップリンクバーストの前であり、前記第３のアップリンクバーストは、前記第１のアップリンクバーストと前記第２のアップリンクバーストとの間であり、前記第１のアップリンクバースト、前記第２のアップリンクバースト、および前記第３のアップリンクバーストのそれぞれは、少なくとも１つのアップリンクサブフレームを含む、
装置。
【請求項８】
前記第１のアップリンクバーストは、各アップリンクサブフレームが前記装置によって送信される第１のアップリンクバーストである
請求項７に記載の装置。
【請求項９】
前記参照サブフレームは、前記第１のアップリンクバーストにおいて前記装置によって送信される少なくとも１つのアップリンクサブフレームである
請求項７または８に記載の装置。
【請求項１０】
前記参照サブフレームは、前記第１のアップリンクバーストにおける少なくとも１つのアップリンクサブフレームであり、前記参照サブフレームの受信状態は、前記装置によって取得される、
請求項７乃至９のいずれか一項に記載の装置。
【請求項１１】
前記第３のアップリンクバーストにおける前記少なくとも１つのアップリンクサブフレームと前記第２のアップリンクバーストにおける第１のアップリンクサブフレームとの間の時間間隔は、第１の事前設定された持続時間未満である
請求項７乃至１０のいずれか一項に記載の装置。
【請求項１２】
前記装置が前記少なくとも１つの制御シグナリングを受信する時点は、前記第３のアップリンクバーストにおける前記少なくとも１つのアップリンクサブフレームより早い、または
前記装置が前記少なくとも１つの制御シグナリングを受信する時点は、前記第３のアップリンクバーストにおける前記少なくとも１つのアップリンクサブフレームより早くはなく、かつ前記第３のアップリンクバーストにおける前記少なくとも１つのアップリンクサブフレームと前記装置が前記少なくとも１つの制御シグナリングを受信する前記時点との間の時間間隔は、第２の事前設定された持続時間未満であり、
前記少なくとも１つの制御シグナリングは、前記第２のアップリンクバーストより前の、前記第２のアップリンクバーストに最も近く、かつ前記装置によって受信される制御シグナリングである
請求項７乃至１１のいずれか一項に記載の装置。
【請求項１３】
請求項１乃至６のいずれか一項に記載の前記方法を実行するように構成された、装置。
【請求項１４】
請求項１乃至６のいずれか一項に記載の前記方法をコンピュータに実行させる、プログラム。
【手続補正２】
【補正対象書類名】明細書
【補正対象項目名】０００５
【補正方法】変更
【補正の内容】
【０００５】
ＬＡＡシステムにおけるＷｉ−Ｆｉシステムおよびダウンリンク伝送において、ランダムなバックオフに基づく感知機構が使用される。データを送信するより前に毎回、送信ノードは最初に、１とｐとの間のランダムな整数Ｍを生成し、整数ｐは、コンテンションウィンドウサイズ（Ｃｏｎｔｅｎｔｉｏｎ  Ｗｉｎｄｏｗ  Ｓｉｚｅ、略して「ＣＷＳ」）であり、次に、感知タイムスロットを粒度として使用することによってチャネル感知を継続的に実行する。現在の感知タイムスロットにおいてチャネルがアイドルであることを検出した場合、送信ノードは、Ｍを１だけ減少させ、Ｍは、０まで減少させられ、送信ノードは、信号を即時に送信する。さらに、送信ノードは、ＣＷＳを、感知することより前に受信されたＡＣＫ／ＮＡＣＫ情報に従って動的に調整し、ネットワーク輻輳が比較的深刻である場合、ＣＷＳを増加させて、異なる送信ノードがバックオフして、情報を同時に送信する場合に衝突によってもたらされる比較的深刻な干渉の事例を軽減することができる。
【手続補正３】
【補正対象書類名】明細書
【補正対象項目名】００６１
【補正方法】変更
【補正の内容】
【００６１】
【図１】本発明の実施形態によるアプリケーションシナリオを示す概略図である。
【図２】本発明の実施形態によるコンテンションウィンドウ情報を決定するための方法を示す概略フローチャートである。
【図３】本発明の実施形態によるコンテンションウィンドウ情報を決定するための方法を示す別の概略図である。
【図４（ａ）】本発明の実施形態によるコンテンションウィンドウサイズを決定するための方法を示す別の概略図である。
【図４（ｂ）】本発明の実施形態によるコンテンションウィンドウサイズを決定するための方法を示す別の概略図である。
【図５】本発明の実施形態によるコンテンションウィンドウサイズを決定するための方法を示す別の概略図である。
【図６（ａ）】本発明の実施形態によるコンテンションウィンドウサイズを決定するための方法を示す別の概略図である。
【図６（ｂ）】本発明の実施形態によるコンテンションウィンドウサイズを決定するための方法を示す別の概略図である。
【図６（ｃ）】本発明の実施形態によるコンテンションウィンドウサイズを決定するための方法を示す別の概略図である。
【図７（ａ）】本発明の実施形態によるコンテンションウィンドウサイズを決定するための方法を示す別の概略図である。
【図７（ｂ）】本発明の実施形態によるコンテンションウィンドウサイズを決定するための方法を示す別の概略図である。
【図７（ｃ）】本発明の実施形態によるコンテンションウィンドウサイズを決定するための方法を示す別の概略図である。
【図８（ａ）】本発明の実施形態によるコンテンションウィンドウサイズを決定するための方法を示すさらに別の概略図である。
【図８（ｂ）】本発明の実施形態によるコンテンションウィンドウサイズを決定するための方法を示すさらに別の概略図である。
【図８（ｃ）】本発明の実施形態によるコンテンションウィンドウサイズを決定するための方法を示すさらに別の概略図である。
【図８（ｄ）】本発明の実施形態によるコンテンションウィンドウサイズを決定するための方法を示すさらに別の概略図である。
【図９】本発明の実施形態による第１のアップリンクバーストを示す概略図である。
【図１０】本発明の実施形態による第１のアップリンクバーストを示す別の概略図である。
【図１１】本発明の実施形態によるアップリンクサブフレームの受信状態を示す概略図である。
【図１２】本発明の実施形態によるアップリンクサブフレームの受信検出における遅延を示す概略図である。
【図１３（ａ）】本発明の実施形態による参照サブフレームを示す概略図である。
【図１３（ｂ）】本発明の実施形態による参照サブフレームを示す概略図である。
【図１３（ｃ）】本発明の実施形態による参照サブフレームを示す概略図である。
【図１４（ａ）】本発明の実施形態による参照サブフレームを示す別の概略図である。
【図１４（ｂ）】本発明の実施形態による参照サブフレームを示す別の概略図である。
【図１４（ｃ）】本発明の実施形態による参照サブフレームを示す別の概略図である。
【図１５】本発明の実施形態による参照サブフレームを示す別の概略図である。
【図１６（ａ）】本発明の実施形態による参照サブフレームを示す別の概略図である。
【図１６（ｂ）】本発明の実施形態による参照サブフレームを示す別の概略図である。
【図１６（ｃ）】本発明の実施形態による参照サブフレームを示す別の概略図である。
【図１７（ａ）】本発明の実施形態による参照サブフレームを示す別の概略図である。
【図１７（ｂ）】本発明の実施形態による参照サブフレームを示す別の概略図である。
【図１７（ｃ）】本発明の実施形態による参照サブフレームを示す別の概略図である。
【図１８】本発明の実施形態による参照サブフレームを示すさらに別の概略図である。
【図１９】本発明の実施形態によるコンテンションウィンドウ情報を決定するための装置を示す概略ブロック図である。
【図２０】本発明の実施形態によるコンテンションウィンドウ情報を決定するための装置を示す別の概略ブロック図である。
【図２１】本発明の実施形態によるコンテンションウィンドウ情報を決定するための装置を示す別の概略ブロック図である。
【図２２】本発明の実施形態によるコンテンションウィンドウ情報を決定するための装置を示すさらに別の概略ブロック図である。
【図２３（ａ）】本発明の実施形態による参照サブフレームを示すさらに別の概略図である。
【図２３（ｂ）】本発明の実施形態による参照サブフレームを示すさらに別の概略図である。
【図２３（ｃ）】本発明の実施形態による参照サブフレームを示すさらに別の概略図である。
【手続補正４】
【補正対象書類名】明細書
【補正対象項目名】００６３
【補正方法】変更
【補正の内容】
【００６３】
図１は、本発明の実施形態において適用される通信システム１００を示す。通信システム１００は、少なくとも１つのネットワークデバイス１１０を含んでよい。ネットワークデバイス１１０は、端末デバイスと通信する、基地局または基地局コントローラなどのデバイスであってよい。各ネットワークデバイス１１０は、指定された地理的区域に関する通信カバレッジを提供してよく、かつカバレッジ（セル）内に位置付けられた端末デバイス（例えば、ＵＥ）と通信してよい。ネットワークデバイス１１０は、ＧＳＭシステムもしくは符号分割多元接続（Ｃｏｄｅ  Ｄｉｖｉｓｉｏｎ  Ｍｕｌｔｉｐｌｅ  Ａｃｃｅｓｓ、略して「ＣＤＭＡ」）システムにおける基地局トランシーバ（Ｂａｓｅ  Ｔｒａｎｓｃｅｉｖｅｒ  Ｓｔａｔｉｏｎ、略して「ＢＴＳ」）、またはＷＣＤＭＡシステムにおけるノードＢ（ＮｏｄｅＢ、略して「ＮＢ」）、またはＬＴＥシステムにおける進化型ノードＢ（Ｅｖｏｌｖｅｄ  Ｎｏｄｅ  Ｂ、略して「ｅＮＢ」もしくは「ｅＮｏｄｅＢ」）、またはクラウド無線アクセスネットワーク（Ｃｌｏｕｄ  Ｒａｄｉｏ  Ａｃｃｅｓｓ  Ｎｅｔｗｏｒｋ、略して「ＣＲＡＮ」）におけるワイヤレスコントローラであってよく、またはネットワークデバイスは、将来の５Ｇネットワークにおける中継局、アクセスノード、車両内デバイス、ウェアラブルデバイス、ネットワーク側デバイス、もしくは将来の進化型公衆陸上モバイルネットワーク（Ｐｕｂｌｉｃ  Ｌａｎｄ  Ｍｏｂｉｌｅ  Ｎｅｔｗｏｒｋ、略して「ＰＬＭＮ」）におけるネットワークデバイス、もしくは類似したものであってよい。
【手続補正５】
【補正対象書類名】明細書
【補正対象項目名】００６４
【補正方法】変更
【補正の内容】
【００６４】
本発明のこの実施形態において、通信システム１００は、セルラーモノのインターネット（Ｃｅｌｌｕｌａｒ  ＩｏＴ、略して「ＣＩｏＴ」）システムであってよい。ＣＩｏＴシステムは、既存のセルラーネットワークの基本アーキテクチャに基づく重要なマシンタイプ通信（Ｍａｃｈｉｎｅ  Ｔｙｐｅ  Ｃｏｍｍｕｎｉｃａｔｉｏｎ、略して「ＭＴＣ」）通信システムである。将来のモノのインターネットにおける通信の主なサービス範囲は、インテリジェントメータ読取り、医療検査および医療監視、ロジスティクス検出、工業検査および工業監視、自動車ネットワーキング、インテリジェントコミュニティ、ウェアラブルデバイス通信、および類似したものを含むことがある。ＭＴＣコミュニケーション構築についてのモノのインターネット産業は、コンピュータ、インターネット、およびモバイル通信ネットワークに続く情報産業の第４の波であると考えられており、ネットワークの将来の開発方向である。さらに、ＣＩｏＴシステムは、より大きいカバレッジ、接続のより大きい量、低い費用、ならびにネットワーク上、および端末デバイス上の低い電力消費という要件を有する。
【手続補正６】
【補正対象書類名】明細書
【補正対象項目名】００６５
【補正方法】変更
【補正の内容】
【００６５】
通信システム１００は、ネットワークデバイス１１０のカバレッジ内に位置付けられた複数の端末デバイス１２０をさらに含む。端末デバイス１２０は、可動であっても、固定であってもよい。端末デバイス１２０は、アクセス端末、ユーザ機器（Ｕｓｅｒ  Ｅｑｕｉｐｍｅｎｔ、略して「ＵＥ」）、ユーザユニット、ユーザ局、モバイル局、モバイルコンソール、遠隔局、遠隔端末、モバイルデバイス、ユーザ端末、端末、無線通信デバイス、ユーザエージェント、またはユーザ装置を指すことがある。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、略して「ＳＩＰ」）電話、無線ローカルループ（Ｗｉｒｅｌｅｓｓ  Ｌｏｃａｌ  Ｌｏｏｐ、略して「ＷＬＬ」）局、携帯情報端末（Ｐｅｒｓｏｎａｌ  Ｄｉｇｉｔａｌ  Ａｓｓｉｓｔａｎｔ、略して「ＰＤＡ」）、無線通信機能を有するハンドヘルドデバイス、コンピューティングデバイス、無線モデムに接続された別の処理デバイス、車両内デバイス、ウェアラブルデバイス、将来の５Ｇネットワークにおける端末デバイス、将来の進化型公衆陸上モバイルネットワーク（Ｐｕｂｌｉｃ  Ｌａｎｄ  Ｍｏｂｉｌｅ  Ｎｅｔｗｏｒｋ、略して「ＰＬＭＮ」）における端末デバイス、もしくは類似したものであってよい。
【手続補正７】
【補正対象書類名】明細書
【補正対象項目名】００７１
【補正方法】変更
【補正の内容】
【００７１】
２．ライセンススペクトルとアンライセンススペクトルが一緒に位置付けらないものとして展開される。例えば、ライセンススペクトルは、マクロ基地局上に展開され、アンライセンススペクトルは、低電力ノード上に展開される。低電力ノードは、マイクロセル（Ｍｉｃｒｏ  ｃｅｌｌ）、ピコセル（Ｐｉｃｏ  ｃｅｌｌ）、フェムトｅノードＢ（Ｆｅｍｔｏ  ｃｅｌｌ）、遠隔無線ヘッド（Ｒｅｍｏｔｅ  ｒａｄｉｏ  ｈｅａｄ）、中継局（Ｒｅｌａｙ）、またはそれに類するものを含み得る。マクロ基地局と低電力ノードは、理想的バックホールリンクまたは非理想的バックホールリンクを使用することによって互いに接続される。
【手続補正８】
【補正対象書類名】明細書
【補正対象項目名】００９２
【補正方法】変更
【補正の内容】
【００９２】
Ｓ２５０において、ＵＥは、基地局によって送信されるコンテンションウィンドウ情報を受信し、ＣＣＡバックオフカウンタ初期値を生成する、またはＵＥは、コンテンションウィンドウ情報に基づいて生成され、かつ基地局によって送信されるＣＣＡバックオフカウンタ初期値を受信する。
【手続補正９】
【補正対象書類名】明細書
【補正対象項目名】００９４
【補正方法】変更
【補正の内容】
【００９４】
ＵＥは、第２のアップリンクバーストの第１のアップリンクサブフレームのバックオフカウンタ初期値を、第２のアップリンクバーストにおけるアップリンクサブフレームの制御シグナリングに含められ、かつ基地局からの獲得されたコンテンションウィンドウ情報、またはコンテンションウィンドウ情報に基づいて生成されたＣＣＡバックオフカウンタ初期値に従って決定してよいことを理解されたい。
【手続補正１０】
【補正対象書類名】明細書
【補正対象項目名】０１０２
【補正方法】変更
【補正の内容】
【０１０２】
任意選択で、ＵＥが、基地局から、第２のアップリンクバーストの第１のアップリンクサブフレームに関する制御シグナリングを受信しない場合、または第２のアップリンクバーストの第１のアップリンクサブフレームより前にＣＣＡを完了しない場合、ＵＥがデータを送信することを開始するアップリンクサブフレームが、第２のアップリンクバーストの第１のアップリンクサブフレームとして定義される。
【手続補正１１】
【補正対象書類名】明細書
【補正対象項目名】０１０３
【補正方法】変更
【補正の内容】
【０１０３】
ＵＥは、第２のアップリンクバーストの第１のアップリンクサブフレームより前にＣＣＡを実行してよいことを理解されたい。本明細書における第２のアップリンクバーストの第１のアップリンクサブフレームは、ＵＥによって実際に送信された少なくとも１つのアップリンクサブフレームの第１のアップリンクサブフレームであるが、基地局によってスケジューリングされた少なくとも１つのアップリンクサブフレームの第１のアップリンクサブフレームではない。言い換えると、ＵＥは、基地局からの制御シグナリングによって示される第１のアップリンクサブフレームにおいてアップリンク情報を送信しない。具体的に言うと、ＵＥは、基地局から、第２のアップリンクバーストの第１のアップリンクサブフレームのための制御シグナリングを受信しない、または基地局からの制御シグナリングによって示された第２のアップリンクバーストの第１のアップリンクサブフレームより前にＣＣＡを完了しないが、後続のサブフレームにおいて送信することを実行することを開始する。この事例において、ＵＥがデータを送信することを開始するアップリンクサブフレームは、第２のアップリンクバーストの第１のアップリンクサブフレームである。
【手続補正１２】
【補正対象書類名】明細書
【補正対象項目名】０１０６
【補正方法】変更
【補正の内容】
【０１０６】
任意選択で、ＵＥが、第２のアップリンクバーストの第１のアップリンクサブフレームをスケジューリングするために基地局によって送信される制御シグナリングを受信するが、制御シグナリングによって示された第１のアップリンクサブフレームより前にいずれのチャネルも捕捉せず、かつＵＥが、第２のアップリンクバーストの後続のアップリンクサブフレームをスケジューリングするために基地局によって送信される制御シグナリングを受信する場合、ＵＥは、制御シグナリングによって示された第１のアップリンクサブフレームの後のアップリンクサブフレームのコンテンションウィンドウ情報、またはコンテンションウィンドウ情報に基づいて生成されたＣＣＡバックオフカウンタ初期値を使用して、ＣＣＡバックオフカウンタ初期値を決定し、ＣＣＡを再開する。
【手続補正１３】
【補正対象書類名】明細書
【補正対象項目名】０１０８
【補正方法】変更
【補正の内容】
【０１０８】
さらに、ＵＥが、基地局から、第２のアップリンクバーストの第１のアップリンクサブフレームをスケジューリングするためのＵＬグラントを受信し、かつＵＬグラントによって示された第１のアップリンクサブフレームより前にいずれのチャネルも捕捉しない場合、ＵＥは、時間領域における連続したアップリンクサブフレームのものであり、かつ基地局からのＵＬグラントによって示される後続のサブフレームを送信することより前にＣＣＡをそれでも実行する必要がある。具体的には、ＵＥは、コンテンションウィンドウ情報、またはＵＬグラントに含められ、かつ後続のサブフレームに関するＣＣＡバックオフカウンタ初期値を使用して、ＣＣＡバックオフカウンタ初期値を決定し、ＣＣＡを再開してよい。あるいは、ＵＥは、以前のアップリンクサブフレームに関するＣＣＡバックオフを継続してよい。
【手続補正１４】
【補正対象書類名】明細書
【補正対象項目名】０１２３
【補正方法】変更
【補正の内容】
【０１２３】
基地局が、ＵＥがアップリンクサブフレームを送信するかどうかを検出し、かつ決定する能力を有する場合、基地局は、ＵＥが情報を送信するのにアップリンクサブフレームを占有しない参照サブフレームを省いてよく、ＣＷＳを調整するのに参照サブフレームを使用しなくてよいことを理解されたい。例えば、基地局は、復調参照信号（ＤｅＭｏｄｕｌａｔｉｏｎ  Ｒｅｆｅｒｅｎｃｅ  Ｓｉｇｎａｌ、略して「ＤＭ−ＲＳ」）を使用する。ＤＭ−ＲＳが存在することを検出する場合、基地局は、ＵＥがアップリンクサブフレームを送信することを決定する。ＤＭ−ＲＳが検出されない場合、基地局は、ＵＥがアップリンクサブフレームを送信しないことを決定してよく、かつサブフレームを省いてよい。したがって、少なくとも１つの参照サブフレームの受信状態がＮＡＣＫであり、かつ少なくとも１つの参照サブフレームにおける各アップリンクサブフレームが、基地局によって検出され、かつＵＥによって送信されないアップリンクサブフレームである場合、ＣＷＳは、変化しないままである、または省かれ、ＣＷＳを調整するための基礎として使用されない。
【手続補正１５】
【補正対象書類名】明細書
【補正対象項目名】０１２８
【補正方法】変更
【補正の内容】
【０１２８】
ＣＷＳを増加させることを決定するための条件は、参照サブフレームにおける少なくとも１つのアップリンクサブフレームの受信状態がＮＡＣＫであることであることを理解されたい。ＣＷＳを増加させることを決定するための前述の条件とは異なり、ＣＷＳを増加させることを決定するための以下の条件は、参照サブフレームにおいてすべてのアップリンクサブフレームの受信状態がＮＡＣＫである場合、ＣＷＳが増加させられるべきことである。
【手続補正１６】
【補正対象書類名】明細書
【補正対象項目名】０１７４
【補正方法】変更
【補正の内容】
【０１７４】
図８（ａ）に示されるとおり、ＵＥのＨＡＲＱ処理１が参照サブフレーム＃ｎにおいて誤って伝送され、基地局が、ＨＡＲＱ処理１の再送をスケジューリングする。ＵＥは、ＨＡＲＱ処理１が示され、かつ対応するＮＤＩが切り換えられないＵＬグラントを受信し、サブフレームが再送サブフレームであることを決定し、したがって、感知のためにＣＷＳを２倍にする。
【手続補正１７】
【補正対象書類名】明細書
【補正対象項目名】０１７６
【補正方法】変更
【補正の内容】
【０１７６】
図８（ｃ）に示されるとおり、ＵＥのＨＡＲＱ処理１が、参照サブフレーム＃ｎにおいて誤って伝送され、かつＨＡＲＱ処理２が、参照サブフレーム＃ｎ＋１において正しく伝送されるが、基地局は、ＨＡＲＱ処理２の送信だけをスケジューリングし、ＨＡＲＱ処理１の再送はスケジューリングしない。ＵＥは、両方の参照サブフレームのＨＡＲＱインジケーションは受信せず、ＨＡＲＱ処理１が正しく伝送されたかどうかを決定することができず、したがって、ＣＷＳを変化しないままに維持する、もしくはＣＷＳを減少させる。
【手続補正１８】
【補正対象書類名】明細書
【補正対象項目名】０１７８
【補正方法】変更
【補正の内容】
【０１７８】
任意選択で、ＵＥによる、第２のアップリンクバーストのＣＷＳを、参照サブフレームにおける少なくとも１つのアップリンクサブフレームに関する制御シグナリングにおいてＨＡＲＱインジケーションに従って決定するステップは、
参照サブフレームにおける少なくとも１つのアップリンクサブフレームに関してＨＡＲＱインジケーションが受信され、かつＨＡＲＱインジケーションが再送であるアップリンクサブフレームの量が第１の事前設定された閾値より大きい、もしくはそれと等しい場合、ＣＷＳを増加させるステップ、
参照サブフレームにおける少なくとも１つのアップリンクサブフレームに関してＨＡＲＱインジケーションが受信され、かつ参照サブフレームにおいて、すべてのアップリンクサブフレームにおけるＨＡＲＱインジケーションが再送であるアップリンクサブフレームの量のパーセンテージが第２の事前設定された閾値より大きい、もしくはそれと等しい場合、ＣＷＳを増加させるステップ、
参照サブフレームにおける少なくとも１つのアップリンクサブフレームに関してＨＡＲＱインジケーションが受信され、かつＨＡＲＱインジケーションが初期伝送であるアップリンクサブフレームの量が第３の事前設定された閾値より大きい、もしくはそれと等しい場合、ＣＷＳを減少させるステップ、
参照サブフレームにおける少なくとも１つのアップリンクサブフレームに関してＨＡＲＱインジケーションが受信され、かつ参照サブフレームにおいて、すべてのアップリンクサブフレームにおけるＨＡＲＱインジケーションが初期伝送であるアップリンクサブフレームの量のパーセンテージが第４の事前設定された閾値より大きい、もしくはそれと等しい場合、ＣＷＳを減少させるステップ、または
参照サブフレームにおける少なくとも１つのアップリンクサブフレームに関してＨＡＲＱインジケーションが受信されない場合、ＣＷＳを変化しないままに維持する、もしくはＣＷＳを減少させるステップを含む。
【手続補正１９】
【補正対象書類名】明細書
【補正対象項目名】０１７９
【補正方法】変更
【補正の内容】
【０１７９】
さらに、任意選択で、参照サブフレームにおける少なくとも１つのアップリンクサブフレームに関してＨＡＲＱインジケーションが受信され、かつＨＡＲＱインジケーションが再送であるアップリンクサブフレームの量が第１の事前設定された閾値未満である、もしくはそれと等しい場合、ＣＷＳは、変化しないままである、もしくはＣＷＳは、減少させられるべきである。参照サブフレームにおける少なくとも１つのアップリンクサブフレームに関してＨＡＲＱインジケーションが受信され、かつＨＡＲＱインジケーションが初期伝送であるアップリンクサブフレームの量が第３の事前設定された閾値未満である、もしくはそれと等しい場合、ＣＷＳは、変化しないままである、もしくはＣＷＳは、減少させられるべきである。
【手続補正２０】
【補正対象書類名】明細書
【補正対象項目名】０１８６
【補正方法】変更
【補正の内容】
【０１８６】
ユーザが基地局によってスケジューリングされるアップリンクサブフレームは、セル固有のアップリンクサブフレームであることに留意されたい。しかし、基地局によるユーザのアップリンクスケジューリングは、必ずしも連続しておらず、いくつかのアップリンクサブフレームにおいて、ユーザは、スケジューリングされず、またはユーザの代わりに別のユーザがスケジューリングされ、ユーザがスケジューリングされないアップリンクサブフレームは、ユーザのチャネル状態を反映することができない。したがって、基地局によってスケジューリングされたアップリンクサブフレームにおける少なくとも１つのアップリンクサブフレームの規則に従って獲得される第１のアップリンクバーストは、基地局によってスケジューリングされるすべてのアップリンクサブフレームの規則に基づいて獲得される第１のアップリンクバーストとは異なることがあり、前者は、ＣＷＳの調整をより正確に決定することができる。
【手続補正２１】
【補正対象書類名】明細書
【補正対象項目名】０１９４
【補正方法】変更
【補正の内容】
【０１９４】
しかし、ダウンリンク伝送中、各ダウンリンクサブフレームのＡＣＫ／ＮＡＣＫ状態が基地局によって獲得され得る。しかし、アップリンク伝送中、参照サブフレームにおけるアップリンクサブフレームが、ＵＥにスケジューリングされるが、ＵＥが、サブフレームを送信するいずれの機会も獲得しない場合、基地局は、物理アップリンク共有チャネル（Ｐｈｙｓｉｃａｌ  Ｕｐｌｉｎｋ  Ｓｈａｒｅｄ  Ｃｈａｎｎｅｌ、略して「ＰＵＳＣＨ」）を検出するとき、受信が失敗したこと、すなわち、受信状態がＮＡＣＫであることを決定する。
【手続補正２２】
【補正対象書類名】明細書
【補正対象項目名】０２０１
【補正方法】変更
【補正の内容】
【０２０１】
基地局が、ＵＥが送信を実行するかどうかを検出する能力を有しない場合、基地局は、スケジューリング下のＵＥによって送信され、かつ第１のアップリンクバーストに含められるすべてのアップリンクサブフレームが、ＵＥによって実際に送信されることを決定する必要があることをさらに理解されたい。したがって、ＰＵＳＣＨの受信が失敗するすべてのアップリンクサブフレームの受信状態が、ＮＡＣＫとして決定される。この事例において、ＵＥによって実際に送信されないアップリンクサブフレームの受信状態が、ＮＡＣＫとして誤って決定されて、ＵＥの決定されたＣＷＳが比較的大きくなることをもたらすことがある。
【手続補正２３】
【補正対象書類名】明細書
【補正対象項目名】０２１６
【補正方法】変更
【補正の内容】
【０２１６】
したがって、第１のアップリンクバーストが、基地局によってスケジューリングされるアップリンクサブフレームにおける少なくとも１つのアップリンクサブフレームの規則に従って選択され、かつ参照サブフレームが、第１のバーストにおけるすべてのアップリンクサブフレーム、第１のアップリンクサブフレーム、または最後のアップリンクサブフレームに限定される場合、これらのサブフレームは、「参照サブフレームは、ＵＥによって送信され、かつ第１のアップリンクバーストにおいて基地局によって検出される各アップリンクサブフレームである」という限定を満たさないことがある。
【手続補正２４】
【補正対象書類名】明細書
【補正対象項目名】０２６６
【補正方法】変更
【補正の内容】
【０２６６】
受信状態が検出されている複数の第１のアップリンクバーストは、すべてのアップリンクサブフレームのアップリンクＰＵＳＣＨ受信状態が検出されている複数の第１のアップリンクバーストであることを理解されたい。いずれのサブフレームの受信状態も検出されていない場合、第１のアップリンクバーストは、省かれる。
【手続補正２５】
【補正対象書類名】明細書
【補正対象項目名】０２７５
【補正方法】変更
【補正の内容】
【０２７５】
しかし、基地局が、基地局の側で実行されるＣＷＳの調整中にアップリンクサブフレームに対して検出、例えば、ＤＭ−ＲＳ検出を実行して、ＵＥが情報を実際に送信するかどうかを知る事例とは異なり、ＵＥは、ＵＥが、情報が実際に送信されるアップリンクサブフレームを知っているため、同様の操作を実行する必要がない。
【手続補正２６】
【補正対象書類名】明細書
【補正対象項目名】０２７７
【補正方法】変更
【補正の内容】
【０２７７】
第１のアップリンクバーストにおいて、ＵＥがアップリンク情報を実際に送信するアップリンクサブフレームだけが参照サブフレームとして確保され、ＵＥがアップリンク情報を送信しないアップリンクサブフレームは、省かれることを理解されたい。例えば、アップリンクサブフレームは、ＵＥがいずれのチャネルも捕捉しないため、ＵＥによって占有されない。ＵＥの側で実行されるＣＷＳの調整中に選択される参照サブフレームが、ＵＥがアップリンク情報を実際に送信するアップリンクサブフレームである事例は、基地局の側で実行されるＣＷＳの調整中に選択される参照サブフレームが、ＵＥによって送信され、かつ基地局によって検出される各アップリンクサブフレームである事例と同様である。しかし、基地局が、基地局の側で実行されるＣＷＳの調整中にアップリンクサブフレームに対して検出、例えば、ＤＭ−ＲＳ検出を実行して、ＵＥが情報を実際に送信するかどうかを知る事例とは異なり、ＵＥは、ＵＥが、情報が実際に送信されるアップリンクサブフレームを知っているため、同様の操作を実行する必要がない。
【手続補正２７】
【補正対象書類名】明細書
【補正対象項目名】０２８１
【補正方法】変更
【補正の内容】
【０２８１】
したがって、参照サブフレームのものであり、かつＵＥによって獲得される受信状態は、サブフレームのものであり、かつＵＬグラントを使用することによって獲得される初期伝送インジケーションまたは再送インジケーションとして定義される。初期伝送は、ＵＬグラントが、サブフレームに対応するＨＡＲＱ処理番号と同一であるＨＡＲＱ処理番号を搬送することを表し、ＮＤＩが切り換えられる。再送は、ＵＬグラントが、サブフレームに対応するＨＡＲＱ処理番号と同一であるＨＡＲＱ処理番号を搬送することを表し、ＮＤＩは、変化しない。ＵＥは、いくつかだけのサブフレームのＨＡＲＱ処理番号を受信することがあり、またはいずれのサブフレームのＨＡＲＱ処理番号も受信しない。
【手続補正２８】
【補正対象書類名】明細書
【補正対象項目名】０２８６
【補正方法】変更
【補正の内容】
【０２８６】
しかし、基地局が、基地局の側で実行されるＣＷＳの調整中にアップリンクサブフレームに対して検出、例えば、ＤＭ−ＲＳ検出を実行して、ＵＥが情報を実際に送信するかどうかを知る事例とは異なり、ＵＥは、ＵＥが、情報が実際に送信されるアップリンクサブフレームを知っているため、同様の操作を実行する必要がない。
【手続補正２９】
【補正対象書類名】明細書
【補正対象項目名】０２８９
【補正方法】変更
【補正の内容】
【０２８９】
ＵＥの側で実行されるＣＷＳの調整中、選択される参照サブフレームは、ＵＥがアップリンク情報を実際に送信するアップリンクサブフレームであることをさらに理解されたい。同様に、基地局の側で実行されるＣＷＳの調整中、選択される参照サブフレームは、ＵＥによって送信され、かつ基地局によって検出される各アップリンクサブフレームである。しかし、基地局が、基地局の側で実行されるＣＷＳの調整中にアップリンクサブフレームに対して検出、例えば、ＤＭ−ＲＳ検出を実行して、ＵＥが情報を実際に送信するかどうかを知る事例とは異なり、ＵＥは、ＵＥが、情報が実際に送信されるアップリンクサブフレームを知っているため、同様の操作を実行する必要がない。
【手続補正３０】
【補正対象書類名】明細書
【補正対象項目名】０３２６
【補正方法】変更
【補正の内容】
【０３２６】
任意選択で、第３のアップリンクバーストと第２のアップリンクバーストが同一の参照サブフレームに対応することは、第３のアップリンクバーストにおける少なくとも１つのアップリンクサブフレームと、第２のアップリンクバーストにおける第１のアップリンクサブフレームとの間の時間間隔が第１の事前設定された持続時間未満であることを含む。第３のアップリンクバーストと第２のアップリンクバーストを、２つのアップリンクバーストの間の同一の参照サブフレームに対応させるのに、第３のアップリンクバーストと第２のアップリンクバーストとの間の時間間隔が比較的短い、具体的に言うと、第１の事前設定された持続時間未満である必要があることを考慮すると、ＵＥは、第３のアップリンクバーストにおけるアップリンクサブフレームに関して基地局によって送信されるＨＡＲＱ受信状態を受信しない。そうでない場合、第３のアップリンクバーストと第２のアップリンクバーストとの間の時間間隔が比較的長い場合、ＵＥは、第３のアップリンクバーストにおけるアップリンクサブフレームに関してＨＡＲＱ受信状態を受信してよく、かつ第３のアップリンクバーストにおけるアップリンクサブフレームを参照サブフレームとして決定してよい。この事例において、第２のアップリンクバーストに対応する参照サブフレームは、第３のアップリンクバーストに対応する参照サブフレームとは異なる。例えば、第１の事前設定された持続時間は、３ミリ秒、４ミリ秒、または５ミリ秒であってよい。第３のアップリンクバーストにおける少なくとも１つのアップリンクサブフレームは、第３のアップリンクバーストにおける１つのアップリンクサブフレームであってよく、より具体的には、第３のアップリンクバーストにおける第１のアップリンクサブフレームまたは最後のアップリンクサブフレームであってよい。少なくとも１つのアップリンクサブフレームは、ＵＥのものであり、かつ基地局によってスケジューリングされてよく、またはＵＥによって実際に占有され、かつ情報を送信するために使用されてよい。例えば、第３のアップリンクバーストは、ＵＥによって送信され、かつ基地局によってスケジューリングされるアップリンクサブフレーム＃ｎおよび＃ｎ＋１を含む。ＵＥは、＃ｎより前にいずれのチャネルも捕捉しないが、＃ｎ＋１より前にチャネルを捕捉し、かつ＃ｎ＋１を占有する。この事例において、少なくとも１つのアップリンクサブフレームは、＃ｎ（基地局によってスケジューリングされる第１のアップリンクサブフレーム）であってよく、または＃ｎ＋１（ＵＥによって実際に占有され、かつ情報を送信するのに使用される第１のアップリンクサブフレーム）であってよい。第２のアップリンクバーストの第１のアップリンクサブフレームは、ＵＥのものであり、かつ基地局によってスケジューリングされる第１のアップリンクサブフレームである。
【手続補正３１】
【補正対象書類名】明細書
【補正対象項目名】０３５７
【補正方法】変更
【補正の内容】
【０３５７】
さらに、装置５００は、プロセッサ５２０に結合されたメモリ５３０および受信機５４０をさらに含んでよい。メモリ５３０は、命令を記憶するように構成されてよく、またはフレーム構造もしくは類似したものを記憶するように構成されてよい。受信機５４０は、命令または類似したものを受信するように構成されてよい。プロセッサ５２０は、ベースバンドプロセッサ、通信プロセッサ、デジタル信号プロセッサ、特定用途向け集積回路、または類似したものであってよい。プロセッサ５２０は、メモリ５３０に記憶された命令を実行するように構成される。
【外国語明細書】
2020058054000001.pdf